(57)【要約】      （修正有）【課題】ねじ付きコネクタポートを清掃するためのシステム、方法、及び装置を提供する。【解決手段】クリーニングシステムは、収容容器と、クリーニング装置５０２ｂとを備え、前記クリーニング装置は、シーリングコネクタ５０４ｂと、位置合わせペグと、管状部分を有する外側発泡体スリーブ５７４とを含む。シーリングコネクタは、グリップ部分、内側ねじクリーニング部分、及び長手方向軸を有する本体部分を含む。別のクリーニング装置は、キャップキャビティ及び内側発泡体パッドを有するキャップクリーニング端部を含む。別のクリーニングシステムは、ねじ付きコネクタポートと、クリーニング装置とを備え、前記クリーニング装置は、位置合わせペグと、使い捨て式発泡体プラットフォームと、グリップ部分及び一対のクリーニングアームを有する把持体とを含む。【選択図】図５Ｉ
2020146484.tif 000002
【特許請求の範囲】
【請求項１】
栄養チューブ用のねじ付きコネクタポートに関連して使用されるクリーニング装置であって、
シーリングコネクタであって、
第１の端部、第２の端部、及びグリップ部分を有する本体部分と、
前記本体部分の前記第２の端部に設けられ、かつ第１の長さを有する位置合わせチューブを含む内側ねじクリーニング部分と、
前記本体部分の前記第１の端部から前記内側ねじクリーニング部分まで延びる長手方向軸とを含み、
前記位置合わせチューブは、前記長手方向軸と軸方向に整列されている、該シーリングコネクタと、
前記シーリングコネクタの前記長手方向軸と軸方向に整列され、前記本体部分の前記第２の端部に結合され、かつ前記ねじ付きコネクタポートのボアチャンネルの内径よりも小さい外径を有する位置合わせペグと、
外側発泡体スリーブであって、
内面、外面、及び第２の長さを有する管状部分を含み、
前記管状部分の前記内面は、前記位置合わせチューブに結合され、
前記管状部分は、該管状部分の前記第２の長さに沿って、前記ねじ付きコネクタポートの複数の雌ねじと係合することができるように構成され、かつ
前記管状部分の前記外面は、前記位置合わせペグを前記ねじ付きコネクタポートの前記ボアチャンネル内に挿入し、前記本体部分を前記シーリングコネクタの前記長手方向軸を中心にして回転させたときに、前記外側発泡体スリーブを前記ねじ付きコネクタポートの前記複数の雌ねじに対して外向きに密接に接触させることができるような予め定められた直径を有する、該外側発泡体スリーブと
を備えたことを特徴とするクリーニング装置。
【請求項２】
前記外側発泡体スリーブは、使い捨て式であることを特徴とする請求項１に記載のクリーニング装置。
【請求項３】
前記外側発泡体スリーブは、前記位置合わせチューブに恒久的に結合されることを特徴とする請求項１に記載のクリーニング装置。
【請求項４】
前記外側発泡体スリーブは、内面及び外面を有するフランジ部分を含み、
前記管状部分の前記外面は、前記フランジ部分の前記外面と隣接し、
前記フランジ部分の前記内面は、前記本体部分の前記第２の端部に結合されていることを特徴とする請求項１に記載のクリーニング装置。
【請求項５】
前記位置合わせチューブは、前記ねじ付きコネクタポートの前記ボアチャンネルの外面を清掃することができるように構成された内面を有することを特徴とする請求項１に記載のクリーニング装置。
【請求項６】
前記位置合わせペグは、前記ねじ付きコネクタポートの前記ボアチャンネルの内面を清掃することができるように構成された外面を有することを特徴とする請求項１に記載のクリーニング装置。
【請求項７】
前記位置合わせペグは、記位置合わせチューブの前記第１の長さよりも大きい第３の長さを有し、前記位置合わせチューブを越えて延出していることを特徴とする請求項１に記載のクリーニング装置。
【請求項８】
前記位置合わせチューブの前記第１の長さは、前記外側発泡体スリーブの前記管状部分の前記第２の長さ以下であることを特徴とする請求項１に記載のクリーニング装置。
【請求項９】
前記本体部分は、前記第１の端部に、内壁面及びベース面を有するキャビティを含むことを特徴とする請求項１に記載のクリーニング装置。
【請求項１０】
前記キャビティの前記内壁面及び前記ベース面を覆う内側発泡体パッドをさらに備えたことを特徴とする請求項９に記載のクリーニング装置。
【請求項１１】
前記内側発泡体パッドは、ねじ付きコネクタポートキャップの複数の雄ねじを清掃することができるように構成された予め定められた厚さを有することを特徴とする請求項１０に記載のクリーニング装置。
【請求項１２】
経腸栄養に関連して使用されるクリーニングシステムであって、
栄養チューブ用のねじ付きコネクタポートに関連して使用されるクリーニング装置と、
収容容器とを備えており、
前記クリーニング装置は、
シーリングコネクタであって、
第１の端部、第２の端部、及びグリップ部分を有する本体部分と、
前記本体部分の前記第２の端部に設けられ、かつ第１の長さを有する位置合わせチューブを含む内側ねじクリーニング部分と、
前記本体部分の前記第１の端部から前記内側ねじクリーニング部分まで延びる長手方向軸とを含み、
前記位置合わせチューブは、前記長手方向軸と軸方向に整列されている、該シーリングコネクタと、
前記シーリングコネクタの前記長手方向軸と軸方向に整列され、前記本体部分の前記第２の端部に結合され、かつ前記ねじ付きコネクタポートのボアチャンネルの内径よりも小さい外径を有する位置合わせペグと、
外側発泡体スリーブであって、
内面、外面、及び第２の長さを有する管状部分を含み、
前記管状部分の前記内面は、前記位置合わせチューブに結合され、
前記管状部分は、該管状部分の前記第２の長さに沿って、前記ねじ付きコネクタポートの複数の雌ねじと係合することができるように構成され、かつ
前記管状部分の前記外面は、前記位置合わせペグを前記ねじ付きコネクタポートの前記ボアチャンネル内に挿入し、前記本体部分を前記シーリングコネクタの前記長手方向軸を中心にして回転させたときに、前記外側発泡体スリーブを前記ねじ付きコネクタポートの前記複数の雌ねじに対して外向きに密接に接触させることができるような予め定められた直径を有する、該外側発泡体スリーブと
前記収容容器は、開口部を有するキャビティを形成する側壁部及び底部を有し、
前記キャビティは、前記位置合わせペグの長さ以上のキャビティ深さ、及び前記外側発泡体スリーブの外径よりも大きいキャビティ直径を有し、湿潤溶液で少なくとも部分的に満たされており、
前記シーリングコネクタは、前記収容容器の前記開口部を密封することができるように構成されている、
ことを特徴とするクリーニングシステム。
【請求項１３】
前記シーリングコネクタは、前記本体部分の前記第２の端部に、前記収容容器の前記開口部を密封するべく前記収容容器の前記側壁部上に圧入嵌合させることができるように構成されたチャンネルを含むことを特徴とする請求項１２に記載のクリーニングシステム。
【請求項１４】
前記シーリングコネクタは、前記本体部分の前記第２の端部に、前記収容容器の前記開口部を密封することができるように構成されたガスケットを含むことを特徴とする請求項１２に記載のクリーニングシステム。
【請求項１５】
前記収容容器は、第１の組のねじを含み、
前記シーリングコネクタは、第２の組のねじを含み、
前記第１の組のねじ及び前記第２の組のねじは、互いに螺合して前記収容容器と前記シーリングコネクタとの間を密封することができるように構成されていることを特徴とする請求項１２に記載のクリーニングシステム。
【請求項１６】
前記キャビティ深さは、前記位置合わせペグの遠位端部と前記収容容器の前記底部との間に隙間を形成することができるように構成されていることを特徴とする請求項１２に記載のクリーニングシステム。
【請求項１７】
前記収容容器に取り付けられ、前記キャビティの前記開口部を覆うことができるように構成された除去可能な閉鎖蓋体をさらに備えることを特徴とする請求項１２に記載のクリーニングシステム。
【請求項１８】
栄養チューブ用のねじ付きコネクタポートに関連して使用されるクリーニング装置であって、
第１の端部、第２の端部、及び前記第１の端部から前記第２の端部まで延びる長手方向軸を有する把持体であって、
前記第１の端部から上向きに延出する一対のグリップアームと、前記第２の端部から下向きに延出する一対のクリーニングアームとを含み、
前記一対のクリーニングアームは、前記把持体内に配置された枢軸ピンによって前記一対のグリップアームに枢動可能に連結されており、
前記一対のクリーニングアームは、前記一対のグリップアームに対して前記把持体の前記長手方向軸に向かう内向きの圧力を加えたときに、前記圧力が前記枢軸ピンを介して前記一対のクリーニングアームに伝達されることによって互いに離間するように構成されている、該把持体と、
前記把持体の前記長手方向軸と軸方向に整列され、前記把持体の前記第２の端部に結合され、前記ねじ付きコネクタポートのボアチャンネルの内径よりも小さい外径を有し、かつ前記一対のクリーニングアームを越えて延出する長さを有する位置合わせペグと、
前記把持体の前記第２の端部に結合された使い捨て式発泡体プラットフォームであって、
前記把持体の前記長手方向軸と軸方向に整列された管状部分と、前記把持体の前記第２の端部に結合された結合端部と、クリーニング端部とを含み、
前記結合端部は、前記一対のクリーニングアームを受容するための一対のキャビティを有し、
前記クリーニング端部は、前記位置合わせペグを前記ねじ付きコネクタポートの前記ボアチャンネル内に挿入し、前記把持体を該把持体の前記長手方向軸を中心にして前記ねじ付きコネクタポートに対して回転させたときに、前記ねじ付きコネクタポートの複数の雌ねじ及び前記ボアチャンネルの外面を清掃することができるように構成されている、該使い捨て式発泡体プラットフォームと
を備えたことを特徴とするクリーニング装置。
【請求項１９】
前記把持体は、少なくとも二対のクリーニングアームを含むことを特徴とする請求項１８に記載のクリーニング装置。
【請求項２０】
前記使い捨て式発泡体プラットフォームは、前記クリーニングアームを受容するための少なくとも二対のキャビティを有することを特徴とする請求項１８に記載のクリーニング装置。
【請求項２１】
前記把持体は、前記使い捨て式発泡体プラットフォームを取り外すのを助けることができるように構成された少なくとも２つのスカラップ部を有することを特徴とする請求項１８に記載のクリーニング装置。
【請求項２２】
経腸栄養に関連して使用されるクリーニングシステムであって、
管状中空部分と、一対のキャビティを有する結合端部と、ねじ付きコネクタポートの複数の雌ねじ及び前記ねじ付きコネクタポートのボアチャンネルの外面を清掃することができるように構成されたクリーニング端部とを含む使い捨て式発泡体プラットフォームをディスペンスするための発泡体プラットフォームディスペンサハウジングと、
栄養チューブ用のねじ付きコネクタポートに関連して使用されるクリーニング装置とを備えており、
前記発泡体プラットフォームディスペンサハウジングは、複数の結合端部開口部を有する前側面と、複数のクリーニング端部開口部を有する後側面とを含み、
前記複数の結合端部開口部及び前記複数のクリーニング端部開口部は、互いに軸方向に整列され、かつディスペンスされる前記使い捨て式発泡体プラットフォームを受容することができるように構成されており、
前記クリーニング装置は、
第１の端部、第２の端部、及び前記第１の端部から前記第２の端部まで延びる長手方向軸を有する把持体であって、
前記第１の端部から上向きに延出する一対のグリップアームと、前記第２の端部から下向きに延出する一対のクリーニングアームとを含み、
前記一対のクリーニングアームは、前記把持体内に配置された枢軸ピンによって前記一対のグリップアームに枢動可能に連結されており、
前記一対のクリーニングアームは、前記一対のグリップアームに対して前記把持体の前記長手方向軸に向かう内向きの圧力を加えたときに、前記圧力が前記枢軸ピンを介して前記一対のクリーニングアームに伝達されることによって互いに離間するように構成されている、該把持体と、
前記把持体の前記長手方向軸と軸方向に整列され、前記把持体の前記第２の端部に結合され、前記ねじ付きコネクタポートのボアチャンネルの内径よりも小さい外径を有し、かつ前記一対のクリーニングアームを越えて延出する長さを有する位置合わせペグとを備え、
前記位置合わせペグは、前記把持体を前記把持体の前記長手方向軸を中心にして前記ねじ付きコネクタポートに対して回転させたときに前記使い捨て式発泡体プラットフォームの前記クリーニング端部で前記ねじ付きコネクタポートの前記複数の雌ねじ及び前記ボアチャンネルの外面を清掃することができるように、前記ねじ付きコネクタポートの前記ボアチャンネルに挿入することができるように構成されており、
前記クリーニング装置及び前記発泡体プラットフォームディスペンサハウジングは、前記把持体を前記複数の結合端部開口部のうちの１つと軸方向に整列させ、前記把持体の前記第２の端部を前記使い捨て式発泡体プラットフォームの前記結合端部に対して押圧し、前記把持体の前記一対のクリーニングアームを前記結合端部の前記一対のキャビティに係合させて前記発泡体プラットフォームの前記結合端部を前記把持体の前記第２の端部に結合させたときに、互いに協働して、前記発泡体プラットフォームディスペンサハウジングから前記クリーニング装置に前記使い捨て式発泡体プラットフォームをディスペンスするように構成されている、
ことを特徴とするクリーニングシステム。
【請求項２３】
経腸栄養に関連して使用されるクリーニングシステムであって、
ねじ付きコネクタポートと、
管状中空部分と、一対のキャビティを有する結合端部と、前記ねじ付きコネクタポートの複数の雌ねじ及び前記ねじ付きコネクタポートのボアチャンネルの外面を清掃することができるように構成されたクリーニング端部とを含む使い捨て式発泡体プラットフォームをディスペンスするための発泡体プラットフォームディスペンサハウジングと、
栄養チューブ用のねじ付きコネクタポートに関連して使用されるクリーニング装置とを備えており、
前記発泡体プラットフォームディスペンサハウジングは、複数の結合端部開口部を有する前側面と、複数のクリーニング端部開口部を有する後側面とを含み、
前記複数の結合端部開口部及び前記複数のクリーニング端部開口部は、互いに軸方向に整列され、かつディスペンスされる前記使い捨て式発泡体プラットフォームを受容することができるように構成されており、
前記クリーニング装置は、
第１の端部、第２の端部、及び前記第１の端部から前記第２の端部まで延びる長手方向軸を有する把持体であって、
前記第１の端部から上向きに延出する一対のグリップアームと、前記第２の端部から下向きに延出する一対のクリーニングアームとを含み、
前記一対のクリーニングアームは、前記把持体内に配置された枢軸ピンによって前記一対のグリップアームに枢動可能に連結されており、
前記一対のクリーニングアームは、前記一対のグリップアームに対して前記把持体の前記長手方向軸に向かう内向きの圧力を加えたときに、前記圧力が前記枢軸ピンを介して前記一対のクリーニングアームに伝達されることによって互いに離間するように構成されている、該把持体と、
前記把持体の前記長手方向軸と軸方向に整列され、前記把持体の前記第２の端部に結合され、前記ねじ付きコネクタポートのボアチャンネルの内径よりも小さい外径を有し、かつ前記一対のクリーニングアームを越えて延出する長さを有する位置合わせペグとを備え、
前記位置合わせペグは、前記把持体を前記把持体の前記長手方向軸を中心にして前記ねじ付きコネクタポートに対して回転させたときに前記使い捨て式発泡体プラットフォームの前記クリーニング端部で前記ねじ付きコネクタポートの前記複数の雌ねじ及び前記ボアチャンネルの外面を清掃することができるように、前記ねじ付きコネクタポートの前記ボアチャンネルに挿入することができるように構成されており、
前記クリーニング装置及び前記発泡体プラットフォームディスペンサハウジングは、前記把持体を前記複数の結合端部開口部のうちの１つと軸方向に整列させ、前記把持体の前記第２の端部を前記使い捨て式発泡体プラットフォームの前記結合端部に対して押圧し、前記把持体の前記一対のクリーニングアームを前記結合端部の前記一対のキャビティに係合させて前記発泡体プラットフォームの前記結合端部を前記把持体の前記第２の端部に結合させたときに、互いに協働して、前記発泡体プラットフォームディスペンサハウジングから前記クリーニング装置に前記使い捨て式発泡体プラットフォームをディスペンスするように構成されている、
ことを特徴とするクリーニングシステム。
【請求項２４】
栄養チューブ用のねじ付きコネクタポートに関連して使用されるクリーニング装置であって、
第１の端部、第２の端部、及び前記第１の端部から前記第２の端部まで延びる長手方向軸を有する把持体であって、
前記第１の端部はグリップ部分を含み、前記第２の端部は少なくとも２つのクリーニングアームを含み、
前記少なくとも２つのクリーニングアームの各々は、近位端部と、前記把持体の遠位側に位置する末端部とを有し、
前記各末端部は、前記ねじ付きコネクタポートの内側雌ねじと係合することができるように構成された高さ及び幅を有する外向きフランジを有し、
前記少なくとも２つのクリーニングアームの各々は、前記クリーニングアーム及び前記外向きフランジの長さに沿って延在する第１の外面、第２の外面、及び第３の外面を有し、
前記第１の外面は、前記クリーニングアームの前記近位端部から前記末端部まで延在し、
前記第２の外面は、前記クリーニングアームの前記末端部から前記外向きフランジの前記幅に沿って延在し、
前記第３の外面は、前記第２の外面から前記外向きフランジの前記高さに沿って延在している、該把持体と、
第１の複数の発泡体パッドであって、
前記各発泡体パッドは、前記少なくとも２つのクリーニングアームの前記第１の外面、前記第２の外面、及び前記第３の外面にそれぞれ結合され、
前記第１の複数の発泡体パッドは、前記把持体を前記ねじ付きコネクタポート内に挿入し、前記把持体を該把持体の前記長手方向軸を中心にして回転させ、前記外向きフランジから前記発泡体パッドに外向きの圧力が加えられたときに、前記ねじ付きコネクタポートの前記雌ねじを清掃することができるように構成された、該第１の複数の発泡体パッドと
を備えたことを特徴とするクリーニング装置。
【請求項２５】
前記把持体は、ねじ付きコネクタポートキャップをねじ回して取り外すときに、前記ねじ付きコネクタポートキャップの頂面と係合させることができるように構成された一対の突起部を含むことを特徴とする請求項２４に記載のクリーニング装置。
【請求項２６】
前記少なくとも２つのクリーニングアームの各クリーニングアームは、互いに異なる長さを有することを特徴とする請求項２４に記載のクリーニング装置。
【請求項２７】
第２の複数の発泡体パッドをさらに備え、
前記第２の複数の発泡体パッドの各発泡体パッドは、前記クリーニングアームの前記近位端部から前記末端部まで延在する第１の内面、及び前記クリーニングの前記末端部から前記外向きフランジの前記幅に沿って延在する第２の内面にそれぞれ結合されることを特徴とする請求項２４に記載のクリーニング装置。
【請求項２８】
栄養チューブ用のねじ付きコネクタポートに関連して使用されるクリーニング装置であって、
シーリングコネクタであって、
グリップ部分を有する本体部分と、
前記本体部分の第１の端部に設けられ、底面及び内壁面を有するキャップキャビティを含むキャップクリーニング端部と、
前記本体部分の第２の端部に設けられ、キャビティ深さ及びベース面を有するねじキャビティを含む内側ねじクリーニング端部と、
前記キャップクリーニング端部から前記内側ねじクリーニング端部まで延びる長手方向軸とを含み、
前記内側ねじクリーニング端部の前記キャビティ深さは、前記ねじ付きコネクタポートの複数の雌ねじと係合することができるように構成されている、該シーリングコネクタと、
前記シーリングコネクタの前記長手方向軸と軸方向に整列され、前記ねじキャビティの前記ベース面に結合され、かつ前記キャビティ深さ以上の長さを有する位置合わせチューブと、
前記キャップキャビティの前記内壁面及び前記ベース面を覆い、かつねじ付きコネクタポートキャップの複数の雄ねじを清掃することができるように構成された予め定められた厚さを有する内側発泡体パッドと、
外側発泡体スリーブであって、
内面及び外面を有する管状部分と、内面及び外面を有するフランジ部分とを含み、
前記管状部分の前記外面は、前記フランジ部分の前記外面と隣接し、
前記管状部分の前記内面は、前記位置合わせチューブに結合され、
前記フランジ部分の前記内面は、前記ねじキャビティの前記ベース面に結合され、
前記管状部分の前記外面は、前記本体部分を前記シーリングコネクタの前記長手方向軸を中心にして回転させたときに、前記外側発泡体スリーブを前記ねじ付きコネクタポートの前記複数の雌ねじに対して外向きに密接に接触させるとともに、前記内側発泡体パッドを前記ねじ付きコネクタポートキャップの前記複数の雄ねじに対して内向きに密接に接触させることができるような予め定められた直径を有する、該外側発泡体スリーブと
を備えたことを特徴とするクリーニング装置。
【請求項２９】
前記内側発泡体パッドは、前記シーリングコネクタの前記長手方向軸と軸方向に整列され、かつ前記ねじ付きコネクタポートキャップのキャビティを清掃することができるように構成された管状の発泡体突出部を有することを特徴とする請求項２８に記載のクリーニング装置。
【請求項３０】
前記位置合わせチューブは、前記ねじ付きコネクタポートのボアチャンネルの外面を清掃することができるように構成された内面を有することを特徴とする請求項２８に記載のクリーニング装置。
【請求項３１】
経腸栄養に関連して使用されるクリーニングシステムであって、
一連の使い捨て式容器を備えており、
前記各使い捨て式容器は、
開口部を有するキャビティを有し、前記キャビティが湿潤溶液で少なくとも部分的に満たされている収容容器と、
前記収容容器に取り付けられ、前記キャビティの前記開口部を覆うことができるように構成された除去可能な閉鎖蓋体と、
シーリングコネクタであって、
グリップ部分を有する本体部分と、
前記本体部分の第１の端部に設けられ、底面及び内壁面を有するキャップキャビティを含むキャップクリーニング端部と、
前記本体部分の第２の端部に設けられ、キャビティ深さ及びベース面を有するねじキャビティを含む内側ねじクリーニング端部と、
前記キャップクリーニング端部から前記内側ねじクリーニング端部まで延びる長手方向軸とを含み、
前記内側ねじクリーニング端部の前記キャビティ深さは、前記ねじ付きコネクタポートの複数の雌ねじと係合することができるように構成されている、該シーリングコネクタと、
前記シーリングコネクタの前記長手方向軸と軸方向に整列され、前記ねじキャビティの前記ベース面に結合され、かつ前記キャビティ深さ以上の長さを有する位置合わせチューブと、
前記キャップキャビティの前記内壁面及び前記ベース面を覆い、かつねじ付きコネクタポートキャップの複数の雄ねじを清掃することができるように構成された予め定められた厚さを有する内側発泡体パッドと、
外側発泡体スリーブであって、
内面及び外面を有する管状部分と、内面及び外面を有するフランジ部分とを含み、
前記管状部分の前記外面は、前記フランジ部分の前記外面と隣接し、
前記管状部分の前記内面は、前記位置合わせチューブに結合され、
前記フランジ部分の前記内面は、前記ねじキャビティの前記ベース面に結合され、
前記管状部分の前記外面は、前記本体部分を前記シーリングコネクタの前記長手方向軸を中心にして回転させたときに、前記外側発泡体スリーブを前記ねじ付きコネクタポートの前記複数の雌ねじに対して外向きに密接に接触させるとともに、前記内側発泡体パッドを前記ねじ付きコネクタポートキャップの前記複数の雄ねじに対して内向きに密接に接触させることができるような予め定められた直径を有する、該外側発泡体スリーブと
を備えたことを特徴とするクリーニングシステム。
【請求項３２】
栄養チューブ用のねじ付きコネクタポートに関連して使用されるシーリング装置であって、
使い捨て式ライナであって、
２つの位置決めフラップと、
頂面及び底面と、
前記頂面から前記底面まで延びる長手方向軸と、
前記長手方向軸と軸方向に整列されたライナ開口部と、
前記２つの位置決めフラップ間の距離と等しい直径とを有し、
前記２つの位置決めフラップの各々は、フラップ開口部を有し、
前記ライナ開口部は、前記ねじ付きコネクタポートのボアチャンネルの外面と係合することができるように構成された複数のテイル部を有し、
前記使い捨て式ライナの前記直径は、前記ねじ付きコネクタポート内に前記ねじ付きコネクタポートキャップまたは別のねじ付きコネクタを挿入して前記使い捨て式ライナの前記長手方向軸を中心にして回転させたときに、前記使い捨て式ライナの前記底面を前記ねじ付きコネクタポートの前記複数の雌ねじ及び前記ボアチャンネルの前記外面に対して外向きに密接に接触させるとともに、前記使い捨て式ライナの前記頂面を前記ねじ付きコネクタポートキャップまたは前記別のねじ付きコネクタの複数の雄ねじに対して内向きに密接に接触させて、前記ねじ付きコネクタポートと前記ねじ付きコネクタポートキャップまたは前記別のねじ付きコネクタとの間を密封するように、前記ねじ付きコネクタポートの複数の雌ねじ及び前記ねじ付きコネクタポートの前記ボアチャンネルの前記外面と係合することができるように構成された、該使い捨て式ライナと、
第１の端部及び第２の端部を有する配置治具であって、
前記第１の端部に把持部分を有し、前記第２の端部に２つの位置決めフィンガを有し、
前記２つの位置決めフィンガの各々は、前記把持部分の遠位側に位置する遠位端部と、前記把持部分の近位側に位置する近位端部とを有し、
前記２つの位置決めフィンガは、前記遠位端部において、前記使い捨て式ライナの前記直径よりも大きい離間距離を有し、
前記２つの位置決めフィンガはそれぞれ、前記２つの位置決めフラップに対して軸方向に整列されており、
前記２つの位置決めフィンガは、前記各遠位端部間及び前記各近位端部間に内向きの圧力を加えて前記離間距離を減少させた状態で、前記各位置決めフィンガを前記２つの位置決めフラップの前記各フラップ開口部内にそれぞれ位置させたときに、前記各フラップ開口部とそれぞれ係合することができるように構成されており、
前記２つの位置決めフィンガは、前記内向きの圧力を減少させたときに、前記使い捨て式ライナをテンションがかかった状態で保持し、かつ
前記使い捨て式ライナを前記ねじ付きコネクタポートの頂面上に位置させ、前記ライナ開口部及び前記ボアチャンネルを前記使い捨て式ライナの前記長手方向軸に沿って互いに整列させ、前記２つの位置決めフィンガの前記各遠位端部間及び前記各近位端部間に前記内向きの圧力を加えて前記離間距離を減少させて前記２つの位置決めフラップの前記フラップ開口部から前記２つの位置決めフィンガを引き出すことにより、前記使い捨て式ライナを切り離すことができるように構成されている、該配置治具と
を備えたことを特徴とするシーリング装置。
【請求項３３】
経腸栄養に関連して使用されるシーリングシステムであって、
使い捨て式ライナであって、
２つの位置決めフラップと、
頂面及び底面と、
前記頂面から前記底面まで延びる長手方向軸と、
前記長手方向軸と軸方向に整列されたライナ開口部と、
前記２つの位置決めフラップ間の距離と等しい直径とを有し、
前記２つの位置決めフラップの各々は、フラップ開口部を有し、
前記ライナ開口部は、前記ねじ付きコネクタポートのボアチャンネルの外面と係合することができるように構成された複数のテイル部を有し、
前記使い捨て式ライナの前記直径は、前記ねじ付きコネクタポート内に前記ねじ付きコネクタポートキャップまたは別のねじ付きコネクタを挿入して前記使い捨て式ライナの前記長手方向軸を中心にして回転させたときに、前記使い捨て式ライナの前記底面を前記ねじ付きコネクタポートの前記複数の雌ねじ及び前記ボアチャンネルの前記外面に対して外向きに密接に接触させるとともに、前記使い捨て式ライナの前記頂面を前記ねじ付きコネクタポートキャップまたは前記別のねじ付きコネクタの複数の雄ねじに対して内向きに密接に接触させて、前記ねじ付きコネクタポートと前記ねじ付きコネクタポートキャップまたは前記別のねじ付きコネクタとの間を密封するように、前記ねじ付きコネクタポートの複数の雌ねじ及び前記ねじ付きコネクタポートの前記ボアチャンネルの前記外面と係合することができるように構成された、該使い捨て式ライナと、
第１の端部及び第２の端部を有する配置治具であって、
前記第１の端部に把持部分を有し、前記第２の端部に２つの位置決めフィンガを有し、
前記２つの位置決めフィンガの各々は、前記把持部分の遠位側に位置する遠位端部と、前記把持部分の近位側に位置する近位端部とを有し、
前記２つの位置決めフィンガは、前記遠位端部において、前記使い捨て式ライナの前記直径よりも大きい離間距離を有し、
前記２つの位置決めフィンガはそれぞれ、前記２つの位置決めフラップに対して軸方向に整列されており、
前記２つの位置決めフィンガは、前記各遠位端部間及び前記各近位端部間に内向きの圧力を加えて前記離間距離を減少させた状態で、前記各位置決めフィンガを前記２つの位置決めフラップの前記各フラップ開口部内にそれぞれ位置させたときに、前記各フラップ開口部とそれぞれ係合することができるように構成されており、
前記２つの位置決めフィンガは、前記内向きの圧力を減少させたときに、前記使い捨て式ライナをテンションがかかった状態で保持し、かつ
前記使い捨て式ライナを前記ねじ付きコネクタポートの頂面上に位置させ、前記ライナ開口部及び前記ボアチャンネルを前記使い捨て式ライナの前記長手方向軸に沿って互いに整列させ、前記２つの位置決めフィンガの前記各遠位端部間及び前記各近位端部間に前記内向きの圧力を加えて前記離間距離を減少させて前記２つの位置決めフラップの前記フラップ開口部から前記２つの位置決めフィンガを引き出すことにより、前記使い捨て式ライナを切り離すことができるように構成されている、該配置治具と
使い捨て式ライナディスペンサであって、
フレームと、
ローラーバーと、
ライナリールとを含み、
前記ローラーバーは、前記ライナリールを受容するための第２の長手方向軸を規定し、
前記ライナリールは、ディスペンスされる先頭の前記使い捨て式ライナと、それに結合された複数の前記使い捨て式ライナを含み、
前記複数の使い捨て式ライナは、ミシン目縁部により互いに分離させることができるように構成されている、該使い捨て式ライナディスペンサと
を備えたことを特徴とするシーリングシステム。
【発明の詳細な説明】
【技術分野】
【０００１】
本開示は、概して、医療用チューブシステム及び／または医療用小口径チューブシステムで使用されるねじ付きのコネクタポート、より具体的には、チューブ送達により、栄養供給、胃減圧、残存量測定、及び／または投薬治療のためのシステムで使用される部品を清掃するためのシステム、方法、及び装置に関する。
【背景技術】
【０００２】
コネクタポートの使用は、複数の部品を用いて患者または治療を受ける他の人物または動物に１以上の種類の流体を提供または除去する様々な医療システムおいて一般的に必要とされる。このようなシステムの一例は、流体の栄養剤などを一連のチューブセグメントを介して患者に送達する経腸栄養システムである。このようなシステムでは、１または複数のコネクタを使用して、別の流体（例えば、薬剤、洗浄溶液、または別の栄養剤）を流体送達装置に導入することが望ましい。そのようなコネクタはまた、例えば、胃吸引物、還流物、または患者の胃腸管から排出されるガスを収集するための反対の流れ方向にも使用することができる。一般的に、ねじ付きのコネクタポートは、定期的なクリーニングを必要とする。栄養供給、胃減圧、残存量測定、及び／または投薬治療のための医療用チューブシステムで使用されるねじ付きのコネクタポートを清掃するための従来技術で用いられている現行のシステム及び方法は、本開示により向上させることができる。
【発明の概要】
【課題を解決するための手段】
【０００３】
本開示は、医療用チューブシステムにおけるねじ付きコネクタポートを清掃するための新規で進歩的なシステム、方法、及び装置を提供する。本開示の例示的な態様では、本開示に係る、栄養チューブ用のねじ付きコネクタポートに関連して使用されるクリーニング装置は、シーリングコネクタと、位置合わせペグと、外側発泡体スリーブとを備える。前記シーリングコネクタは、第１の端部、第２の端部、内側ねじクリーニング部分、及び長手方向軸を有する本体部分を含む。前記本体部分は、グリップ部分を有する。前記内側ねじクリーニング部分は、前記本体部分の前記第２の端部に設けられている。加えて、前記内側ねじクリーニング部分は、第１の長さを有する位置合わせチューブを含む。前記長手方向軸は、前記本体部分の前記第１の端部から前記内側ねじクリーニング部分まで延びている。前記位置合わせチューブは、前記シーリングコネクタの前記長手方向軸と軸方向に整列されている。加えて、前記位置合わせペグは、前記シーリングコネクタの前記長手方向軸と軸方向に整列され、前記本体部分の前記第２の端部に結合されている。前記位置合わせペグは、前記ねじ付きコネクタポートのボアチャンネルの内径よりも小さい外径を有する。前記外側発泡体スリーブは、内面、外面、及び第２の長さを有する管状部分を含む。前記管状部分の前記内面は、前記位置合わせチューブに結合されている。前記管状部分は、該管状部分の前記第２の長さに沿って、前記ねじ付きコネクタポートの複数の雌ねじと係合することができるように構成されている。加えて、前記管状部分の前記外面は、前記位置合わせペグを前記ねじ付きコネクタポートの前記ボアチャンネル内に挿入し、前記本体部分を前記シーリングコネクタの前記長手方向軸を中心にして回転させたときに、前記外側発泡体スリーブを前記ねじ付きコネクタポートの前記複数の雌ねじに対して外向きに密接に接触させることができるような予め定められた直径を有する。
【０００４】
上記の態様と組み合わせて使用可能な本開示の別の態様によれば、本開示に係る、経腸栄養に関連して使用されるクリーニングシステムは、栄養チューブ用のねじ付きコネクタポートに関連して使用されるクリーニング装置と、収容容器とを備えている。前記クリーニング装置は、シーリングコネクタと、位置合わせペグと、外側発泡体スリーブとを備える。前記シーリングコネクタは、第１の端部、第２の端部、内側ねじクリーニング部分、及び長手方向軸を有する本体部分を含む。前記本体部分は、グリップ部分を有する。前記内側ねじクリーニング部分は、前記本体部分の前記第２の端部に設けられている。加えて、前記内側ねじクリーニング部分は、第１の長さを有する位置合わせチューブを含む。前記長手方向軸は、前記本体部分の前記第１の端部から前記内側ねじクリーニング部分まで延びている。前記位置合わせチューブは、前記シーリングコネクタの前記長手方向軸と軸方向に整列されている。加えて、前記位置合わせペグは、前記シーリングコネクタの前記長手方向軸と軸方向に整列され、前記本体部分の前記第２の端部に結合されている。位置合わせペグは、前記ねじ付きコネクタポートのボアチャンネルの内径よりも小さい外径を有する。前記外側発泡体スリーブは、内面、外面、及び第２の長さを有する管状部分を含む。前記管状部分の前記内面は、前記位置合わせチューブに結合されている。前記管状部分は、該管状部分の前記第２の長さに沿って、前記ねじ付きコネクタポートの複数の雌ねじと係合することができるように構成されている。加えて、前記管状部分の前記外面は、前記位置合わせペグを前記ねじ付きコネクタポートの前記ボアチャンネル内に挿入し、前記本体部分を前記シーリングコネクタの前記長手方向軸を中心にして回転させたときに、前記外側発泡体スリーブを前記ねじ付きコネクタポートの前記複数の雌ねじに対して外向きに密接に接触させることができるような予め定められた直径を有する。前記収容容器は、開口部を有するキャビティを形成する側壁部及び底部を有する。前記キャビティは、キャビティ深さ及びキャビティ直径を有し、湿潤溶液で少なくとも部分的に満たされている。前記キャビティ深さは、前記位置合わせペグの長さ以上であり、前記キャビティ直径は、前記外側発泡体スリーブの外径よりも大きい。加えて、前記シーリングコネクタは、前記収容容器の前記開口部を密封することができるように構成されている。
【０００５】
上記の態様の１または複数と組み合わせて使用可能な本開示の別の態様によれば、本開示に係る、栄養チューブ用のねじ付きコネクタポートに関連して使用されるクリーニング装置は、把持体と、位置合わせペグと、使い捨て式発泡体プラットフォームとを備える。前記把持体は、第１の端部、第２の端部、及び前記第１の端部から前記第２の端部まで延びる長手方向軸を有する。前記把持体は、前記第１の端部から上向きに延出する一対のグリップアームと、前記第２の端部から下向きに延出する一対のクリーニングアームとを含む。前記一対のクリーニングアームは、前記把持体内に配置された枢軸ピンによって前記一対のグリップアームに枢動可能に連結されている。前記一対のクリーニングアームは、前記一対のグリップアームに対して前記把持体の前記長手方向軸に向かう内向きの圧力を加えたときに、前記圧力が前記枢軸ピンを介して前記一対のクリーニングアームに伝達されることによって互いに離間するように構成されている。前記位置合わせペグは、前記把持体の前記長手方向軸と軸方向に整列され、前記把持体の前記第２の端部に結合されている。前記位置合わせペグは、前記ねじ付きコネクタポートのボアチャンネルの内径よりも小さい外径を有し、かつ前記一対のクリーニングアームを越えて延出する長さを有する。前記使い捨て式発泡体プラットフォームは、前記把持体の前記第２の端部に結合されている。前記使い捨て式発泡体プラットフォームは、前記把持体の前記長手方向軸と軸方向に整列された管状部分と、前記把持体の前記第２の端部に結合された結合端部とを含む。前記結合端部は、前記一対のクリーニングアームを受容するためのキャビティを有する。前記クリーニング端部は、前記位置合わせペグを前記ねじ付きコネクタポートの前記ボアチャンネル内に挿入し、前記把持体を該把持体の前記長手方向軸を中心にして前記ねじ付きコネクタポートに対して回転させたときに、前記ねじ付きコネクタポートの複数の雌ねじ及び前記ボアチャンネルの外面を清掃することができるように構成されている。
【０００６】
上記の態様と組み合わせて使用可能な本開示の別の態様によれば、前記把持体は、少なくとも二対のクリーニングアームを含む。
【０００７】
上記の態様の１または複数と組み合わせて使用可能な本開示の別の態様によれば、前記使い捨て式発泡体プラットフォームは、前記クリーニングアームを受容するための少なくとも二対のキャビティを有する。
【０００８】
上記の態様の１または複数と組み合わせて使用可能な本開示の別の態様によれば、前記把持体は、前記使い捨て式発泡体プラットフォームを取り外すのを助けることができるように構成された少なくとも２つのスカラップ部を有する。
【０００９】
上記の態様の１または複数と組み合わせて使用可能な本開示の別の態様によれば、本開示に係る、経腸栄養に関連して使用されるクリーニングシステムは、ねじ付きコネクタポートと、栄養チューブ用のねじ付きコネクタポートに関連して使用されるクリーニング装置とを備える。前記クリーニング装置は、把持体と、位置合わせペグと、使い捨て式発泡体プラットフォームとを備える。前記把持体は、第１の端部、第２の端部、及び前記第１の端部から前記第２の端部まで延びる長手方向軸を有する。前記把持体は、前記把持体内に配置された枢軸ピンによって前記一対のクリーニングアームに枢動可能に連結された前記一対のグリップアームを含む。前記一対のクリーニングアームは、前記一対のグリップアームに対して内向きまたは外向きの圧力を加えたときに、互いに離間または接近するように構成されている。前記位置合わせペグは、前記把持体の前記第２の端部に結合されており、前記ねじ付きコネクタポートのボアチャンネルの内径よりも小さい外径を有する。前記位置合わせペグは、前記一対のクリーニングアームを越えて延出する長さを有する。使い捨て式発泡体プラットフォームは、前記把持体に結合されており、管状中空部分と、結合端部と、クリーニング端部とを含む。前記結合端部は、前記一対のクリーニングアームを受容するための一対のキャビティを有し、前記クリーニング端部は、前記ねじ付きコネクタポートの複数の雌ねじ及び前記ねじ付きコネクタポートの前記ボアチャンネルの外面を清掃することができるように構成されている。
【００１０】
上記の態様の１または複数と組み合わせて使用可能な本開示の別の態様によれば、本開示に係る、経腸栄養に関連して使用されるクリーニングシステムは、発泡体プラットフォームディスペンサハウジングと、把持体及び位置合わせペグを含むクリーニング装置とを備える。把持体は、第１の端部と、第２の端部と、前記第１の端部から前記第２の端部まで延びる長手方向軸、前記第１の端部から上向きに延出する一対のグリップアームと、前記第２の端部から下向きに延出し、前記把持体内に配置された枢軸ピンによって前記一対のグリップアームに枢動可能に連結された一対のクリーニングアームとを含む。位置合わせペグは、前記把持体の前記長手方向軸と軸方向に整列され、前記把持体の前記第２の端部に結合され、前記ねじ付きコネクタポートのボアチャンネルの内径よりも小さい外径を有し、かつ前記一対のクリーニングアームを越えて延出する長さを有する。前記位置合わせペグは、前記把持体を前記把持体の前記長手方向軸を中心にして前記ねじ付きコネクタポートに対して回転させたときに前記使い捨て式発泡体プラットフォームの前記クリーニング端部で前記ねじ付きコネクタポートの前記複数の雌ねじ及び前記ボアチャンネルの外面を清掃することができるように、前記ねじ付きコネクタポートの前記ボアチャンネルに挿入することができるように構成されている。臨床医は、把持体を回転させながら、グリップアームに圧力を加えて、一対のクリーニングアームを互いに接近または離間させることにより、使い捨て式発泡体プラットフォームの前記クリーニング端部でねじ付きコネクタポートの前記複数の雌ねじ及び前記ボアチャンネルの外面を清掃することができる。
【００１１】
前記発泡体プラットフォームディスペンサハウジングは、複数の結合端部開口部を有する前側面と、複数のクリーニング端部開口部を有する後側面とを含み、前記複数の結合端部開口部及び前記複数のクリーニング端部開口部は、互いに軸方向に整列され、かつディスペンスされる前記使い捨て式発泡体プラットフォームを受容することができるように構成されている。前記各使い捨て式発泡体プラットフォームは、管状中空部分と、結合端部と、クリーニング端部とを含む。前記結合端部は、一対のキャビティを有する。前記クリーニング端部は、前記ねじ付きコネクタポートの前記複数の雌ねじ及び前記ねじ付きコネクタポートの前記ボアチャンネルの外面を清掃することができるように構成されている。前記クリーニング装置及び前記発泡体プラットフォームディスペンサハウジングは、前記把持体を前記複数の結合端部開口部のうちの１つと軸方向に整列させ、前記把持体の前記第２の端部を前記使い捨て式発泡体プラットフォームの前記結合端部に対して押圧し、前記把持体の前記一対のクリーニングアームを前記結合端部の前記一対のキャビティに係合させて前記発泡体プラットフォームの前記結合端部を前記把持体の前記第２の端部に結合させたときに、互いに協働して、前記発泡体プラットフォームディスペンサハウジングから前記クリーニング装置に前記使い捨て式発泡体プラットフォームをディスペンスするように構成されている。
【００１２】
上記の態様の１または複数と組み合わせて使用可能な本開示の別の態様によれば、本開示に係る、経腸栄養に関連して使用されるクリーニングシステムは、ねじ付きコネクタポートと、発泡体プラットフォームディスペンサハウジングと、クリーニング装置とを備える。前記クリーニング装置は、把持体及び位置合わせペグを含む。前記把持体は、第１の端部と、第２の端部と、前記第１の端部から前記第２の端部まで延びる長手方向軸、前記第１の端部から上向きに延出する一対のグリップアームと、前記第２の端部から下向きに延出し、前記把持体内に配置された枢軸ピンによって前記一対のグリップアームに枢動可能に連結された一対のクリーニングアームとを含む。前記位置合わせペグは、前記把持体の前記長手方向軸と軸方向に整列され、前記把持体の前記第２の端部に結合され、前記ねじ付きコネクタポートのボアチャンネルの内径よりも小さい外径を有し、かつ前記一対のクリーニングアームを越えて延出する長さを有する。前記位置合わせペグは、前記把持体を前記把持体の前記長手方向軸を中心にして前記ねじ付きコネクタポートに対して回転させたときに前記使い捨て式発泡体プラットフォームの前記クリーニング端部で前記ねじ付きコネクタポートの前記複数の雌ねじ及び前記ボアチャンネルの外面を清掃することができるように、前記ねじ付きコネクタポートの前記ボアチャンネルに挿入することができるように構成されている。前記発泡体プラットフォームディスペンサハウジングは、複数の結合端部開口部を有する前側面と、複数のクリーニング端部開口部を有する後側面とを含み、前記複数の結合端部開口部及び前記複数のクリーニング端部開口部は、互いに軸方向に整列され、かつディスペンスされる前記使い捨て式発泡体プラットフォームを受容することができるように構成されている。前記各使い捨て式発泡体プラットフォームは、管状中空部分と、結合端部と、クリーニング端部とを含む。前記結合端部は、一対のキャビティを有する。前記クリーニング端部は、前記ねじ付きコネクタポートの前記複数の雌ねじ及び前記ねじ付きコネクタポートの前記ボアチャンネルの外面を清掃することができるように構成されている。前記クリーニング装置及び前記発泡体プラットフォームディスペンサハウジングは、前記把持体を前記複数の結合端部開口部のうちの１つと軸方向に整列させ、前記把持体の前記第２の端部を前記使い捨て式発泡体プラットフォームの前記結合端部に対して押圧し、前記把持体の前記一対のクリーニングアームを前記結合端部の前記一対のキャビティに係合させて前記発泡体プラットフォームの前記結合端部を前記把持体の前記第２の端部に結合させたときに、互いに協働して、前記発泡体プラットフォームディスペンサハウジングから前記クリーニング装置に前記使い捨て式発泡体プラットフォームをディスペンスするように構成されている。
【００１３】
上記の態様の１または複数と組み合わせて使用可能な本開示の別の態様によれば、本開示に係るクリーニング装置は、把持体と、第１の複数の発泡体パッドとを含む。前記把持体は、第１の端部、第２の端部、及び前記第１の端部から前記第２の端部まで延びる長手方向軸を有する。前記第１の端部はグリップ部分を含み、前記第２の端部は少なくとも２つのクリーニングアームを含む。前記少なくとも２つのクリーニングアームの各々は、近位端部と、前記把持体の遠位側に位置する末端部とを有する。前記各末端部は、前記ねじ付きコネクタポートの内側雌ねじと係合することができるように構成された高さ及び幅を有する外向きフランジを有する。前記少なくとも２つのクリーニングアームの各々は、前記クリーニングアーム及び前記外向きフランジの長さに沿って延在する第１の外面、第２の外面、及び第３の外面を有する。前記第１の外面は、前記クリーニングアームの前記近位端部から前記末端部まで延在している。前記第２の外面は、前記クリーニングアームの前記末端部から前記外向きフランジの前記幅に沿って延在している。前記第３の外面は、前記第２の外面から前記外向きフランジの前記高さに沿って延在している。前記第１の複数の発泡体パッドの前記各発泡体パッドは、前記少なくとも２つのクリーニングアームの前記第１の外面、前記第２の外面、及び前記第３の外面にそれぞれ結合されている。前記第１の複数の発泡体パッドは、前記把持体を前記ねじ付きコネクタポート内に挿入し、前記把持体を該把持体の前記長手方向軸を中心にして回転させ、前記外向きフランジから前記発泡体パッドに外向きの圧力が加えられたときに、前記ねじ付きコネクタポートの前記雌ねじを清掃することができるように構成されている。
【００１４】
上記の態様の１または複数と組み合わせて使用可能な本開示の別の態様によれば、前記把持体は、ねじ付きコネクタポートキャップをねじ回して取り外すときに、前記ねじ付きコネクタポートキャップの頂面と係合させることができるように構成された一対の突起部を含む。
【００１５】
上記の態様の１または複数と組み合わせて使用可能な本開示の別の態様によれば、前記少なくとも２つのクリーニングアームの各クリーニングアームは、互いに異なる長さを有する。
【００１６】
上記の態様の１または複数と組み合わせて使用可能な本開示の別の態様によれば、前記クリーニング装置は、第２の複数の発泡体パッドをさらに備え、前記第２の複数の発泡体パッドの各発泡体パッドは、前記クリーニングアームの前記近位端部から前記末端部まで延在する第１の内面、及び前記クリーニングの前記末端部から前記外向きフランジの前記幅に沿って延在する第２の内面にそれぞれ結合される。
【００１７】
上記の態様の１または複数と組み合わせて使用可能な本開示の別の態様によれば、本開示に係るクリーニング装置は、シーリングコネクタと、位置合わせチューブと、内側発泡体パッドと、外側発泡体スリーブとを備える。前記シーリングコネクタは、グリップ部分を有する本体部分と、前記本体部分の第１の端部に設けられ、底面及び内壁面を有するキャップキャビティを含むキャップクリーニング端部と、前記本体部分の第２の端部に設けられ、キャビティ深さ及びベース面を有するねじキャビティを含む内側ねじクリーニング端部と、前記キャップクリーニング端部から前記内側ねじクリーニング端部まで延びる長手方向軸とを含み、前記内側ねじクリーニング端部の前記キャビティ深さは、前記ねじ付きコネクタポートの複数の雌ねじと係合することができるように構成されている。前記位置合わせチューブは、前記シーリングコネクタの前記長手方向軸と軸方向に整列され、前記ねじキャビティの前記ベース面に結合され、かつ前記キャビティ深さ以上の長さを有する。前記内側発泡体パッドは、前記キャップキャビティの前記内壁面及び前記ベース面を覆い、かつねじ付きコネクタポートキャップの複数の雄ねじを清掃することができるように構成された予め定められた厚さを有する。前記外側発泡体スリーブは、内面及び外面を有する管状部分と、内面及び外面を有するフランジ部分とを含み、前記管状部分の前記外面は、前記フランジ部分の前記外面と隣接し、前記管状部分の前記内面は、前記位置合わせチューブに結合され、前記フランジ部分の前記内面は、前記ねじキャビティの前記ベース面に結合され、前記管状部分の前記外面は、前記本体部分を前記シーリングコネクタの前記長手方向軸を中心にして回転させたときに、前記外側発泡体スリーブを前記ねじ付きコネクタポートの前記複数の雌ねじに対して外向きに密接に接触させるとともに、前記内側発泡体パッドを前記ねじ付きコネクタポートキャップの前記複数の雄ねじに対して内向きに密接に接触させることができるような予め定められた直径を有する。
【００１８】
上記の態様の１または複数と組み合わせて使用可能な本開示の別の態様によれば、前記内側発泡体パッドは、前記シーリングコネクタの前記長手方向軸と軸方向に整列され、かつ前記ねじ付きコネクタポートキャップのキャビティを清掃することができるように構成された管状の発泡体突出部を有する。
【００１９】
上記の態様の１または複数と組み合わせて使用可能な本開示の別の態様によれば、前記位置合わせチューブは、前記ねじ付きコネクタポートのボアチャンネルの外面を清掃することができるように構成された内面を有する。
【００２０】
上記の態様の１または複数と組み合わせて使用可能な本開示の別の態様によれば、本開示に係るクリーニングシステムは、一連の使い捨て式容器を備えており、前記各使い捨て式容器は、収容容器と、除去可能な閉鎖蓋体と、クリーニング装置とを含んでいる。前記クリーニング装置は、シーリングコネクタと、位置合わせチューブと、内側発泡体パッドと、外側発泡体スリーブとを含んでいる。前記収容容器は、開口部を有するキャビティを有し、前記キャビティが湿潤溶液で少なくとも部分的に満たされている。前記除去可能な閉鎖蓋体は、前記収容容器に取り付けられ、前記キャビティの前記開口部を覆うことができるように構成されている。前記シーリングコネクタは、前記収容容器の前記キャビティ内に配置される。前記シーリングコネクタは、グリップ部分を有する本体部分と、前記本体部分の第１の端部に設けられ、底面及び内壁面を有するキャップキャビティを含むキャップクリーニング端部と、前記本体部分の第２の端部に設けられ、キャビティ深さ及びベース面を有するねじキャビティを含む内側ねじクリーニング端部と、前記キャップクリーニング端部から前記内側ねじクリーニング端部まで延びる長手方向軸とを含み、前記内側ねじクリーニング端部の前記キャビティ深さは、前記ねじ付きコネクタポートの複数の雌ねじと係合することができるように構成されている。前記位置合わせチューブは、前記シーリングコネクタの前記長手方向軸と軸方向に整列され、前記ねじキャビティの前記ベース面に結合され、かつ前記キャビティ深さ以上の長さを有する。前記内側発泡体パッドは、前記キャップキャビティの前記内壁面及び前記ベース面を覆い、かつねじ付きコネクタポートキャップの複数の雄ねじを清掃することができるように構成された予め定められた厚さを有する。前記外側発泡体スリーブは、内面及び外面を有する管状部分と、内面及び外面を有するフランジ部分とを含み、前記管状部分の前記外面は、前記フランジ部分の前記外面と隣接し、前記管状部分の前記内面は、前記位置合わせチューブに結合され、前記フランジ部分の前記内面は、前記ねじキャビティの前記ベース面に結合され、前記管状部分の前記外面は、前記本体部分を前記シーリングコネクタの前記長手方向軸を中心にして回転させたときに、前記外側発泡体スリーブを前記ねじ付きコネクタポートの前記複数の雌ねじに対して外向きに密接に接触させるとともに、前記内側発泡体パッドを前記ねじ付きコネクタポートキャップの前記複数の雄ねじに対して内向きに密接に接触させることができるような予め定められた直径を有する。
【００２１】
上記の態様の１または複数と組み合わせて使用可能な本開示の別の態様によれば、本開示に係るシーリング装置は、使い捨て式ライナと、配置治具とを含む。前記使い捨て式ライナは、２つの位置決めフラップと、頂面及び底面と、前記頂面から前記底面まで延びる長手方向軸と、前記長手方向軸と軸方向に整列されたライナ開口部と、前記２つの位置決めフラップ間の距離と等しい直径とを有する。前記２つの位置決めフラップの各々は、フラップ開口部を有する。前記ライナ開口部は、前記ねじ付きコネクタポートのボアチャンネルの外面と係合することができるように構成された複数のテイル部を有する。前記使い捨て式ライナの前記直径は、前記ねじ付きコネクタポート内に前記ねじ付きコネクタポートキャップまたは別のねじ付きコネクタを挿入して前記使い捨て式ライナの前記長手方向軸を中心にして回転させたときに、前記使い捨て式ライナの前記底面を前記ねじ付きコネクタポートの前記複数の雌ねじ及び前記ボアチャンネルの前記外面に対して外向きに密接に接触させるとともに、前記使い捨て式ライナの前記頂面を前記ねじ付きコネクタポートキャップまたは前記別のねじ付きコネクタの複数の雄ねじに対して内向きに密接に接触させて、前記ねじ付きコネクタポートと前記ねじ付きコネクタポートキャップまたは前記別のねじ付きコネクタとの間を密封するように、前記ねじ付きコネクタポートの複数の雌ねじ及び前記ねじ付きコネクタポートの前記ボアチャンネルの前記外面と係合することができるように構成されている。前記配置治具は、第１の端部及び第２の端部を有し、前記第１の端部に把持部分を有し、前記第２の端部に２つの位置決めフィンガを有する。前記２つの位置決めフィンガの各々は、前記把持部分の遠位側に位置する遠位端部と、前記把持部分の近位側に位置する近位端部とを有する。前記２つの位置決めフィンガは、前記遠位端部において、前記使い捨て式ライナの前記直径よりも大きい離間距離を有する。前記２つの位置決めフィンガはそれぞれ、前記２つの位置決めフラップに対して軸方向に整列されている。前記２つの位置決めフィンガは、前記各遠位端部間及び前記各近位端部間に内向きの圧力を加えて前記離間距離を減少させた状態で、前記各位置決めフィンガを前記２つの位置決めフラップの前記各フラップ開口部内にそれぞれ位置させたときに、前記各フラップ開口部とそれぞれ係合することができるように構成されている。前記２つの位置決めフィンガは、前記内向きの圧力を減少させたときに、前記使い捨て式ライナをテンションがかかった状態で保持する。前記配置治具は、前記使い捨て式ライナを前記ねじ付きコネクタポートの頂面上に位置させ、前記ライナ開口部及び前記ボアチャンネルを前記使い捨て式ライナの前記長手方向軸に沿って互いに整列させ、前記２つの位置決めフィンガの前記各遠位端部間及び前記各近位端部間に前記内向きの圧力を加えて前記離間距離を減少させて前記２つの位置決めフラップの前記フラップ開口部から前記２つの位置決めフィンガを引き出すことにより、前記使い捨て式ライナを切り離すことができるように構成されている。
【００２２】
上記の態様の１または複数と組み合わせて使用可能な本開示の別の態様によれば、本開示に係るシーリングシステムは、使い捨て式ライナと、配置治具と、使い捨て式ライナディスペンサとを備える。前記使い捨て式ライナは、２つの位置決めフラップと、頂面及び底面と、前記頂面から前記底面まで延びる長手方向軸と、前記長手方向軸と軸方向に整列されたライナ開口部と、前記２つの位置決めフラップ間の距離と等しい直径とを有する。前記２つの位置決めフラップの各々は、フラップ開口部を有する。前記ライナ開口部は、前記ねじ付きコネクタポートのボアチャンネルの外面と係合することができるように構成された複数のテイル部を有する。前記使い捨て式ライナの前記直径は、前記ねじ付きコネクタポート内に前記ねじ付きコネクタポートキャップまたは別のねじ付きコネクタを挿入して前記使い捨て式ライナの前記長手方向軸を中心にして回転させたときに、前記使い捨て式ライナの前記底面を前記ねじ付きコネクタポートの前記複数の雌ねじ及び前記ボアチャンネルの前記外面に対して外向きに密接に接触させるとともに、前記使い捨て式ライナの前記頂面を前記ねじ付きコネクタポートキャップまたは前記別のねじ付きコネクタの複数の雄ねじに対して内向きに密接に接触させて、前記ねじ付きコネクタポートと前記ねじ付きコネクタポートキャップまたは前記別のねじ付きコネクタとの間を密封するように、前記ねじ付きコネクタポートの複数の雌ねじ及び前記ねじ付きコネクタポートの前記ボアチャンネルの前記外面と係合することができるように構成されている。前記配置治具は、第１の端部及び第２の端部を有し、前記第１の端部に把持部分を有し、前記第２の端部に２つの位置決めフィンガを有する。前記２つの位置決めフィンガの各々は、前記把持部分の遠位側に位置する遠位端部と、前記把持部分の近位側に位置する近位端部とを有する。前記２つの位置決めフィンガは、前記遠位端部において、前記使い捨て式ライナの前記直径よりも大きい離間距離を有する。前記２つの位置決めフィンガはそれぞれ、前記２つの位置決めフラップに対して軸方向に整列されている。前記２つの位置決めフィンガは、前記各遠位端部間及び前記各近位端部間に内向きの圧力を加えて前記離間距離を減少させた状態で、前記各位置決めフィンガを前記２つの位置決めフラップの前記各フラップ開口部内にそれぞれ位置させたときに、前記各フラップ開口部とそれぞれ係合することができるように構成されている。前記２つの位置決めフィンガは、前記内向きの圧力を減少させたときに、前記使い捨て式ライナをテンションがかかった状態で保持する。前記配置治具は、前記使い捨て式ライナを前記ねじ付きコネクタポートの頂面上に位置させ、前記ライナ開口部及び前記ボアチャンネルを前記使い捨て式ライナの前記長手方向軸に沿って互いに整列させ、前記２つの位置決めフィンガの前記各遠位端部間及び前記各近位端部間に前記内向きの圧力を加えて前記離間距離を減少させて前記２つの位置決めフラップの前記フラップ開口部から前記２つの位置決めフィンガを引き出すことにより、前記使い捨て式ライナを切り離すことができるように構成されている。前記使い捨て式ライナディスペンサは、フレームと、ローラーバーと、ライナリールとを含む。前記ローラーバーは、前記ライナリールを受容するための第２の長手方向軸を規定する。前記ライナリールは、ディスペンスされる先頭の前記使い捨て式ライナと、それに結合された複数の前記使い捨て式ライナを含む。前記複数の使い捨て式ライナは、ミシン目縁部により互いに分離させることができるように構成されている。
【００２３】
上記の態様の１または複数と組み合わせて使用可能な本開示の別の態様によれば、本開示に係る、ねじ付きコネクタポートを清掃する方法は、使い捨て式発泡体プラットフォームをクリーニング装置に取り付けるステップと、前記使い捨て式発泡体プラットフォームを湿潤流体で湿潤させるステップと、前記クリーニング装置を前記ねじ付きコネクタポート内に挿入するステップと、前記クリーニング装置をその長手方向軸を中心にして前記ねじ付きコネクタポートに対して回転させるステップと、前記クリーニング装置を回転させながら、前記クリーニング装置のグリップアームに圧力を加えるステップと、前記ねじ付きコネクタポートから前記クリーニング装置を取り出すステップと、前記クリーニング装置から前記使い捨て式発泡体プラットフォームを取り外して廃棄するステップと、前記ねじ付きコネクタポート内に使い捨て式ライナを配置するステップと、前記ねじ付きコネクタポート内にねじ付きコネクタポートキャップまたは別のねじ付きコネクタを挿入するステップとを有する。
【００２４】
上記の態様の１または複数と組み合わせて使用可能な本開示の別の態様によれば、本開示に係る、ねじ付きコネクタポートを清掃する方法は、クリーニング装置の把持体に設けられた一対の突起部で、ねじ付きコネクタポートキャップをねじ回して前記ねじ付きコネクタポートから取り出すステップと、前記クリーニング装置に取り付けられた使い捨て式発泡体プラットフォームを湿潤流体で湿潤させるステップと、前記クリーニング装置を前記ねじ付きコネクタポート内に挿入するステップと、前記クリーニング装置をその長手方向軸を中心にして前記ねじ付きコネクタポートに対して回転させるステップと、前記ねじ付きコネクタポートから前記クリーニング装置を取り出すステップと、前記ねじ付きコネクタポート内に使い捨て式ライナを配置するステップと、前記ねじ付きコネクタポート内にねじ付きコネクタポートキャップまたは別のねじ付きコネクタを挿入するステップとを有する。
【００２５】
上記の態様の１または複数と組み合わせて使用可能な本開示の別の態様によれば、本開示に係る、ねじ付きコネクタポートを清掃する方法は、使い捨て式容器からクリーニング装置を取り出すステップと、前記クリーニング装置のシーリングコネクタの内側ねじクリーニング端部をねじ付きコネクタポート内に挿入するステップと、前記シーリングコネクタのキャップクリーニング端部内にねじ付きコネクタポートキャップを挿入するステップと、前記クリーニング装置をその長手方向軸を中心にして回転させるステップと、前記ねじ付きコネクタポートから前記クリーニング装置を取り出すステップと、前記ねじ付きコネクタポート内に使い捨て式ライナを配置するステップと、前記ねじ付きコネクタポート内に前記ねじ付きコネクタポートキャップまたは別のねじ付きコネクタを挿入するステップとを有する。
【００２６】
上記の態様の１または複数と組み合わせて使用可能な本開示の別の態様によれば、本開示に係る、ねじ付きコネクタポートを密封する方法は、配置治具で使い捨て式ライナを把持するステップと、前記使い捨て式ライナを前記ねじ付きコネクタポートの上方に位置させるステップと、前記使い捨て式ライナを前記配置治具から切り離して前記ねじ付きコネクタポートの頂面に配置するステップと、前記ねじ付きコネクタポートにねじ付きコネクタまたはねじ付きコネクタポートキャップをねじ回して取り付けて前記ねじ付きコネクタポートを密封するステップと、前記ねじ付きコネクタポートを使用するステップと、前記使い捨て式ライナを取り出して廃棄するステップとを有する。
【００２７】
本開示のシステム、方法、及び装置のさらなる特徴及び利点が、以下の詳細な説明及び添付図面に説明されており、また以下の詳細な説明及び添付図面から明らかになるであろう。
【図面の簡単な説明】
【００２８】
【図１】本開示の例示的な実施形態に係る、例示的なクリーニングシステムの斜視図
【図２Ａ】本開示の例示的な実施形態に係る、例示的なクリーニング装置の例示的な把持体及び位置合わせペグの側面図
【図２Ｂ】本開示の例示的な実施形態に係る、例示的な使い捨て式発泡体プラットフォームの斜視図
【図２Ｃ】本開示の例示的な実施形態に係る、例示的な使い捨て式発泡体プラットフォームの断面図
【図２Ｄ】本開示の例示的な実施形態に係る、例示的なクリーニングシステムの断面図
【図２Ｅ】本開示の例示的な実施形態に係る、例示的なクリーニングシステムの断面図
【図２Ｆ】本開示の例示的な実施形態に係る、例示的なクリーニング装置の斜視図
【図３】本開示の例示的な実施形態に係る、例示的なクリーニングアセンブリの斜視図
【図４Ａ】本開示の例示的な実施形態に係る、例示的なクリーニング装置の斜視図
【図４Ｂ】本開示の例示的な実施形態に係る、例示的なクリーニング装置の側面図
【図４Ｃ】本開示の例示的な実施形態に係る、例示的なクリーニング装置の例示的なクリーニングアームの拡大図
【図４Ｄ】本開示の例示的な実施形態に係る、例示的なクリーニングシステムの側面図
【図４Ｅ】本開示の例示的な実施形態に係る、例示的なクリーニングシステムの側面図
【図４Ｆ】本開示の例示的な実施形態に係る、例示的なクリーニングシステムの斜視図
【図４Ｇ】本開示の例示的な実施形態に係る、例示的なクリーニング装置の斜視図
【図５Ａ】本開示の例示的な実施形態に係る、例示的なクリーニング装置の部分拡大図
【図５Ｂ】本開示の例示的な実施形態に係る、例示的なクリーニング装置の部分拡大図
【図５Ｃ】本開示の例示的な実施形態に係る、例示的なクリーニング装置の断面図
【図５Ｄ】本開示の例示的な実施形態に係る、例示的なクリーニングシステムの斜視図
【図５Ｅ】本開示の例示的な実施形態に係る、例示的なクリーニングシステムの斜視図
【図５Ｆ】本開示の例示的な実施形態に係る、例示的なクリーニングシステムの断面図
【図５Ｇ】本開示の例示的な実施形態に係る、例示的なクリーニング装置の部分拡大図
【図５Ｈ】本開示の例示的な実施形態に係る、例示的なクリーニング装置の部分拡大図
【図５Ｉ】本開示の例示的な実施形態に係る、例示的なクリーニング装置の断面図
【図５Ｊ】本開示の例示的な実施形態に係る、例示的なクリーニングシステムの斜視図
【図５Ｋ】本開示の例示的な実施形態に係る、例示的なクリーニングシステムの斜視図
【図５Ｌ】本開示の例示的な実施形態に係る、例示的なクリーニングシステムの断面図
【図５Ｍ】本開示の例示的な実施形態に係る、例示的なクリーニングシステムの部分拡大断面図
【図６Ａ】本開示の例示的な実施形態に係る、例示的なクリーニングアセンブリの斜視図
【図６Ｂ】本開示の例示的な実施形態に係る、例示的なクリーニングアセンブリの斜視図
【図６Ｃ】本開示の例示的な実施形態に係る、例示的なクリーニングアセンブリの断面図
【図６Ｄ】本開示の例示的な実施形態に係る、例示的なクリーニングアセンブリの断面図
【図７Ａ】本開示の例示的な実施形態に係る、例示的なシーリングシステムの斜視図
【図７Ｂ】本開示の例示的な実施形態に係る、例示的なシーリングシステムの例示的な使い捨て式ライナ及びねじ付きコネクタポートの断面図
【図７Ｃ】本開示の例示的な実施形態に係る、例示的な使い捨て式ライナの斜視図
【図７Ｄ】本開示の例示的な実施形態に係る、例示的な使い捨て式ライナをねじ付きコネクタポート内に配置した状態を示す斜視図
【図７Ｅ】本開示の例示的な実施形態に係る、例示的な配置治具の斜視図
【図７Ｆ】本開示の例示的な実施形態に係る、例示的な配置治具の側面図
【図８】本開示の例示的な実施形態に係る、例示的なシーリングアセンブリの斜視図
【図９Ａ】本開示の例示的な実施形態に係る、ねじ付きコネクタポートを清掃するための例示的な方法を説明するためのフロー図
【図９Ｂ】本開示の例示的な実施形態に係る、ねじ付きコネクタポートを清掃するための例示的な方法を説明するためのフロー図
【図９Ｃ】本開示の例示的な実施形態に係る、ねじ付きコネクタポートを清掃するための例示的な方法を説明するためのフロー図
【図９Ｄ】本開示の例示的な実施形態に係る、ねじ付きコネクタポートを清掃するための例示的な方法を説明するためのフロー図
【図９Ｅ】本開示の例示的な実施形態に係る、ねじ付きコネクタポートを清掃するための例示的な方法を説明するためのフロー図
【発明を実施するための形態】
【００２９】
図１は、例示的なクリーニングシステム１００の斜視図である。図示したクリーニングシステム１００は、クリーニング装置１０２と、ねじ付きコネクタポート１０４とを備える。このクリーニング装置１０２は、使い捨て式発泡体プラットフォーム（詳細については後述する）を含む。使い捨て式発泡体プラットフォームの例示的なテクスチャは、ドットシェーディング（ドットでの影付け）により描かれている。使い捨て式発泡体プラットフォーム及び／または発泡体材料による他の実施形態では、ドットシェーディングで描く必要がないことを理解されたい。ねじ付きコネクタポート１０４は、栄養チューブ１０６に接続されている。ねじ付きコネクタポート１０４はまた、１または複数のねじ付きコネクタポートキャップ１０８ａ及び１０８ｂを含む。ねじ付きコネクタポートキャップ１０８ａ及び１０８ｂは、滑らかな外面を有するか（例えば、１０８ｂ）、または、滑り止めの刻みが付けられた要素及び／または他の把持要素を含む凸凹状の外面を有する（例えば、１０８ａ）。本明細書で説明するときは、ねじ付きコネクタポートキャップ１０８ａ及び１０８ｂは、総称するときは符号１０８で示す。各ねじ付きコネクタポートキャップ１０８は、上面１１０ａ及び１１０ｂ（以降、総称するときは符号１１８で示す）を有する。ねじ付きコネクタポートは、１または複数のリングコネクタ１１２ａ、１１２ｂ（以降、総称するときは符号１１２で示す）を有する。リングコネクタ１１２は、ねじ付きコネクタポートキャップ１０８が、ねじ付きコネクタポート１０４の周りを周方向に回動または回転することを可能にする。これにより、臨床医または患者がアクセスしやすくするために、ねじ付きコネクタポートキャップ１０８を移動または位置決めすることが容易となる。さらに、リングコネクタ１１２により、ねじ付きコネクタポートキャップ１０８はねじ付きコネクタポート１０４に保持される。ねじ付きコネクタポートキャップ１０８は、ねじ付きコネクタポート１０４及びねじ付きコネクタポートキャップ１０８の両方に結合される別の適切なコネクタを用いて、ねじ付きコネクタポート１０４に取り付けてもよいことを理解されたい。加えて、ねじ付きコネクタポートキャップ１０８は、ねじ付きコネクタポート１０４に取り付けなくてもよい。ねじ付きコネクタポート１０４は、様々な種類の医療チューブに接続することができ、ここでは、栄養チューブ１０６が一例として示されている。
【００３０】
図２Ａは、本開示の例示的な実施形態による、クリーニング装置１０２の例示的な把持体２００及び位置合わせペグ２０２の側面図である。把持体２００は、第１の端部２０４及び第２の端部２０６を有する。一対のグリップアーム２０８が、把持体２００の第１の端部２０４から上向きに延出している。この一対のグリップアーム２０８は、クリーニング装置１０２の把持性及び操作性を向上させるために、その表面に凹凸が形成されるか、または追加的な把持部材（図示せず）を含み得る。また、一対のクリーニングアーム２１０が、把持体２００の第２の端部２０６から下向きに延出している。把持体２００、一対のクリーニングアーム２１０、及び一対のグリップアーム２０８は、フレキシブル材料（例えば、ポリエチレン）から作製され得る。例えば、把持体２００、一対のクリーニングアーム２１０、及び一対のグリップアーム２０８は、単一の金型を用いて互いに同一の材料から作製してもよいし、または複数の金型を用いて互いに異なる材料から作製してもよい。上記構造体は、例えば、ポリエチレン、シリコーン、熱可塑性プラスチックなどの１または複数の材料を含み得、また、ラテックスフリーであり得る。加えて、一対のグリップアーム２０８は、一対のクリーニングアーム２１０とは異なる材料から作製され得る。例えば、一対のクリーニングアーム２１０は、例えばステンレス鋼などの金属から作製され得る。一対のクリーニングアーム２１０は、把持体２００内に配置された枢軸ピン２１２によって、一対のグリップアーム２０８に枢動可能に連結されている。例示的な実施形態では、一対のクリーニングアーム２１０、及び一対のグリップアーム２０８は、枢支点で互いに連結された一体的な部品として成形され得る。例示的な実施形態では、一対のクリーニングアーム２１０、及び一対のグリップアーム２０８は、枢支点において、ばね張力が加えられた状態で互いに連結される。例えば、一対のクリーニングアーム２１０は、ばね（図示しない）を形成するべく枢支点にらせん状に巻かれ、かつ一対のグリップアーム２０８に連続する金属ワイヤから作製され得る。金属ワイヤにおける一対のグリップアーム２０８に連続する部分は、臨床医による把持をより容易かつより快適にするために柔らかい材料で被覆され得る。
【００３１】
把持体２００は、その第１の端部２０４から第２の端部２０６まで延びる長手方向軸２６０を有する。位置合わせペグ２０２は、把持体２００の長手方向軸２６０と軸方向に整列されており、把持体２００の第２の端部２０６に結合されている。位置合わせペグ２０２は、把持体２００とは異なる材料から成形されたプラスチック体であってもよく、その場合は、接着剤、または把持体２００と動作可能に結合させることができる他の適切な固定手段を用いて把持体２００に固定される。また、位置合わせペグ２０２は、把持体２００を構成する部品の一部として成形してもよい。位置合わせペグ２０２は、外径（ＤＡ）２１４及び長さ（ＬＡ）２１６を有する。位置合わせペグ２０２の長さ（ＬＡ）２１６は、臨床医が発泡体プラットフォーム（後述する）をねじ付きコネクタポート１０４と整列させることができるように、一対のクリーニングアーム２１０を越えて延びている。位置合わせペグ２０２の長さがクリーニングアーム２１０の長さよりも大幅に短いと、臨床医がねじ付きコネクタポート１０４内でクリーニング装置１０２を位置合わせするのがより困難になることを理解されたい。しかしながら、例示的な実施形態では、位置合わせペグ２０２の長さ（ＬＡ）２１６が、クリーニングアーム２１０の長さよりも短くてもよい。例示的な実施形態では、中空の位置合わせチューブが使用され得る。
【００３２】
図２Ｂは、本開示の例示的な実施形態による、例示的な使い捨て式発泡体プラットフォーム２１８の斜視図である。図２Ｃは、図２Ｂを２Ｃ−２Ｃ線に沿って切断した、使い捨て式発泡体プラットフォーム２１８の断面図である。図２Ｂに示すように、使い捨て式発泡体プラットフォーム２１８は、管状中空部分２２０、結合端部２２２、及びクリーニング端部２２４を有する。使い捨て式発泡体プラットフォーム２１８はまた、一対のクリーニングアーム２１０を受容できるように構成された一対のキャビティ２２６を有する。例示的な実施形態では、把持体２００は、使い捨て式発泡体プラットフォーム２１８のより大きな一対のキャビティまたは複数対のキャビティにより受容される複数対のクリーニングアームを含み得る。例えば、一対のキャビティ２２６は、複数対のクリーニングアームを受容できるように構成され得る。使い捨て式発泡体プラットフォーム２１８はまた、複数対のクリーニングアームをそれぞれ受容できるように構成された、複数対のキャビティを有し得る。使い捨て式発泡体プラットフォーム２１８は、様々な材料、例えば、ポリエーテルフォーム、ポリエステルフォーム、エサフォーム、ボラーラ、連続気泡フォーム、独立気泡スポンジゴム、連続気泡スポンジゴム、セルロース、スクラバーフォーム、スポンジ、ヘチマスポンジ材料、または適切なレベルのフレキシブルさ、硬さ、及び吸収性を提供する任意の適切な材料などから作製され得る。
【００３３】
図２Ｄは、図１を２Ｄ−２Ｄ線に沿って切断した断面図であり、本開示の例示的な実施形態に係る例示的な使い捨て式発泡体プラットフォーム２１８を示す。図２Ｄに示すように、クリーニングシステム１００は、クリーニング装置１０２と、ねじ付きコネクタポート１０４とを備える。使い捨て式発泡体プラットフォーム２１８が、把持体２００の第２の端部２０６に結合されている。図２Ｄに示すように、位置合わせペグ２０２は、ねじ付きコネクタポート１０４を貫通するボアチャンネル２３０の内径（ＤＢ）２２８よりも小さい外径（ＤＡ）２１４を有する。ボアチャンネル２３０は、外面２３２を有する。ねじ付きコネクタポート１０４は、複数の雌ねじ２３４を有する。例示的な実施形態では、クリーニング装置１０２は、把持体２００の第２の端部２０６に恒久的に結合される発泡体プラットフォームを含み得る。この場合、発泡体プラットフォームは、長期間の使用（例えば、複数回のクリーニング）に適した材料から構成され得る。
【００３４】
図２Ｅは、図１を２Ｄ−２Ｄ線に沿って切断した断面図であり、本開示の例示的な実施形態に係る例示的な使い捨て式発泡体プラットフォーム２１８を示す。図２Ｅに示すように、把持体２００の一対のクリーニングアーム２１０は、一対のグリップアーム２０８に対して把持体２００の長手方向軸に向かう内向きの圧力２７０を加えることにより、互いに離間させることができる。圧力２７０は、枢軸ピン２１２を介して伝達され、一対のクリーニングアーム２１０を互いに離間させる。一対のクリーニングアーム２１０及び一対のグリップアーム２０８は、上述したように、一対のエキスパンションプライヤ（expansion pliers）のように相互作用し、一対のクリーニングアーム２１０は、一対のグリップアーム２０８に加えられた内向きの圧力に応答して互いに離間することを理解されたい。しかしながら、一対のクリーニングアーム２１０及び一対のグリップアーム２０８は、一対の従来のプライヤ（plier）のように相互作用し、一対のクリーニングアーム２１０は、一対のグリップアーム２０８に加えられた内向きの圧力に応答して互いに接近するように構成してもよい。いずれの場合でも、臨床医は、ねじ付きコネクタポート１０４内の所定の面（例えば、ボアチャンネル２３０の外面２３２及び複数の雌ねじ２３４）を清掃するために、一対のクリーニングアーム２１０を内向きまたは外向きに変位させることができる。クリーニング装置１０２は、位置合わせペグ２０２をねじ付きコネクタポート１０４のボアチャンネル２３０内に挿入することにより、ねじ付きコネクタポート１０４に対して位置合わせされる。
【００３５】
図２Ｅに示すように、使い捨て式発泡体プラットフォーム２１８のクリーニング端部２２４は、位置合わせペグ２０２をねじ付きコネクタポート１０４のボアチャンネル２３０内に挿入し、把持体２００をその長手方向軸を中心にしてねじ付きコネクタポート１０４に対して回転させたときに、ねじ付きコネクタポート１０４の複数の雌ねじ２３４を清掃することができるように構成されている。使い捨て式発泡体プラットフォーム２１８のクリーニング端部２２４はまた、位置合わせペグ２０２をねじ付きコネクタポート１０４のボアチャンネル２３０内に挿入したときに、ボアチャンネル２３０の外面２３２を清掃することができるように構成されている。臨床医は、ねじ付きコネクタポート１０４内の全ての清掃対象の表面を確実に清掃するために、必要に応じて一対のグリップアーム２０８に圧力２７０を加えることができる。例示的な実施形態では、位置合わせペグ２０２は、その表面に凹凸が形成されるか、または、その表面がねじ付きコネクタポート１０４のボアチャンネル２３０を清掃するのに適切な材料で被覆され得る。加えて、位置合わせペグ２０２は、ボアチャンネル２３０の外面２３２の周りに嵌合することができるように構成された中空チューブであり得る。また、中空チューブは、その内面に凹凸が形成されるか、またはその内面が適切なクリーニング材料で被覆され、ボアチャンネル２３０の外面２３２を清掃することができるように構成されている。例示的な実施形態では、クリーニング装置１０２は、位置合わせペグ２０２と、ボアチャンネル２３０の外面２３２の周りに嵌合することができるように構成された中空チューブとの両方を含み得る。例えば、位置合わせペグ２０２及び中空チューブの両方によって、臨床医が、クリーニング装置１０２をねじ付きコネクタポート１０４に対して位置合わせするのを助けることができる。
【００３６】
図２Ｆは、本開示の例示的な実施形態に係る例示的なクリーニング装置１０２の斜視図である。図２Ｆに示すように、把持体２００は、把持体２００から使い捨て式発泡体プラットフォーム２１８を脱離させるのを助けるように構成された少なくとも２つのスカラップ部（二枚貝の貝殻状部）２３６を有する。例えば、把持体２００の少なくとも２つのスカラップ部（scallop）２３６は、臨床医の親指及び他の指が使い捨て式発泡体プラットフォーム２１８の縁部を掴むことを可能にし、有利なことに、使い捨て式発泡体プラットフォーム２１８を取り外すための良好なてこの作用及び把持性を臨床医に提供する。したがって、有利なことに、臨床医は、別個の器具を使用することなく、自分の手で使い捨て式発泡体プラットフォーム２１８を取り外すことができる。さらに、例示的な実施形態では、使い捨て式発泡体プラットフォーム２１８は、臨床医が使い捨て式発泡体プラットフォーム２１８を取り外すのを助けるように構成された構造的要素を含み得る。例えば、使い捨て式発泡体プラットフォーム２１８は、凹凸、突起、刻み目、または、使い捨て式発泡体プラットフォーム２１８の取り外しを助けるように構成された他の把持部材を含み得る。使い捨て式発泡体プラットフォーム２１８の取り外しを助けるように構成された構造的要素は、使い捨て式発泡体プラットフォーム２１８と同一の材料から作製してもよいし、使い捨て式発泡体プラットフォーム２１８とは異なる材料から作製し、接着剤または使い捨て式発泡体プラットフォーム２１８と動作可能に結合させることができる他の適切な固定手段を用いて使い捨て式発泡体プラットフォーム２１８に固定してもよいことを理解されたい。
【００３７】
図３は、本開示の例示的な実施形態に係る例示的なクリーニングアセンブリ３００の斜視図である。図３に示すように、クリーニングアセンブリ３００は、発泡体プラットフォームディスペンサハウジング３０２を含む。発泡体プラットフォームディスペンサハウジング３０２は、前側面３０４と、後側面３０６とを有する。前側面３０４は、複数の結合端部開口部３０８を有する。後側面３０６は、複数のクリーニング端部開口部３１０を有する。複数の結合端部開口部３０８は、複数のクリーニング端部開口部３１０と軸方向に整列されている。これらの複数の開口部（３０８、３１０）は、使い捨て式発泡体プラットフォーム２１８を受容することができるように構成されている。例えば、これらの複数の開口部は、圧縮状態にある使い捨て式発泡体プラットフォーム２１８を保持することができるようなサイズを有し得る。または、これらの複数の開口部は、使い捨て式発泡体プラットフォーム２１８を、臨床医によって取り外されるまで、発泡体プラットフォームディスペンサハウジング３０２に確実に保持することができる別の固定または締結手段を使用することができる。例示的な実施形態では、発泡体プラットフォームディスペンサハウジング３０２の後側面３０６は、クリーニング端部開口部３１０を有していない。または、発泡体プラットフォームディスペンサハウジング３０２は、クリーニング端部開口部３１０を覆うキャップまたは蓋（図示しない）を有し得る。キャップまたは蓋は、発泡体プラットフォームディスペンサハウジング３０２に恒久的に結合され得る。また、キャップまたは蓋は、使い捨て式発泡体プラットフォーム２１８のクリーニング端部２２４へのアクセスを可能にするために、開くかまたは取り外すことができるように構成され得る。例えば、使い捨て式発泡体プラットフォーム２１８のクリーニング端部２２４は、外部環境から遮断されるように、発泡体プラットフォームディスペンサハウジング３０２の内側に位置される。
【００３８】
クリーニング装置１０２及び発泡体プラットフォームディスペンサハウジング３０２は、互いに協働して、発泡体プラットフォームディスペンサハウジング３０２からクリーニング装置１０２に使い捨て式発泡体プラットフォーム２１８をディスペンスすることができるように構成され得る。クリーニング装置１０２の把持体２００は、複数の結合端部開口部３０８のうちの１つと軸方向に整列させ、把持体２００の第２の端部２０６を使い捨て式発泡体プラットフォーム２１８の結合端部２２２に対して押圧することにより、結合端部２２２の一対のキャビティ２２６と係合させることができる。これにより、使い捨て式発泡体プラットフォーム２１８は、把持体２００の第２の端部２０６に結合される。発泡体プラットフォームディスペンサハウジング３０２は、臨床医が、自分の手で使い捨て式発泡体プラットフォーム２１８に触ることなく、新しい使い捨て式発泡体プラットフォーム２１８を把持体２００に取り付けることを可能にし、これにより、新しい使い捨て式発泡体プラットフォーム２１８が汚染されるリスクを軽減できることを理解されたい。適切な接着剤または結合機構を使用して、使い捨て式発泡体プラットフォーム２１８は把持体２００に動作可能に結合される。例えば、使い捨て式発泡体プラットフォーム２１８は、その結合端部２２２に対して臨床医が把持体２００を押圧したときに把持体２００と結合することができる予め塗布された接着剤を有し得る。さらに、把持体２００は、使い捨て式発泡体プラットフォーム２１８が把持体２００上でスライドすることを可能にするとともに、使い捨て式発泡体プラットフォーム２１８が把持体２００から容易に脱離することを防止するプラスチック製のリップ（lip）などの締結機構を含み得る。前記スパインは、使い捨て式発泡体プラットフォーム２１８に設けられた係合部と係合し、使い捨て式発泡体プラットフォーム２１８が把持体２００から脱離することに対する抵抗を提供することにより、使い捨て式発泡体プラットフォーム２１８が把持体２００から容易に脱離することを防止する。加えて、把持体２００は、使い捨て式発泡体プラットフォーム２１８に設けられたループ、または、使い捨て式発泡体プラットフォーム２１８が把持体２００から脱離することに対する抵抗を提供する他の材料または構造的要素と係合するフックなどの締結機構を含み得る。
【００３９】
図４Ａは、本開示の例示的な実施形態に係る例示的なクリーニング装置４０１の斜視図であり、図４Ｂは、クリーニング装置４０１の側面図である。このクリーニング装置４０１は、把持体４０２と、第１の複数の発泡体パッド４０４（例えば、４０４ａ、４０４ｂ、及び４０４ｃ）とを含む。把持体４０２は、第１の端部４０６と、第２の端部４０８とを有する。長手方向軸４８０が、把持体４０２の第１の端部４０６から把持体４０２の第２の端部４０８まで延びている。把持体４０２の第１の端部４０６は、把持部分４１０を含む。把持部分４１０は、その表面に凹凸が形成されるか、またはクリーニング装置４０１の把持性及び操作性を向上させるための追加的なグリップ部材（図示せず）を有する。把持体４０２の第２の端部４０８は、２つのクリーニングアーム４１２を含む。２つのクリーニングアーム４１２の各々は、近位端部４１４及び末端部４１６を有する。クリーニングアーム４１２の各末端部４１６は、把持体４０２の遠位側に位置している。クリーニングアーム４１２の各末端部４１６は、外向きフランジ４１８を有する。クリーニングアーム４１２の厚さは、適切なレベルのフレキシブルさ及び硬さを提供するように変更可能であることを理解されたい。例示的な実施形態では、２つのクリーニングアーム４１２は、長手方向軸４８０と一致する向きを保つとともに、ねじ付きコネクタポート１０４のオフセットねじとの係合を可能にするために互いに異なる長さを有し得る。把持体４０２は、フレキシブルな材料（例えば、ポリエチレン）から作製され得る。例えば、把持体４０２、把持部分４１０、及び２つのクリーニングアーム４１２は、単一の金型を用いて互いに同一の材料から作製してもよいし、または複数の金型を用いて互いに異なる材料から作製してもよい。上記構造体は、例えば、ポリエチレン、シリコーン、熱可塑性プラスチックなどの１または複数の材料を含み得、また、ラテックスフリーであり得る。
【００４０】
図４Ｃは、本開示の例示的な実施形態に係る例示的なクリーニング装置４０１の拡大図である。各クリーニングアーム４１２は、外向きフランジ４１８を有している。外向きフランジ４１８は、高さ（ＨＦ）４２０及び幅（ＷＦ）４２２を有する。例示的な実施形態では、クリーニングアーム４１２の長さ、外向きフランジ４１８の高さ（ＨＦ）４２０、及び外向きフランジ４１８の幅（ＷＦ）４２２は、用途に応じて異なり得る。２つのクリーニングアーム４１２の各々は、第１の外面４２４と、第２の外面４２６と、第３の外面４２８とを有する。第１の外面４２４は、クリーニングアーム４１２の近位端部４１４からクリーニングアーム４１２の末端部４１６まで延在している。第２の外面４２６は、クリーニングアーム４１２の末端部４１６から、外向きフランジ４１８の幅（ＷＦ）４２２に沿って延在している。第３の外面４２８は、第２の外面４２６から、外向きフランジ４１８の高さ（ＨＦ）４２０に沿って延在している。第１の複数の発泡体パッド４０４ａ、４０４ｂ、及び４０４ｃは、各クリーニングアーム４１２の第１の外面４２４、第２の外面４２６、及び第３の外面４２８にそれぞれ結合される。以降、複数の発泡体パッド４０４ａ、４０４ｂ、及び４０４ｃは、総称するときは符号４０４で示す。別の実施形態では、クリーニング装置４０１は、第２の複数の発泡体パッド４３０ａ及び４３０ｂ（以降、総称するときは符号４３０で示す）を含む。第２の複数の発泡体パッド４３０の各発泡体パッドは、クリーニングアーム４１２の第１の内面４３２及び第２の内面４３４にそれぞれ結合される。第１の内面４３２は、クリーニングアーム４１２の近位端部４１４からクリーニングアーム４１２の末端部４１６まで延在している。第２の内面４３４は、クリーニングアーム４１２の末端部４１６から、外向きフランジ４１８の幅（ＷＦ）４２２に沿って延在している。例示的な実施形態では、第１の複数の発泡体パッド４０４及び／または第２の複数の発泡体パッド４３０は、クリーニングアーム４１２の全長にわたって延在するか、または、用途に応じてクリーニングアーム４１２の長さ方向の一部にのみ延在し得る。第１の複数の発泡体パッド４０４及び／または第２の複数の発泡体パッド４３０は、様々な材料、例えば、ポリエーテルフォーム、ポリエステルフォーム、エサフォーム、ボラーラ、連続気泡フォーム、独立気泡スポンジゴム、連続気泡スポンジゴム、セルロース、スクラバーフォーム、スポンジ、ヘチマスポンジ材料、または適切なレベルのフレキシブルさ、硬さ、及び吸収性を提供する任意の適切な材料などから作製され得る。さらに、例示的な実施形態では、クリーニングアーム４１２は、各クリーニングアーム４１２上をスライドする発泡体スリーブ（図示せず）で覆われる。別の実施形態では、クリーニングアーム４１２は、その表面に凹凸が形成されるか、または、その表面がねじ付きコネクタポート１０４の雌ねじ４３６を清掃するのに適切な材料で被覆され得る。
【００４１】
クリーニング装置４０１は、上記の位置合わせペグ２０２と同様の位置合わせペグ（図示せず）を含み得る。また、クリーニング装置４０１の位置合わせペグは、その表面に凹凸が形成されるか、または、その表面がねじ付きコネクタポート１０４のボアチャンネル２３０を清掃するのに適切な材料で被覆され得る。加えて、クリーニング装置４０１の位置合わせペグ（図示せず）は、ボアチャンネル２３０の外面２３２の周りに嵌合することができるように構成された中空チューブであり得る。また、中空チューブは、その内面に凹凸が形成されるか、またはその内面が適切なクリーニング材料で被覆されており、ボアチャンネル２３０の外面２３２を清掃することができるように構成されている。例示的な実施形態では、把持体４０２は、１つのクリーニングアームを有する。例えば、クリーニング装置４０１は、１つの位置合わせペグまたはチューブと、１つのクリーニングアームを有する１つの把持体４０２とを含み得る。例示的な実施形態では、把持体４０２は、３つ以上のクリーニングアーム４１２を有し得る。例えば、３つ以上のクリーニングアーム４１２は、互いに等距離で離間して配置され得る。別の実施形態では、把持体４０２は、二対以上のクリーニングアーム４１２を有し得る。二対以上のクリーニングアーム４１２における各対のクリーニングアーム４１２は、クリーニング装置４０１が、把持体４０２が等間隔で配置された３つ以上のクリーニングアーム４１２を有する実施形態よりも平坦な外形（輪郭）を有することができるように、互いに密接してグループ化され得る。
【００４２】
図４Ｄ及び図４Ｅは、本開示の例示的な実施形態に係る例示的なクリーニングシステム４００の断面図である。外向きフランジ４１８の高さ（ＨＦ）４２０と幅（ＷＦ）４２２は、ねじ付きコネクタポート１０４の雌ねじ４３６と係合することができるように構成されている。第１の複数の発泡体パッド４０４は、ねじ付きコネクタポート１０４内に把持体４０２を挿入し、把持体４０２をその長手方向軸を中心にして回転させたときに、外向きフランジ４１８から外向きの圧力４７０が加えられることにより、ねじ付きコネクタポート１０４の雌ねじ４３６を清掃することができるように構成されている。例示的な実施形態では、把持体４０２は、ねじ付きコネクタポート１０４の内面に対して外向きの圧力４７０を加えることができるように、クリーニングアーム４１２が予めテンションが付加された状態となるように成形される。また、雌ねじ４３６は、外向きフランジ４１８の高さ（ＨＦ）４２０及び／または幅（ＷＦ）４２２よりも大きく、かつ未圧縮状態の複数の発泡体パッド４０４よりも小さいサイズであり得る。したがって、複数の発泡体パッド４０４は、それが圧縮状態にあるときに、雌ねじ４３６内に緊密に嵌合され、雌ねじ４３６に対して全ての方向から圧力を加えることができるサイズを有し得る。そのため、有利なことに、臨床医は、把持体４０２をねじ付きコネクタポート１０４内に挿入し、クリーニングアーム４１２を動作させることなく、クリーニング装置４０１を把持体４０２の長手方向軸４８０を中心にして回転させることができる。
【００４３】
図４Ｆに示す例示的な実施形態では、クリーニング装置４０１の把持体４０２は、一対の突起部（cleat）４３８を含む。一対の突起部４３８は、ねじ付きコネクタポートキャップ１０８を回転させて取り外すのを助けるために、ねじ付きコネクタポートキャップ１０８の頂面１１０と係合することができるように構成されている。ねじ付きコネクタポートキャップ１０８を回転させて取り外すのを助けるように構成された二対の突起部４３８を設けてもよいことを理解されたい。一対の突起部４３８は、単一の金型を用いて互いに同一の材料から作製してもよいし、または複数の金型を用いて互いに異なる材料から作製してもよい。上記構造体は、例えば、ポリエチレン、シリコーン、熱可塑性プラスチックなどの１または複数の材料を含み得、また、ラテックスフリーであり得る。一対の突起部４３８は、把持体４０２とは異なる材料から成形されたプラスチック体であってもよく、その場合は、接着剤、または把持体４０２と動作可能に結合させることができる他の適切な固定手段を用いて把持体４０２に固定される。
【００４４】
図４Ｇに示す例示的な実施形態では、クリーニング装置４０１は、位置合わせペグ４８２を含み得る。位置合わせペグ４８２は、把持体４０２の長手方向軸４８０と軸方向に整列されている。位置合わせペグ４８２は、把持体４０２とは異なる材料から成形されたプラスチック体であってもよく、その場合は、接着剤、または把持体４０２と動作可能に結合させることができる他の適切な固定手段を用いて把持体４０２に固定される。また、位置合わせペグ４８２は、把持体２００を構成する部品の一部として成形してもよい。位置合わせペグ４８２は、外径及び長さを有する。位置合わせペグ４８２の長さは、各クリーニングアーム４１１の末端部４１６を越えて延びている。位置合わせペグ４８２の長さがクリーニングアーム４１２の長さよりも大幅に短いと、臨床医がねじ付きコネクタポート１０４内でクリーニング装置４０１を位置合わせするのがより困難になることを理解されたい。例示的な実施形態では、中空の位置合わせチューブが使用され得る。
【００４５】
例示的な実施形態では、位置合わせペグ４８２は、その表面に凹凸が形成されているか、または、その表面がねじ付きコネクタポート１０４のボアチャンネル２３０を清掃するのに適切な材料で被覆されている。加えて、位置合わせペグ４８２は、ボアチャンネル２３０の外面２３２の周りに嵌合することができるように構成された中空チューブであり得る。また、中空チューブは、その内面に凹凸が形成されるか、またはその内面が適切なクリーニング材料で被覆され、ボアチャンネル２３０の外面２３２を清掃することができるように構成されている。例示的な実施形態では、クリーニング装置４０１は、（例えば図４Ｇに示すような）位置合わせペグ４８２と、ボアチャンネル２３０の外面２３２の周りに嵌合することができるように構成された中空チューブとの両方を含み得る。例えば、位置合わせペグ４８２と中空チューブとの両方によって、臨床医が、クリーニング装置１０２をねじ付きコネクタポート１０４に対して位置合わせするのを助けることができる。
【００４６】
図５Ａ及び図５Ｂは、本開示の例示的な実施形態に係るクリーニング装置５０２ａの拡大部分斜視図である。クリーニング装置５０２ａは、シーリングコネクタ５０４ａと、位置合わせチューブ５０６と、内側発泡体パッド５０８と、外側発泡体スリーブ５１０とを含む。シーリングコネクタ５０４ａは、図５Ａの５Ｃ−５Ｃ線に沿って切断したクリーニング装置５０２ａの断面図である図５Ｃに詳細に示す。シーリングコネクタ５０４ａは、クリーニング（清掃）中にねじ付きコネクタポート１０４内に異物が侵入するのを防ぐために、クリーニング領域（例えば、ねじ付きコネクタポート１０４のボアチャンネル２３０と雌ねじ４３６との間の領域）をシール（密封）する。例えば、シーリングコネクタ５０４ａは、ねじ付きコネクタポート１０４のボアチャンネル２３０の周りに嵌合される。加えて、外側発泡体スリーブ５１０は、クリーニング中にクリーニング領域内に異物が侵入するのを防ぐために、クリーニング領域と外部環境との間をシールする。シーリングコネクタ５０４ａは、ねじ付きコネクタポート１０４との間の動作可能なまたは気密的なシールを形成する必要がないことを理解されたい。例えば、シーリングコネクタ５０４ａによるシールは、デブリバリヤとしての役割を果たす。シーリングコネクタ５０４ａは、本体部分５１２、キャップクリーニング端部５１４、内側ねじクリーニング端部５１６、及び長手方向軸５１８を含む。シーリングコネクタ５０４ａの本体部分５１２は、キャップクリーニング端部５１４と内側ねじクリーニング端部５１６との間に設けられたグリップ部分５２０を有する。グリップ部分５２０は、その表面に凹凸が形成されているか、または、シーリングコネクタ５０４ａと同一または異なる材料から作製されたグリップ部材を含み得る。あるいは、グリップ部分５２０は、その表面に凹凸が形成されていなくても、グリップ部材を含んでいなくてもよい。基本的には、グリップ部分５２０は、臨床医が、クリーニング装置５０２ａを把持して使用する（例えば回転させる）ことができればよい。シーリングコネクタ５０４ａのキャップクリーニング端部５１４は、本体部分５１２の一方の端部に設けられる。キャップクリーニング端部５１４は、底面５２８及び内壁面５３０を有するキャップキャビティ５２６を含む。シーリングコネクタ５０４ａの内側ねじクリーニング端部５１６は、本体部分５１２の他方の端部に設けられる。内側ねじクリーニング端部５１６は、キャビティ深さ（ＤＣ）５３４及びベース面５３６を有するねじキャビティ５３２を含む。シーリングコネクタ５０４ａの長手方向軸５１８は、シーリングコネクタ５０４ａのキャップクリーニング端部５１４から内側ねじクリーニング端部５１６まで延びている。内側ねじクリーニング端部５１６のキャビティ深さ（ＤＣ）５３４は、ねじ付きコネクタポート１０４の複数の雌ねじ２３４と係合することができるように構成されている。例示的な実施形態では、クリーニング装置５０２ａはまた、上記した位置合わせペグ２０２と同様の位置合わせペグを含み得る。
【００４７】
図５Ｄ及び図５Ｅは、本開示の例示的な実施形態に係る例示的なクリーニングシステム５００ａの斜視図である。クリーニングシステム５００ａの断面図は、図５Ｅの５Ｆ−５Ｆ線に沿って切断した断面図である図５Ｆに示されている。クリーニングシステム５００ａは、クリーニング装置５０２ａと、ねじ付きコネクタポート１０４とを含む。クリーニング装置５０２ａは、図５Ａ、図５Ｂ、及び図５Ｃに示した通りである。クリーニング装置５０２ａの位置合わせチューブ５０６は、シーリングコネクタ５０４の長手方向軸５１８と軸方向に整列され、ねじキャビティ５３２のベース面５３６に結合されている。位置合わせチューブ５０６は、キャビティ深さ（ＤＣ）５３４と等しいかまたはそれよりも大きい長さ（ＬＴ）５３８を有し得る。位置合わせチューブ５０６は、シーリングコネクタ５０４ａの本体部分５１２とは異なる材料から成形されたプラスチック体であってもよく、その場合は、接着剤、またはシーリングコネクタ５０４ａと動作可能に結合させることができる他の適切な固定手段を用いてシーリングコネクタ５０４ａに固定される。また、位置合わせチューブ５０６は、シーリングコネクタ５０４ａの本体部分５１２を構成する部品の一部として成形してもよい。例示的な実施形態では、内側発泡体パッド５０８は、キャップキャビティ５２６の内壁面５３０と、キャップキャビティ５２６の底面５２８との両方を被覆する。内側発泡体パッド５０８は、ねじ付きコネクタポートキャップ１０８の複数の雄ねじ５８０ａ、５８０ｂ、５８０ｃを清掃することができるように構成された予め定められた厚さ（ＴＰ）５４０を有し得る。本明細書で説明するとき、複数の雄ねじは、総称するときは符号５８０で示す。例えば、内側発泡体パッド５０８の予め定められた厚さ（ＴＰ）５４０は、内側発泡体パッド５０８が圧縮状態にあるときに、複数の雄ねじ５８０の周りの空間を埋めることができ、複数の雄ねじ５８０に対して全ての方向から内向きの圧力を加えることができる厚さであり得る。内側発泡体パッド５０８は、様々な材料、例えば、ポリエーテルフォーム、ポリエステルフォーム、エサフォーム、ボラーラ、連続気泡フォーム、独立気泡スポンジゴム、連続気泡スポンジゴム、セルロース、スクラバーフォーム、スポンジ、ヘチマスポンジ材料、または適切なレベルのフレキシブルさ、硬さ、及び吸収性を提供する任意の適切な材料などから作製され得る。
【００４８】
例示的な実施形態では、外側発泡体スリーブ５１０は、管状部分５４２と、フランジ部分５４４とを有し得る。管状部分５４２は、内面５４６及び外面５４８を有する。フランジ部分５４４は、内面５５０及び外面５５２を有する。管状部分５４２の外面５４８は、フランジ部分５４４の外面５５２に隣接している。管状部分５４２の内面５４６は、位置合わせチューブ５０６に結合され、フランジ部分５４４の内面５５０は、ねじキャビティ５３２のベース面５３６に結合され得る。外側発泡体スリーブ５１０は、様々な材料、例えば、ポリエーテルフォーム、ポリエステルフォーム、エサフォーム、ボラーラ、連続気泡フォーム、独立気泡スポンジゴム、連続気泡スポンジゴム、セルロース、スクラバーフォーム、スポンジ、ヘチマスポンジ材料、または適切なレベルのフレキシブルさ、硬さ、及び吸収性を提供する任意の適切な材料などから作製され得る。医療用チューブシステムで使用される、ねじ付きコネクタポート１０４を含むコネクタの多くは、オーバーフローした流体をコネクタポート及びそのねじ内にトラップすることを理解されたい。これらのコネクタは、ユーザから要求される衛生基準を確実に満たすことができるように、使用間に頻繁に清掃する必要がある。ねじ付きコネクタポート１０４を清掃するための一般的な方法は、ねじ付きコネクタポート１０４を洗浄液で洗い流すことである。しかしながら、この方法は、オーバーフローした流体の残った溶液またはデブリが洗い流されて栄養チューブに戻されるリスクが高くなる。内側発泡体パッド５０８及び／または外側発泡体スリーブ５１０を連続気泡フォーム及び／またはヘチマスポンジ材料から構成することにより、有利なことに、清掃されたねじ付きコネクタポート１０４及び／またはねじ付きコネクタポートキャップ１０８あるいは別のねじつきコネクタから洗浄されたデブリまたは粒子を、連続気泡またはヘチマスポンジの繊維性マトリックス内に捕らえることができ、これにより、クリーニング装置５０２ａを取り外したときに、デブリが存在しない状態にすることができる。また、有利なことに、デブリが洗い流されて栄養チューブに戻されるリスクを排除することができる。
【００４９】
管状部分５４２の外面５４８は、シーリングコネクタ５０４ａの長手方向軸５１８を中心にして本体部分５１２を回転させたときに、外側発泡体スリーブ５１０をねじ付きコネクタポート１０４の複数の雌ねじ２３４に対して外向きに密接に接触させることができるような予め定められた直径（ＤＰ）５５４を有する。例えば、管状部分５４２の外面５４８の予め定められた直径（ＤＰ）５５４は、外側発泡体スリーブ５１０が圧縮状態にあるときに、複数の雌ねじ２３４に対して全ての方向から圧力を加えることができるような大きさであり得る。外側発泡体スリーブ５１０は、複数の雌ねじ２３４と接触したときに、その複数の雌ねじ２３４に対して外向きに密接に接触させられる。外側発泡体スリーブ５１０により加えられる圧力は、外側発泡体スリーブ５１０が複数の雌ねじ２３４に対して密接に接触して十分に清掃する（スクラブする）ことを可能にする圧力であることが好ましい。また、外側発泡体スリーブ５１０がねじ付きコネクタポート１０４の複数の雌ねじ２３４を清掃するときに、それと同時に、内側発泡体パッド５０８は、ねじ付きコネクタポートキャップ１０８の複数の雄ねじ５８０に対して内向きに密接に接触させられる。したがって、有利なことに、ねじ付きコネクタポート１０４と、ねじ付きコネクタポートキャップ１０８または別のねじ付きコネクタとを同時に清掃することができ、これにより、臨床医の貴重な時間を節約することが可能となる。
【００５０】
位置合わせチューブ５０６は、ねじ付きコネクタポート１０４のボアチャンネル２３０の外面２３２を清掃することができるように構成された凹凸状の内面を有し得る。例示的な実施形態では、クリーニング装置５０２ａはまた、位置合わせペグ２０２と同様の位置合わせペグを含み得る。この位置合わせペグは、位置合わせチューブ５０６と同軸的に整列されるように構成され、臨床医が、ねじ付きコネクタポート１０４内で外側発泡体スリーブ５１０の全長を位置合わせするのを可能にする長さを有している。位置合わせペグをねじ付きコネクタポート１０４のボアチャンネル２３０内に挿入することにより、クリーニング装置５０２ａを、ねじ付きコネクタポート１０４に対して位置合わせすることができる。位置合わせペグは、位置合わせチューブ５０６よりも短い、長い、または同一の長さを有し得る。例示的な実施形態では、位置合わせペグは、その表面に凹凸が形成されるか、または、その表面がねじ付きコネクタポート１０４のボアチャンネル２３０を清掃するのに適切な材料で被覆され得る。同様に、クリーニング装置５０２ａは、位置合わせチューブ５０６を、ボアチャンネル２３０の外面２３２の周りに挿入することにより、ねじ付きコネクタポート１０４内で位置合わせすることができる。
【００５１】
加えて、キャップキャビティ５２６の内側発泡体パッド５０８は、シーリングコネクタ５０４ａの長手方向軸５１８と軸方向に整列され、ねじ付きコネクタポートキャップ１０８のキャビティ５８２を清掃することができるように構成された管状の発泡体突出部（図示せず）を有し得る。この管状の発泡体突出部は、様々な材料、例えば、ポリエーテルフォーム、ポリエステルフォーム、エサフォーム、ボラーラ、連続気泡フォーム、独立気泡スポンジゴム、連続気泡スポンジゴム、セルロース、スクラバーフォーム、スポンジ、ヘチマスポンジ材料、または適切なレベルのフレキシブルさ、硬さ、及び吸収性を提供する任意の適切な材料などから作製され得る。加えて、キャップキャビティ５２６は、ねじ付きコネクタポートキャップ１０８のキャビティ５８２内に緊密に嵌合させることができるように構成されたクリーニングペグ（図示せず）を有し得る。このクリーニングペグは、その表面に凹凸が形成されるか、または、その表面がねじ付きコネクタポート１０４のボアチャンネル２３０を清掃するのに適切な材料で被覆され得る。
【００５２】
図５Ｇ及び図５Ｈは、本開示の例示的な実施形態に係るクリーニング装置５０２ｂの拡大部分斜視図である。クリーニング装置５０２ｂは、シーリングコネクタ５０４ｂと、位置合わせペグ５６８と、外側発泡体スリーブ５７４とを含む。シーリングコネクタ５０４ｂは、図５Ｇの５Ｉ−５Ｉ線に沿って切断したクリーニング装置５０２ｂ断面図である図５Ｉに詳細に示す。シーリングコネクタ５０４ｂは、第１の端部５５６及び第２の端部５５８を有する本体部分５２４と、内側ねじクリーニング部分５６２と、長手方向軸５６６とを有する。シーリングコネクタ５０４ｂの長手方向軸５６６は、シーリングコネクタ５０４ｂの第１の端部５５６から、シーリングコネクタ５０４ｂの内側ねじクリーニング部分５６２まで延びている。シーリングコネクタ５０ｂは、クリーニング中にねじ付きコネクタポート１０４内に異物が侵入するのを防ぐために、クリーニング領域（例えば、ねじ付きコネクタポート１０４のボアチャンネル２３０と雌ねじ４３６との間の領域）をシールする。例えば、内側ねじクリーニング部分５６２及び位置合わせペグ５６８によって、ねじ付きコネクタポート１０４のボアチャンネル２３０とクリーニング領域とをシールすることができる。外側発泡体スリーブ５７４は、クリーニング中にクリーニング領域内に異物が侵入するのを防ぐために、クリーニング領域と外部環境との間をシールする。シーリングコネクタ５０４ｂは、ねじ付きコネクタポート１０４との間の動作可能なまたは気密的なシールを形成する必要がないことを理解されたい。例えば、シーリングコネクタ５０４ｂによるシールは、デブリバリヤとしての役割を果たす。
【００５３】
シーリングコネクタ５０４ｂの本体部分５２４は、その第１の端部５５６と第２の端部５５７との間に設けられたグリップ部分５６０を含み得る。グリップ部分５６０は、その表面に凹凸が形成され得るか、または、シーリングコネクタ５０４ｂと同一または異なる材料から作製されたグリップ部材を含み得る。あるいは、グリップ部分５６０は、その表面に凹凸が形成されていなくても、グリップ部材を含んでいなくてもよい。基本的には、グリップ部分５６０は、臨床医が、クリーニング装置５０２ｂを把持して使用する（例えば回転させる）ことができればよい。例示的な実施形態では、本体部分５２４は、内壁面及びベース面を有するキャビティ５９８を含み得る。キャビティ５９８は、追加的なグリップ面を提供し得る。加えて、キャビティ５９８は、ねじ付きコネクタポートキャップ１０８の複数の雄ねじ５８０ａ、５８０ｂ、及び５８０ｃを清掃することができるように構成された、上記の内側発泡体パッド５０８と同様の内側発泡体パッドを含み得る。シーリングコネクタ５０４ｂの内側ねじクリーニング部分５６２は、本体部分５２４の第２の端部５５８に設けられる。例示的な実施形態では、内側ねじクリーニング部分５６２は、位置合わせチューブ５６４を含み得る。位置合わせチューブ５６４は、長さ（ＬＬＴ２）５９０を有する。クリーニング装置５０２ｂの位置合わせチューブ５６４は、シーリングコネクタ５０４ｂの長手方向軸と整列され、シーリングコネクタ５０４ｂの第２の端部５５８に結合され得る。位置合わせチューブ５６４は、有利なことに、外側発泡体スリーブ５７４（詳細については後述する）を支持する。外側発泡体スリーブ５７４による清掃の効果を最大化するためには、圧縮状態にある外側発泡体スリーブ５７４を雌ねじ４３６に対して緊密に嵌合させて、雌ねじ４３６に対して全ての方向から圧力を加える必要があることを理解されたい。例えば、このことは、外側発泡体スリーブ５７４として、圧縮して雌ねじ４３６の周りに緊密に嵌合させることができる柔軟な材料を選択するとともに、外側発泡体スリーブ５７４を硬い裏当て材（例えば、位置合わせチューブ５６４）で支持して、外側発泡体スリーブ５７４が雌ねじ４３６に対して全ての方向から圧力を加えることができるようにすることにより実現することができる。例示的な実施形態では、位置合わせチューブを使用せず、より硬い外側発泡体スリーブ５７４を使用してもよい。この場合、より硬い外側発泡体スリーブ５７４は、位置合わせと清掃との両方の役割を果たすことができる。
【００５４】
外側発泡体スリーブ５７４は、管状部分５７６を含む。管状部分５７６は、内面５７８、外面５８４、及び長さ（ＬＦＳ）５８６を有する。例示的な実施形態では、位置合わせチューブ５６４の長さ（ＬＬＴ２）５９０は、管状部分５７６の長さ（ＬＦＳ）５８６と等しくあり得る。別の実施形態では、位置合わせチューブ５６４の長さ（ＬＬＴ２）５９０は、管状部分５７６の長さ（ＬＦＳ）５８６よりも短いか、または管状部分５７６の長さ（ＬＦＳ）５８６よりも長くあり得る。例示的な実施形態では、位置合わせチューブ５６４は、シーリングコネクタ５０４ｂの本体部分５２４とは異なる材料から成形されたプラスチック体であってもよく、その場合は、接着剤、またはシーリングコネクタ５０４ｂと動作可能に結合させることができる他の適切な固定手段を用いてシーリングコネクタ５０４ｂに固定される。また、位置合わせチューブ５６４は、シーリングコネクタ５０４ｂの本体部分５２４を構成する部品の一部として成形してもよい。位置合わせチューブ５６４は、ねじ付きコネクタポート１０４のボアチャンネル２３０の外面２３２を清掃することができるように構成された内面を有し得る。例えば、位置合わせチューブ５６４は、ボアチャンネル２３０の外面２３２の周りに嵌合し、外面２３２と接触することができる内径（ＤＬＴ）５９４を有し得る。例示的な実施形態では、位置合わせチューブ５６４の内面は、凹凸が形成されているか、または、その内面がボアチャンネル２３０の外面２３２の清掃を可能にする任意の適切な材料で被覆され得る。
【００５５】
管状部分５７６の外側発泡体スリーブ５７４は、管状部分５７６の長さ（ＬＦＳ）５８６に沿って、ねじ付きコネクタポート１０４の複数の雌ねじ２３４と係合することができるように構成されている。加えて、管状部分５７６の外面５８４は、シーリングコネクタ５０４ｂの長手方向軸５６６を中心にして本体部分５２４を回転させたときに、ねじ付きコネクタポート１０４の複数の雌ねじ２３４に対して外向きに密接に接触させることができるような予め定められた直径（ＤＴＰ）５８８を有する。例えば、管状部分５７６の外面５８４の予め定められた直径（ＤＴＰ）５８８は、外側発泡体スリーブ５７４が圧縮状態にあるときに、複数の雌ねじ２３４に対して全ての方向から圧力を加えることができるような大きさであり得る。外側発泡体スリーブ５７４は、複数の雌ねじ２３４と接触したときに、その複数の雌ねじ２３４に対して密接に接触する。外側発泡体スリーブ５７４により加えられる圧力は、外側発泡体スリーブ５７４が複数の雌ねじ２３４に対して密接に接触して十分に清掃する（スクラブする）ことを可能にする圧力であることが好ましい。
【００５６】
例示的な実施形態では、シーリングコネクタ５０４ｂの本体部分５２４は、キャビティ５９８を有し得る。加えて、キャビティ５９８は、上記の内側発泡体パッド５０８と同様の内側発泡体パッドを含み得る。内側発泡体パッド５０８は、外側発泡体スリーブ５７４がねじ付きコネクタポート１０４の複数の雌ねじ２３４を清掃するときに、ねじ付きコネクタポートキャップ１０８の複数の雄ねじ５８０に対して内向きに密接に接触させられる。したがって、有利なことに、ねじ付きコネクタポート１０４と、ねじ付きコネクタポートキャップ１０８または別のねじ付きコネクタとを同時に清掃することができ、これにより、臨床医の貴重な時間を節約することが可能となる。
【００５７】
外側発泡体スリーブ５７４は、様々な材料、例えば、ポリエーテルフォーム、ポリエステルフォーム、エサフォーム、ボラーラ、連続気泡フォーム、独立気泡スポンジゴム、連続気泡スポンジゴム、セルロース、スクラバーフォーム、スポンジ、ヘチマスポンジ材料、または適切なレベルのフレキシブルさ、硬さ、及び吸収性を提供する任意の適切な材料などから作製され得る。医療用チューブシステムで使用される、ねじ付きコネクタポート１０４を含むコネクタの多くは、オーバーフローした流体をコネクタポート及びそのねじ内にトラップすることを理解されたい。これらのコネクタは、ユーザから要求される衛生基準を確実に満たすことができるように、使用間に頻繁に清掃する必要がある。ねじ付きコネクタポート１０４を清掃するための一般的な方法は、ねじ付きコネクタポート１０４を洗浄液で洗い流すことである。しかしながら、この方法は、オーバーフローした流体の残った溶液またはデブリが洗い流されて栄養チューブに戻されるリスクが高くなる。外側発泡体スリーブ５７４及び／または内側発泡体パッドを連続気泡フォーム及び／またはスポンジ材料から構成することにより、有利なことに、ねじ付きコネクタポート１０４及び／またはねじ付きコネクタポートキャップ１０８から洗浄されたデブリまたは粒子を、連続気泡またはスポンジ材料の繊維性マトリックス内にトラップすることができる。そして、これにより、クリーニング装置５０２ｂを取り外したときに、ねじ付きコネクタポート１０４及びねじ付きコネクタポートキャップ１０８または別のねじ付きコネクタを、デブリが存在しない状態にすることができる。また、有利なことに、デブリが洗い流されて栄養チューブに戻されるリスクを排除することができる。例示的な実施形態では、外側発泡体スリーブ５７４は、上記したフランジ部分５４４と同様のフランジ部分を含み得る。
【００５８】
位置合わせペグ５６８は、シーリングコネクタ５０４ｂの長手方向軸４８０と整列され、本体部分５２４の第２の端部５５８に結合される。位置合わせペグ５６８は、本体部分５２４とは異なる材料から成形されたプラスチック体であってもよく、その場合は、接着剤、または本体部分５２４と動作可能に結合させることができる他の適切な固定手段を用いて本体部分５２４に固定される。また、位置合わせペグ５６８は、本体部分５２４を構成する部品の一部として成形してもよい。位置合わせペグ５６８は、外径（ＤＡＰ）５７０及び長さ（ＬＡＰ）５７２を有する。位置合わせペグ５６８の長さ（ＬＡＰ）５７２は、臨床医がねじ付きコネクタポート１０４内で外側発泡体スリーブ５７４の全長を位置合わせするのを可能にするために、位置合わせチューブ５６４及び外側発泡体スリーブ５７４を越えて延びている。位置合わせペグ５６８の長さが外側発泡体スリーブ５７４の長さよりも大幅に短いと、臨床医がねじ付きコネクタポート１０４内でクリーニング装置５０２ｂを位置合わせするのがより困難になることを理解されたい。しかしながら、例示的な実施形態では、位置合わせペグ５６８の長さ（ＬＡＰ）５７２が、外側発泡体スリーブ５７４の管状部分５７６の長さ（ＬＦＳ）５８６よりも短くてもよい。
【００５９】
クリーニング装置５０２ｂは、位置合わせペグ５６８をねじ付きコネクタポート１０４のボアチャンネル２３０内に挿入することにより、ねじ付きコネクタポート１０４内で位置合わせされる。例えば、臨床医は、位置合わせペグ５６８の遠位端部５９４をボアチャンネル２３０に挿入することができる。例示的な実施形態では、位置合わせペグ５６８は、その表面に凹凸が形成されるか、または、その表面がねじ付きコネクタポート１０４のボアチャンネル２３０を清掃するのに適した任意の適切な材料で被覆され得る。位置合わせペグ５６８の遠位端部５９４の外径（ＤＡＰ）５７０がボアチャンネル２３０の内径とほぼ同じであると、臨床医がねじ付きコネクタポート１０４内でクリーニング装置５０２ｂを位置合わせするのがより困難になることを理解されたい。例示的な実施形態では、位置合わせペグ５６８は、丸みを帯びた端部を有する円筒状の形状であり得る。これにより、有利なことに、臨床医が、位置合わせペグ５６８をボアチャンネル２３０内に挿入するのが容易になる。別の実施形態では、位置合わせペグ５６８は、その外径（ＤＡＰ）５７０が、長さ（ＬＡＰ）５７２に沿って遠位端部５９４に向かって減少するように、テーパー加工され得る。これにより、有利なことに、臨床医が、クリーニング装置５０２ｂをねじ付きコネクタポート１０４に対して位置合わせするのが容易になる。同様に、クリーニング装置５０２ｂは、位置合わせチューブ５６４を、ボアチャンネル２３０の外面２３２の周りに挿入することにより、ねじ付きコネクタポート１０４内で位置合わせすることができる。例えば、位置合わせペグ５６８及び位置合わせチューブ５６４の両方によって、臨床医がクリーニング装置５０２ｂをねじ付きコネクタポート１０４に対して位置合わせするのを助けることができる。
【００６０】
図５Ｊ及び図５Ｋは、本開示の例示的な実施形態に係る例示的なクリーニングシステム５００ｂの斜視図である。図５Ｋの５Ｌ−５Ｌ線に沿って切断したクリーニングシステム５００ｂの断面図を図５Ｌに示す。クリーニングシステム５００ｂは、クリーニング装置５０２ｂと、ねじ付きコネクタポート１０４とを含む。クリーニング装置５０２ｂは、図５Ｇ、図５Ｈ、及び図５Ｉに示したものである。クリーニング装置５０２ｂの位置合わせチューブ５６４は、シーリングコネクタ５０４ｂの長手方向軸５６６と軸方向に整列されている。
【００６１】
図５Ｍは、図５Ａの５Ｃ−５Ｃ線または図Ｇの５Ｉ−５Ｉ線と同様の線に沿って切断した、例示的なクリーニング装置（例えば、クリーニング装置５０２ａ、５０２ｂ）の拡大部分断面図である。例示的な実施形態では、クリーニング装置（例えば、クリーニング装置５０２ａ、５０２ｂ）は、位置合わせチューブ５９５と、外側発泡体スリーブ５９３と、長手方向軸５９７とを含み得る。例示的な実施形態では、位置合わせチューブ５９５は、その表面に凹凸が形成されるか、または、その内面がボアチャンネル２３０の外面２３２の清掃を可能にする任意の適切な材料で被覆される。例示的な実施形態では、位置合わせチューブ５９５の内面は、シーリング材料５９９で被覆され得る。例えば、シーリング材料５９９は、位置合わせチューブ５９５の内面に結合される、中空円筒状の形状を有する圧縮性材料であり得る。ねじ付きコネクタポート１０４は、様々な形状及びサイズのボアチャンネル２３０を有し得ることを理解されたい。例示的な実施形態では、シーリング材料５９９は、ボアチャンネル２３０の外面２３２と位置合わせチューブ５９５との間にシールを形成する（密封する）ように構成され得る。例えば、シーリング材料５９９は、様々なサイズのボアチャンネル２３０の周りにシールを形成することができる適切な厚さ及び圧縮性を有し得る。
【００６２】
図６Ａは、クリーニングアセンブリ６００の斜視図である。このクリーニングアセンブリ６００は、一連の使い捨て式容器６０２を備える。各使い捨て式容器６０４ａ、６０４ｂ、及び６０４ｃは、収容容器（basin）６０６と、除去可能な閉鎖蓋体６０８と、シーリングコネクタ５０４とを含む。以降、各使い捨て式容器６０４ａ、６０４ｂ、及び６０４ｃは、総称するときは、符号６０４で示す。一連の使い捨て式容器６０２の各使い捨て式容器６０４は、ミシン目縁部６１６によって互いに分離させることができる。収容容器６０６は、開口部６１２を有するキャビティ６１０を含む。各キャビティ６１０は、湿潤流体６１４で少なくとも部分的に満たされている。本開示の例示的な実施形態では、湿潤流体６１４は、抗菌性流体（例えば、イソプロピルアルコールなどのアルコール）、生理食塩水、または任意の他の適切な流体であり得る。例示的な実施形態では、各キャビティ６１０は、湿潤流体６１４で完全に満たされている。除去可能な閉鎖蓋体６０８は、キャビティ６１０の開口部６１２を覆うように構成され、収容容器６０６に取り付けられている。各使い捨て式容器６０４ａ、６０４ｂ、及び６０４ｃに含まれるシーリングコネクタ５０４（例えば、５０４ａ、５０４ｂ）は、図５Ａ−図５Ｌに示されている。
【００６３】
図６Ｂは、クリーニングアセンブリ６２８の斜視図である。このクリーニングアセンブリ６２８は、収容容器６３０と、シーリングコネクタ５０４ｂとを含む。収容容器６３０は、側壁部６６０と、底部６６２とを有する。例えば、側壁部６６０は、単一の円筒状の側壁、または他の形状（例えば、正方形、三角形、長方形、楕円形など）の側壁から構成され得る。側壁部６６０は、開口部６３４を有するキャビティ６３２を形成する。収容容器６３０のキャビティ６３２は、湿潤流体６１４で少なくとも部分的に満たされている。湿潤流体６１４は、抗菌性流体（例えば、イソプロピルアルコールなどのアルコール）、生理食塩水、または任意の他の適切な流体であり得る。キャビティ６３２は、キャビティ深さ６３６及びキャビティ直径６３８を有する。キャビティの形状は円筒状である必要はなく、様々な形状であってよいことを理解されたい。キャビティ深さ６３６は、位置合わせペグ５６８の長さ（ＬＡＰ）５７２、外側発泡体スリーブ５７４の管状部分５７６の長さ（ＬＦＳ）５８６、及び位置合わせチューブ５６４の長さ（ＬＬＴ２）５９０のうちの最大の長さと同じかまたはそれよりも大きいサイズを有する。加えて、キャビティ直径６３８は、外側発泡体スリーブ５７４の外径（ＤＴＰ）５８８よりも大きいサイズを有する。キャビティ深さ６３６及びキャビティ直径６３８は、内側ねじクリーニング部分５６２及び外側発泡体スリーブ５７４がキャビティ６３２内に完全に収容され、湿潤流体６１４で、クリーニング装置５０２ｂのクリーニング面（例えば、外側発泡体スリーブ５７４、位置合わせチューブ５６４、及び／または位置合わせペグ５６８）を湿潤し消毒することができるようなサイズを有する。例示的な実施形態では、位置合わせペグ５６８及び／または位置合わせチューブ５６４は、クリーニングアセンブリ６２８に対して安定性を提供するために、収容容器６３０の底部と接触させられる。
【００６４】
別の実施形態では、クリーニングアセンブリ６２８は、除去可能な閉鎖蓋体６４０を含み得る。除去可能な閉鎖蓋体６４０は、ねじ接続、圧入接続（例えば、除去可能な閉鎖蓋体６４０は、ガスケットまたは収容容器６３０を受容するチャンネルを有し得る）、または剥離可能な接続によって収容容器６３０に取り付けられ得る。例示的な実施形態では、クリーニング装置５０２ｂは、その全体が収容容器６３０内に収容され、除去可能な閉鎖蓋体６４０によって収容容器６３０内に固定され得る。例えば、クリーニングアセンブリ６２８の収容容器６３０及び除去可能な閉鎖蓋体６４０は、クリーニング装置５０２ｂを収容することができる。クリーニングアセンブリ６２８は、予め湿潤された用途または乾燥用途のために、パッケージ化され得る。例えば、予め湿潤された用途では、収容容器６３０のキャビティ６３２は、湿潤流体６１４が予め満たされている。乾燥用途では、収容容器６３０のキャビティ６３２に湿潤流体６１４を満たすことなく、クリーニングアセンブリ６２８はパッケージ化される。乾燥用途では、ユーザは、除去可能な閉鎖蓋体６４０を取り外して、収容容器６３０のキャビティ６３２に湿潤流体６１４を加えることができる。例えば、上述した乾燥用途では、ユーザは、クリーニング／湿潤用途に適した湿潤流体６１４（例えば、イソプロピルアルコール、生理食塩水など）を選択することができる。
【００６５】
図６Ｃ及び図６Ｄは、図６Ｂの６Ｃ−６Ｃ線に沿って切断した、クリーニングアセンブリ６２８の断面図である。図６Ｃに示すように、シーリングコネクタ５０４ｂは、本体部分５２４の第２の端部５５８にチャンネル６５０を有し得る。チャンネル６５０は、収容容器６３０の側壁部６６０を受容することができるように構成され得る。例えば、チャンネル６５０は、シーリングコネクタ５０４ｂと収容容器６３０との間の圧入接続を形成するために、側壁部６６０の幾何学的形状（例えば、形状及び厚さ）と一致する形状を有し得る。別の実施形態では、シーリングコネクタ５０４ｂは、本体部分５２４の第２の端部５５８に、シーリングコネクタ５０４ｂと収容容器６３０との間にシールを形成することができるように構成された、例えばＯリングなどのガスケット６５２を有し得る。さらなる別の実施形態では、シーリングコネクタ５０４ｂは、臨床医がシーリングコネクタ５０４ｂを収容容器６３０にねじ回して取り付ける（ねじ込む）ことができるように、収容容器６３０に形成されたねじと係合することができるように構成されたねじを有し得る。シーリングコネクタ５０４ｂが収容容器６３０に対するシールを形成することを可能にする他の要素を、シーリングコネクタ５０４ｂ及び／または収容容器６３０に設けてもよいことを理解されたい。例えば、別の実施形態では、収容容器６３０の側壁部６６０の内側に対するシールが形成されるように、ガスケット６５２がシーリングコネクタ５０４ｂの外面に設けられる。加えて、シーリングコネクタ５０４ｂは、その外面に、収容容器６３０の側壁部６６０の内側に形成されたねじと係合することができるように構成されたねじを有し得る。
【００６６】
例示的な実施形態では、クリーニングアセンブリ６２８は、収容容器６３０に予め結合されたクリーニング装置５０２ｂを含み得る。例えば、シーリングコネクタ５０４ｂは、クリーニング装置５０２ｂのクリーニング面（例えば、外側発泡体スリーブ５７４、位置合わせチューブ５６４、及び／または位置合わせペグ５６８）を湿潤流体６１４と接触させるようなシールを形成するために、収容容器６３０のためのキャップの役割を果たす。収容容器６３０からクリーニング装置５０２ｂを（例えば、ねじ回して、または引っ張って）取り外したときは、外側発泡体スリーブ５７４は、既に湿潤された状態であり、第１回目の清掃にすぐに使用することができる。クリーニング装置５０２ｂを収容容器６３０に予め結合させておくことにより、有利なことに、予め湿潤された外側発泡体スリーブ５７４及び消毒されたクリーニング面を有するクリーニング装置５０２ｂを提供することができる。これにより、臨床医が、クリーニング装置５０２ｂを湿潤及び消毒する追加的なステップを行う必要がなくなる。収容容器６３０内の湿潤流体６１４の量に応じて、臨床医は、外側発泡体スリーブ５７４を湿潤流体６１４で十分に湿潤されていることを確実にするために、クリーニングアセンブリ６２８（例えば、収容容器６３０に予め結合されたクリーニング装置５０２ｂ）を振る（シェイクする）ことができる。例えば、予め湿潤された用途では、収容容器６３０のキャビティ６３２には、湿潤流体６１４が予め満たされている（例えば、約半分まで満たされている）。乾燥用途では、収容容器６３０のキャビティ６３２に湿潤流体６１４を満たすことなく、クリーニングアセンブリ６２８はパッケージ化される。乾燥用途では、ユーザは、シーリングコネクタ５０４ｂを取り外して、収容容器６３０のキャビティ６３２に湿潤流体６１４を加えることができる。例えば、上述した乾燥用途では、ユーザは、クリーニング／湿潤用途に適した湿潤流体６１４（例えば、イソプロピルアルコール、生理食塩水など）を選択することができる。
【００６７】
除去可能な閉鎖蓋体６４０を有する例では、臨床医は、除去可能な閉鎖蓋体６４０を取り外した後に、収容容器６３０をシーリングコネクタ５０４ｂでシールする。例えば、臨床医は、シーリングコネクタ５０４ｂを開口部６３４の上側に位置させ、シーリングコネクタ５０４ｂを収容容器６３０に圧入及び／またはねじ回して取り付ける。臨床医がシーリングコネクタ５０４ｂを収容容器６３０の開口部６３４の上側に位置させ、収容容器６３０の底部６６２に向けて移動させると、クリーニング装置５０２ｂのクリーニング面（例えば、外側発泡体スリーブ５７４、位置合わせチューブ５６４、及び／または位置合わせペグ５６８）は、湿潤流体６１４と接触する。シーリングコネクタ５０４ｂ及び収容容器６３０をシールした後、臨床医は、クリーニング装置５０２ｂのクリーニング面をさらに湿潤及び／または消毒するために、互いに結合されたシーリングコネクタ５０４ｂ及び収容容器６３０を振ることができる。例示的な実施形態では、望ましくない粒子状物質がクリーニング装置５０２ｂと接触しないようにして、クリーニング装置５０２ｂを収容容器６３０の底部６６２に位置させることができるように、キャビティ深さ６３６及びキャビティ直径６３８は、クリーニング面と収容容器６３０の側壁部６６０及び底部６６２との間に適切な隙間を形成することを可能にするサイズであり得る。例えば、キャビティ深さ６３６は、望ましくない粒子状物質が位置合わせペグ５６８と接触しないようにして、位置合わせペグ５６８を収容容器６３０の底部６６２に位置させることができるように、位置合わせペグ５６８の遠位端部５９４と収容容器６３０の底部６６２との間に隙間６９４が形成されるように設定される。クリーニング装置５０２ｂを十分に湿潤及び／または消毒した後、臨床医は、クリーニング装置５０２ｂを収容容器６３０から取り外す。例示的な実施形態では、位置合わせペグ５６８及び／または位置合わせチューブ５６４は、クリーニングアセンブリ６２８に対して追加的な安定性を提供するために、収容容器６３０の底部６６２と接触させられる。
【００６８】
図７Ａは、本開示の例示的な実施形態に係る例示的なシーリングシステム７００の斜視図であり、図７Ｂは、シーリングシステム７００の使い捨て式ライナ７０２及びねじ付きコネクタポート１０４の断面図である。シーリングシステム７００は、使い捨て式ライナ７０２と、配置治具７０４と、ねじ付きコネクタポート１０４とを含む。本開示の例示的な実施形態に係る例示的な使い捨て式ライナ７０２の斜視図を図７Ｃ及び図７Ｄに示す。使い捨て式ライナ７０２は、２つの位置決めフラップ７０６、頂面７０８、底面７１０、長手方向軸７１２、ライナ開口部７１４、及び直径（ＤＬ）７１６を有する。長手方向軸７１２は、使い捨て式ライナ７０２の頂面７０８から、使い捨て式ライナ７０２の底面７１０まで延びている。ライナ開口部７１４は、使い捨て式ライナ７０２の長手方向軸７１２と軸方向に整列されている。使い捨て式ライナ７０２の直径（ＤＬ）７１６は、２つの位置決めフラップ７０６間の距離と等しい。例示的な実施形態では、使い捨て式ライナ７０２は、楕円形、正方形、長方形、楕円形、ひし形（ダイヤモンド形）、または任意の他の形状を有し得る。例えば、使い捨て式ライナ７０２の直径（ＤＬ）７１６は、使い捨て式ライナ７０２に用いられる任意の形状に対応するサイズを有し得る。２つの位置決めフラップ７０６は、フラップ開口部７１８を有する。ライナ開口部７１４は、ねじ付きコネクタポート１０４内のボアチャンネル２３０の外面２３２と係合することができるように構成された複数のテイル部７２０を有する。使い捨て式ライナ７０２の直径（ＤＬ）７１６は、ねじ付きコネクタポート１０４内の複数の雌ねじ２３４、及びねじ付きコネクタポート１０４内のボアチャンネル２３０の外面２３２と係合することができるように構成されている。これにより、ねじ付きコネクタポートキャップ１０８または別のねじ付きコネクタ（図示せず）を挿入して、使い捨て式ライナ７０２の長手方向軸７１２を中心にして回転させたときに、使い捨て式ライナ７０２の底面７１０をねじ付きコネクタポート１０４の複数の雌ねじ（図示せず）及びボアチャンネル２３０の外面２３２に対して外向きに密接に接触させるとともに、使い捨て式ライナ７０２の頂面７０８をねじ付きコネクタポートキャップ１０８または別のねじ付きコネクタ（図示せず）の複数の雄ねじ５８０に対して内向きに密接に接触させることができる。この結果、ねじ付きコネクタポートキャップ１０８と、ねじ付きコネクタポート１０４または別のねじ付きコネクタ（図示せず）との間にシールが形成される。使い捨て式ライナ７０２は、適切なレベルのフレキシブルさ、硬さ、及び吸収性を提供する様々な材料から作製され得る。例えば、使い捨て式ライナ７０２は、臨床医が、使い捨て式ライナ７０２をねじ付きコネクタポート１０４に取り付け、ねじ付きコネクタポートキャップ１０８をねじ回して取り付け、その後、ねじ付きコネクタポートキャップ１０８をねじ回して取り外し、使い捨て式ライナ７０２が所定の位置にある間に別のねじ付きコネクタをねじ回して取り付けることを可能にするフレキシブルさ及び強度を有し得る。
【００６９】
図７Ｅは、本開示の例示的な実施形態に係る例示的な配置治具７０４の斜視図であり、図７Ｆは、配置治具７０４の側面図である。配置治具７０４は、把持部分７２４、第１の端部７２６、第２の端部７２８、及び２つの位置決めフィンガ７３０ａ、７３０ｂを有する。本明細書で説明するとき、２つの位置決めフィンガ７３０ａ及び７３０ｂは、総称すするときは符号７３０で示す。２つの位置決めフィンガ７３０は、各々、遠位端部７３２及び近位端部７３４を有する。遠位端部７３２は、把持部分７２４の遠位側に位置しており、近位端部７３４は、把持部分７２４の近位側に位置している。例示的な実施形態では、２つの位置決めフィンガ７３０ａ及び７３０ｂは、直線状の形状を有し、互いに対して平行であり得る。または、２つの位置決めフィンガ７３０ａ及び７３０ｂは、配置治具７０４に力が加えられていない状態で、互いに対して近づく方向または離れる方向に屈曲した形状を有し得る。加えて、２つの位置決めフィンガ７３０ａ及び７３０ｂの遠位端部７３２は、使い捨て式ライナ７０２の構造に応じて、直線状であるか、または外向きに屈曲され得る。例えば、外向きに屈曲された遠位端部７３２を有する位置決めフィンガ７３０は、有利なことに、使い捨て式ライナ７０２の早期に脱離するリスクを減少させることができる。また、内向きに屈曲された遠位端部７３２を有する位置決めフィンガ７３０は、有利なことに、使い捨て式ライナ７０２の早期の脱離を容易にすることができる。配置治具７０４は、適切なレベルのフレキシブルさ及び硬さを提供する様々な金属及び／またはプラスチックから構成され得る。例えば、配置治具７０４は、ステンレス鋼、ポリエチレン、シリコーン、熱可塑性プラスチックなどの１または複数の材料から構成されたフレキシブル性材料を含み得、また、ラテックスフリーであり得る。２つの位置決めフィンガ７３０は、各遠位端部７３２で離間距離（ＤＳ）７３６を有する。離間距離（ＤＳ）７３６は、使い捨て式ライナ７０２の直径（ＤＬ）７１６よりも大きい。例えば、力が加えられていない状態では、配置治具７０４の２つの位置決めフィンガ７３０の離間距離（ＤＳ）７３６は、使い捨て式ライナ７０２の直径（ＤＬ）７１６よりも大きい。２つの位置決めフィンガ７３０は、使い捨て式ライナ７０２の各位置決めフラップ７０６と軸方向に整列される。２つの位置決めフィンガ７３０は、その各遠位端部７３２間及び各近位端部７３４間に内向きの圧力７６０を加えて離間距離（ＤＳ）７３６を減少させた状態で、２つの位置決めフラップ７０６の各フラップ開口部７１８内に位置させたときに、各フラップ開口部７１８と係合することができるように構成されている。２つの位置決めフィンガ７３０は、内向きの圧力７６０を減少させたときに、使い捨て式ライナ７０２をテンションがかかった状態で保持する。離間距離（ＤＳ）７３６が使い捨て式ライナ７０２の２つの位置決めフラップ７０６のフラップ開口部７１８よりも減少させるのに必要な内向きの圧力７６０を生成するのには、正味の力のみが必要とされることを理解されたい。配置治具７０４は、使い捨て式ライナ７０２をねじ付きコネクタポート１０４の頂面７３８上に位置させ、ライナ開口部７１４及びボアチャンネル２３０を使い捨て式ライナ７０２の長手方向軸７１２に沿ってと整列させ、２つの位置決めフィンガ７３０の各遠位端部７３２間及び各近位端部７３４間に内向きの圧力７６０を加えて離間距離（ＤＳ）７３６を減少させて２つの位置決めフラップ７０６のフラップ開口部７１８から２つの位置決めフィンガ７３０を引き出すことにより、使い捨て式ライナ７０２を切り離すことができるように構成されている。使い捨て式ライナ７０２を適切に配置しないとねじ付きコネクタポート１０４及びねじ付きコネクタポートキャップ１０８間、または２つのねじ付きコネクタ間にシール７２２を形成することができないので、使い捨て式ライナ７０２を適切に配置することが重要である。例示的な実施形態では、配置治具７０４は、３つまたはそれ以上の位置決めフィンガを有し得、使い捨て式ライナ７０２は、３つまたはそれ以上の位置決めフィンガに対応する３つまたはそれ以上の位置決めフラップを有し得る。別の実施形態では、配置治具７０４は、２つの位置決めフィンガ７３０の離間距離（ＤＳ）７３６を減少させるべく臨床医により加えられる外向きの圧力または押圧力を受けることができるように構成され得る。
【００７０】
図８は、本開示の例示的な実施形態に係るシーリングアセンブリ８００の斜視図である。このシーリングアセンブリ８００は、使い捨て式ライナディスペンサ８０２と、配置治具７０４とを含む。使い捨て式ライナディスペンサ８０２は、フレーム８０４、ローラーバー８０６、及びライナリール８０８を含む。ローラーバー８０６は、ライナリール８０８を受容するための第２の長手方向軸８１０を規定する。ライナリール８０８は、ディスペンスされる先頭の使い捨て式ライナ８１４と、それに結合された複数の使い捨て式ライナ８１２とを含む。複数の使い捨て式ライナ８１２は、ミシン目縁部８１６により互いに分離させることができる。複数の使い捨て式ライナ８１２の各使い捨て式ライナ７０２は、図７Ｂ、図７Ｃ、及び図７Ｄを参照して説明した通りである。
【００７１】
図９Ａは、ねじ付きコネクタポート１０４を清掃するための例示的な方法９００を説明するためのフロー図である。以下、図９Ａを参照して方法９００について説明するが、方法９００に関連する行為を実施する様々な他の方法を用いてもよいことを理解されたい。例えば、方法９００の各ステップの順番は変更してもよいし、各ステップは断続的に繰り返すかまたは連続的に実施してもよいし、特定のステップを他のステップと組み合わせてもよいし、各ステップは任意にまたは付随的に実施してもよい。
【００７２】
この例示的な方法９００は、まず、臨床医が、使い捨て式発泡体プラットフォーム２１８をクリーニング装置１０２の把持体２００に取り付けることにより開始される（ステップ９０２）。続いて、使い捨て式発泡体プラットフォーム２１８が予め湿潤されていない場合には、臨床医は、使い捨て式発泡体プラットフォーム２１８を湿潤流体６１４で湿潤させる（ステップ９０４）。本開示の例示的な実施形態では、湿潤流体６１４は、抗菌性流体（例えば、イソプロピルアルコールなどのアルコール）、生理食塩水、または任意の他の適切な流体であり得る。次に、臨床医は、クリーニング装置１０２をねじ付きコネクタポート１０４内に挿入する（ステップ９０６）。クリーニング装置１０２を挿入するとき、臨床医は、位置合わせペグ２０２を使用して、使い捨て式発泡体プラットフォーム２１８が、ボアチャンネル２３０の複数の雌ねじ２３４及び外面２３２と適切に係合するようにする。そして、臨床医は、クリーニング装置１０２を、その長手方向軸２６０を中心にして、ねじ付きコネクタポート１０４に対して回転させる（ステップ９０８）。クリーニング装置１０２を回転させながら、臨床医は、一対のクリーニングアーム２１０によって使い捨て式発泡体プラットフォーム２１８をボアチャンネル２３０の複数の雌ねじ２３４及び外面２３２に対して密接に接触させるように、クリーニング装置１０２の一対のグリップアーム２０８に対して圧力２７０を加える（ステップ９１０）。臨床医は、ねじ付きコネクタポート１０４が十分にクリーニングされるまで上記のステップ９０８及び９１０を繰り返し、その後、ねじ付きコネクタポート１０４からクリーニング装置１０２を取り出す（ステップ９１２）。その後、臨床医は、クリーニング装置１０２から使用済みの使い捨て式発泡体プラットフォーム２１８を取り外して廃棄する（ステップ９１４）。例えば、臨床医は、把持体２００に設けられたスカラップ部２３６の助けを借りて、自分の手で使用済みの使い捨て式発泡体プラットフォーム２１８を取り外すことができる。または、臨床医は、治具を使用して、てこの作用を利用して、把持体２００から使い捨て式発泡体プラットフォーム２１８を取り外すことができる。詳細については後述するが、臨床医は、ねじ付きコネクタポート１０４内に使い捨て式ライナ７０２を配置する（ステップ９１６）。そして、臨床医は、ねじ付きコネクタポート１０４内に、ねじ付きコネクタポートキャップ１０８または別のねじ付きコネクタを挿入する（ステップ９１８）。
【００７３】
図９Ｂは、ねじ付きコネクタポート１０４を清掃するための別の例示的な方法９３０を説明するためのフロー図である。以下、図９Ｂを参照して方法９３０について説明するが、方法９３０に関連する行為を実施する様々な他の方法を用いてもよいことを理解されたい。例えば、方法９３０の各ステップの順番は変更してもよいし、各ステップは断続的に繰り返すかまたは連続的に実施してもよいし、特定のステップを他のステップと組み合わせてもよいし、各ステップは任意にまたは付随的に実施してもよい。
【００７４】
この例示的な方法９３０は、まず、臨床医が、クリーニング装置４０１の把持体２００に設けられた一対の突起部４３８でねじ付きコネクタポートキャップ１０８をねじ回して取り外すことにより開始される（ステップ９３２）。続いて、臨床医は、発泡体を湿潤流体６１４で湿潤させる（ステップ９３４）。発泡体は、使い捨て式発泡体プラットフォーム２１８、第１の複数の発泡体パッド４０４、及び／または第２の複数の発泡体パッド４３０であり得る。本開示の例示的な実施形態では、湿潤流体６１４は、イソプロピルアルコールなどのアルコール、または例えば生理食塩水などの任意の他の適切な流体であり得る。次に、臨床医は、クリーニング装置（１０２、４０１）をねじ付きコネクタポート１０４内に挿入する（ステップ９３６）。クリーニング装置（１０２、４０１）を挿入するとき、臨床医は、位置合わせペグ２０２または位置合わせチューブ５０６などを使用して、使い捨て式発泡体プラットフォーム２１８または複数の発泡体パッド（４０４、４３０）が、ボアチャンネル２３０の複数の雌ねじ２３４及び外面２３２と適切に係合するようにする。そして、臨床医は、クリーニング装置（１０２、４０１）を、その長手方向軸（２６０、４８０）を中心にして、ねじ付きコネクタポート１０４に対して回転させる（ステップ９３８）。その後、臨床医は、ねじ付きコネクタポート１０４からクリーニング装置（１０２、４０１）を取り出す（ステップ９４０）。詳細については後述するが、臨床医は、ねじ付きコネクタポート１０４内に使い捨て式ライナ７０２を配置する（ステップ９４２）。そして、臨床医は、ねじ付きコネクタポート１０４内に、ねじ付きコネクタポートキャップ１０８または別のねじ付きコネクタを挿入する（ステップ９４４）。
【００７５】
図９Ｃは、ねじ付きコネクタポート１０４を清掃するための別の例示的な方法９５０を説明するためのフロー図である。以下、図９Ｃを参照して方法９５０について説明するが、方法９５０に関連する行為を実施する様々な他の方法を用いてもよいことを理解されたい。例えば、方法９５０の各ステップの順番は変更してもよいし、各ステップは断続的に繰り返すかまたは連続的に実施してもよいし、特定のステップを他のステップと組み合わせてもよいし、各ステップは任意にまたは付随的に実施してもよい。
【００７６】
この例示的な方法９５０は、まず、臨床医が、使い捨て式容器６０４からクリーニング装置５０２を取り出すことにより開始される（ステップ９５２）。これは、臨床医が、一連の使い捨て式容器６０２から使い捨て式容器６０４を取り外すことを必要とする。臨床医は、除去可能な閉鎖蓋体６０８を除去して使い捨て式容器６０４を開き、クリーニング装置５０２を取り出す。クリーニング装置５０２は、使い捨て式容器６０４内に含まれている湿潤流体６１４で予め湿潤されていることを理解されたい。臨床医は、クリーニング装置５０２の汚染を防止するために、依然として手袋を装着しているであろうが、この湿潤流体６１４を使用するタイプでは、手袋の装着は必須ではない。例えば、クリーニング装置５０２は、有利なことに、クリーニング装置５０２を直接的に手で触ることにより生じる二次汚染を防止することができる強力な抗菌性流体などの湿潤流体６１４で湿潤させることができる。これにより、有利なことに、臨床医がクリーニング装置５０２を迅速に取り扱うことができ、臨床医の貴重な時間を節約することが可能となる。次に、臨床医は、シーリングコネクタ５０４の内側ねじクリーニング端部５１６を、ねじ付きコネクタポート１０４内に挿入する（ステップ９５４）。臨床医は、位置合わせチューブ５０６を使用して、クリーニング装置５０２をボアチャンネル２３０上に配置し、ねじ付きコネクタポート１０４と軸方向に整列させることにより、クリーニング装置５０２をねじ付きコネクタポート１０４に対して位置合わせすることができる。その後、臨床医は、シーリングコネクタ５０４のキャップクリーニング端部５１４内に、ねじ付きコネクタポートキャップ１０８を挿入する（ステップ９５６）。キャップクリーニング端部５１４は、複数の雄ねじを有する別のねじ付きコネクタのためにも使用できることを理解されたい。そして、臨床医は、クリーニング装置５０２を、その長手方向軸５１８を中心にして回転させる（ステップ９５８）。これにより、内側発泡体パッド５０８、外側発泡体スリーブ５１０、及び位置合わせチューブ５０６によって、ねじ付きコネクタポートキャップ１０８の複数の雄ねじ５８０、ねじ付きコネクタポート１０４の複数の雌ねじ２３４、及びボアチャンネル２３０の外面２３２をそれぞれ清掃することができる。臨床医は、ねじ付きコネクタポート１０４が十分にクリーニングされるまで上記のステップ９５８を繰り返す。次に、臨床医は、ねじ付きコネクタポート１０４からクリーニング装置５０２を引き出すことにより、ねじ付きコネクタポート１０４からクリーニング装置５０２を取り出す（ステップ９６０）。詳細については後述するが、臨床医は、ねじ付きコネクタポート１０４内に使い捨て式ライナ７０２を配置する（ステップ９６２）。そして、臨床医は、ねじ付きコネクタポート１０４内に、ねじ付きコネクタポートキャップ１０８または別のねじ付きコネクタを挿入する（ステップ９６４）。
【００７７】
図９Ｄは、ねじ付きコネクタポート１０４を清掃するための別の例示的な方法９７０を説明するためのフロー図である。以下、図９Ｄを参照して方法９７０について説明するが、方法９７０に関連する行為を実施する様々な他の方法を用いてもよいことを理解されたい。例えば、方法９７０の各ステップの順番は変更してもよいし、各ステップは断続的に繰り返すかまたは連続的に実施してもよいし、特定のステップを他のステップと組み合わせてもよいし、各ステップは任意にまたは付随的に実施してもよい。
【００７８】
この例示的な方法９７０は、まず、臨床医が、収容容器６３０から除去可能な閉鎖蓋体６４０を除去することにより開始される（ステップ９７２）。例えば、臨床医は、除去可能な閉鎖蓋体６４０を引っぱって取り外すか、剥がすか、またはねじ回して取り外すことができる。続いて、臨床医は、収容容器６３０にクリーニング装置５０２ｂを結合させて密封する（ステップ９７４）。例示的な実施形態では、臨床医は、収容容器６３０の側壁部６６０にシーリングコネクタ５０４ｂを圧入嵌合する。別の例示的な実施形態では、臨床医は、収容容器６３０内にシーリングコネクタ５０４ｂをねじ回して取り付ける。次に、臨床医は、互いに結合されたシーリングコネクタ５０４ｂ及び収容容器６３０を振って、クリーニング装置５０２ｂを十分に湿潤及び／または消毒する（ステップ９７６）。そして、臨床医は、収容容器６３０からクリーニング装置５０２ｂを取り出し、シーリングコネクタ５０４ｂの内側ねじクリーニング部分５６２をねじ付きコネクタポート１０４内に挿入する（ステップ９７８）。臨床医は、位置合わせペグ５６８を使用して、クリーニング装置５０２ｂをボアチャンネル２３０上に配置し、ねじ付きコネクタポート１０４と軸方向に整列させることにより、クリーニング装置５０２ｂをねじ付きコネクタポート１０４に対して位置合わせすることができる。別の例示的な実施形態では、臨床医は、位置合わせチューブ５６４を使用して、クリーニング装置５０２ｂをねじ付きコネクタポート１０４に対して位置合わせすることもできる。次に、臨床医は、クリーニング装置５０２ｂを、その長手方向軸５６６を中心にして、ねじ付きコネクタポート１０４に対して回転させる（ステップ９８０）。これにより、外側発泡体スリーブ５７４及び位置合わせチューブ５６４によって、ねじ付きコネクタポートキャップ１０８の複数の雄ねじ５８０、及びボアチャンネル２３０の外面２３２をそれぞれ清掃することができる。加えて、位置合わせペグ５６８によって、ねじ付きコネクタポート１０４のボアチャンネル２３０も清掃することができる。臨床医は、ねじ付きコネクタポート１０４が十分にクリーニングされるまで、上記のステップ９８０を繰り返す。そして、臨床医は、ねじ付きコネクタポート１０４からクリーニング装置５０２ｂを取り出す（ステップ９８２）。臨床医は、ねじ付きコネクタポート１０４をさらに清掃するために、上記のステップ９７４−９８０を繰り返してもよい。
【００７９】
図９Ｅは、ねじ付きコネクタポート１０４を清掃するための別の例示的な方法９９０を説明するためのフロー図である。以下、図９Ｅを参照して方法９９０について説明するが、方法９９０に関連する行為を実施する様々な他の方法を用いてもよいことを理解されたい。例えば、方法９９０の各ステップの順番は変更してもよいし、各ステップは断続的に繰り返すかまたは連続的に実施してもよいし、特定のステップを他のステップと組み合わせてもよいし、各ステップは任意にまたは付随的に実施してもよい。
【００８０】
この例示的な方法９９０は、まず、臨床医が、配置治具７０４で使い捨て式ライナ７０２を把持することにより開始される（ステップ９９２）。これは、臨床医が、複数の使い捨て式ライナ８１２を含むライナリール８０８から、先頭の使い捨て式ライナ８１４を取り外すことを必要とする。また、臨床医は、ミシン目縁部８１６を引き裂くことにより、先頭の使い捨て式ライナ８１４を取り出すことができる。また、臨床医が、ライナを保護するように構成された、パッケージの頂部プラスチック層を取り外すことを必要とする。配置治具７０４で使い捨て式ライナ７０２を把持するために、臨床医は、配置治具７０４の２つの位置決めフィンガ７３０を、使い捨て式ライナ７０２の位置決めフラップ７０６のフラップ開口部７１８と軸方向に整列させる。整列させた後、臨床医は、２つの位置決めフィンガ７３０の遠位端部７３２間及び近位端部７３４間に内向きの圧力７６０を加えて、２つの位置決めフィンガ７３０の離間距離（ＤＳ）７３６が２つの位置決めフィンガ７３０をフラップ開口部７１８に挿入することを可能にする許容範囲になるまで離間距離（ＤＳ）７３６を減少させる。その後、臨床医は内向きの圧力７６０を減少させ、これにより、配置治具７０４は、テンションが加えられた状態で使い捨て式ライナ７０２に保持される。続いて、臨床医は、使い捨て式ライナ７０２をねじ付きコネクタポート１０４の上方に位置させる（ステップ９９４）。臨床医は、使い捨て式ライナ７０２を、ねじ付きコネクタポート１０４の頂面７３８上に配置し、使い捨て式ライナ７０２の長手方向軸７１２に沿ってライナ開口部７１４及びボアチャンネル２３０を互いに整列させる。次に、臨床医は、ねじ付きコネクタポート１０４の頂面７３８上で、配置治具７０４から使い捨て式ライナ７０２を切り離す（ステップ９９５）。配置治具７０４から使い捨て式ライナ７０２を切り離すためには、臨床医は、２つの位置決めフィンガ７３０の遠位端部７３２間及び近位端部７３４間に内向きの圧力７６０を加えて、２つの位置決めフィンガ７３０の離間距離（ＤＳ）７３６が２つの位置決めフィンガ７３０をフラップ開口部７１８から引き出すことを可能にする許容範囲になるまで離間距離（ＤＳ）７３６を減少させる。続いて、臨床医は、ねじ付きコネクタポート１０４に、ねじ付きコネクタポートキャップ１０８または別のねじ付きコネクタをねじ回して取り付けることにより、ねじ付きコネクタポート１０４を密封する（ステップ９９６）。臨床医は、適切に消毒されている場合は直接的に、または一対の医療手袋を装着して、自分の手でライナを所定の位置に圧入する。使い捨て式ライナ７０２を適切に配置しないと、ねじ付きコネクタポート１０４及びねじ付きコネクタポートキャップ１０８間または２つのねじ付きコネクタ間にシール７２２を形成することができないので、使い捨て式ライナ７０２を適切に配置することが重要であることを理解されたい。シール７２２は、ねじ付きコネクタポート１０４内に、ねじ付きコネクタポートキャップ１０８または別のねじ付きコネクタを挿入してねじ回すことにより実現することができる。例えば、使い捨て式ライナ７０２は、ねじ付きコネクタポートキャップ１０８または別のねじ付きコネクタがねじ付きコネクタポート１０４にねじ回して取り付けられた（ねじ込まれた）とき、裂けることなく、必要に応じて変位、伸張、及び圧縮することができる。次に、臨床医は、ねじ付きコネクタポート１０４を使用する（ステップ９９７）。そして、臨床医は、使い捨て式ライナ７０２を取り出して廃棄する（ステップ９９８）。したがって、使い捨て式ライナ７０２を使用することにより、有利なことに、ねじ付きコネクタポート１０４とねじ付きコネクタポートキャップ１０８または別のねじ付きコネクタとの間にシール７２２を形成し、互いに関連する表面及びねじ（例えば、ボアチャンネル２３０の複数の雌ねじ２３４及び外面２３２）を清潔に保つことができる。これにより、使い捨て式ライナ７０２の除去時にクリーニング（清掃）を行う必要がなくなる。
【００８１】
クリーニング装置１０２、クリーニング装置４０１、クリーニング装置５０２ａ、５０２ｂ、及びシーリングシステム７００は全て、互いに関連して使用することができる。臨床医は、必要とされるクリーニングのレベル及び医療チューブの用途に応じて、特定の装置またはシステムを選択することができる。いくつかの実施形態は、より迅速なクリーニングを提供し、別の実施形態では、より完全なクリーニングを提供する。
【００８２】
本明細書で説明した主題の態様は、単独で、または、本明細書で説明した他の態様と組み合わせて使用することができる。上記の説明に限定されることなく、本開示の例示的な態様では、本開示に係る、栄養チューブ用のねじ付きコネクタポートに関連して使用されるクリーニング装置は、シーリングコネクタと、位置合わせペグと、外側発泡体スリーブとを備える。前記シーリングコネクタは、第１の端部、第２の端部、内側ねじクリーニング部分、及び長手方向軸を有する本体部分を含む。前記本体部分は、グリップ部分を有する。前記内側ねじクリーニング部分は、前記本体部分の前記第２の端部に設けられている。加えて、前記内側ねじクリーニング部分は、第１の長さを有する位置合わせチューブを含む。前記長手方向軸は、前記本体部分の前記第１の端部から前記内側ねじクリーニング部分まで延びている。前記位置合わせチューブは、前記シーリングコネクタの前記長手方向軸と軸方向に整列されている。加えて、前記位置合わせペグは、前記シーリングコネクタの前記長手方向軸と軸方向に整列され、前記本体部分の前記第２の端部に結合されている。前記位置合わせペグは、前記ねじ付きコネクタポートのボアチャンネルの内径よりも小さい外径を有する。前記外側発泡体スリーブは、内面、外面、及び第２の長さを有する管状部分を含む。前記管状部分の前記内面は、前記位置合わせチューブに結合されている。前記管状部分は、該管状部分の前記第２の長さに沿って、前記ねじ付きコネクタポートの複数の雌ねじと係合することができるように構成されている。加えて、前記管状部分の前記外面は、前記位置合わせペグを前記ねじ付きコネクタポートの前記ボアチャンネル内に挿入し、前記本体部分を前記シーリングコネクタの前記長手方向軸を中心にして回転させたときに、前記外側発泡体スリーブを前記ねじ付きコネクタポートの前記複数の雌ねじに対して外向きに密接に接触させることができるような予め定められた直径を有する。
【００８３】
上記の態様と組み合わせて使用可能な本開示の別の態様によれば、前記外側発泡体スリーブは、使い捨て式である。
【００８４】
上記の態様の１または複数と組み合わせて使用可能な本開示の別の態様によれば、前記外側発泡体スリーブは、前記位置合わせチューブに恒久的に結合される。
【００８５】
上記の態様の１または複数と組み合わせて使用可能な本開示の別の態様によれば、前記外側発泡体スリーブは、フランジ部分を含む。前記フランジ部分は、内面及び外面を有する。前記管状部分の前記外面は、前記フランジ部分の前記外面と隣接し、前記フランジ部分の前記内面は、前記本体部分の前記第２の端部に結合されている。
【００８６】
上記の態様の１または複数と組み合わせて使用可能な本開示の別の態様によれば、前記位置合わせチューブは、前記ねじ付きコネクタポートの前記ボアチャンネルの外面を清掃することができるように構成された内面を有する。
【００８７】
上記の態様の１または複数と組み合わせて使用可能な本開示の別の態様によれば、前記位置合わせペグは、前記ねじ付きコネクタポートの前記ボアチャンネルの内面を清掃することができるように構成された外面を有する。
【００８８】
上記の態様の１または複数と組み合わせて使用可能な本開示の別の態様によれば、前記位置合わせペグは、前記位置合わせチューブの前記第１の長さよりも大きい第３の長さを有し、前記位置合わせチューブを越えて延出している。
【００８９】
上記の態様の１または複数と組み合わせて使用可能な本開示の別の態様によれば、前記位置合わせチューブの前記第１の長さは、前記外側発泡体スリーブの前記管状部分の前記第２の長さ以下である。
【００９０】
上記の態様の１または複数と組み合わせて使用可能な本開示の別の態様によれば、前記本体部分は、前記第１の端部に、内壁面及びベース面を有するキャビティを含む。
【００９１】
上記の態様の１または複数と組み合わせて使用可能な本開示の別の態様によれば、前記クリーニング装置は、内側発泡体パッドをさらに備える。前記内側発泡体パッドは、前記キャビティの前記内壁面及び前記ベース面を覆う。
【００９２】
上記の態様の１または複数と組み合わせて使用可能な本開示の別の態様によれば、前記内側発泡体パッドは、ねじ付きコネクタポートキャップの複数の雄ねじを清掃することができるように構成された予め定められた厚さを有する。
【００９３】
上記の態様と組み合わせて使用可能な本開示の別の態様によれば、本開示に係る、経腸栄養に関連して使用されるクリーニングシステムは、栄養チューブ用のねじ付きコネクタポートに関連して使用されるクリーニング装置と、収容容器とを備えている。前記クリーニング装置は、シーリングコネクタと、位置合わせペグと、外側発泡体スリーブとを備える。前記シーリングコネクタは、第１の端部、第２の端部、内側ねじクリーニング部分、及び長手方向軸を有する本体部分を含む。前記本体部分は、グリップ部分を有する。前記内側ねじクリーニング部分は、前記本体部分の前記第２の端部に設けられている。加えて、前記内側ねじクリーニング部分は、第１の長さを有する位置合わせチューブを含む。前記長手方向軸は、前記本体部分の前記第１の端部から前記内側ねじクリーニング部分まで延びている。前記位置合わせチューブは、前記シーリングコネクタの前記長手方向軸と軸方向に整列されている。加えて、前記位置合わせペグは、前記シーリングコネクタの前記長手方向軸と軸方向に整列され、前記本体部分の前記第２の端部に結合されている。位置合わせペグは、前記ねじ付きコネクタポートのボアチャンネルの内径よりも小さい外径を有する。前記外側発泡体スリーブは、内面、外面、及び第２の長さを有する管状部分を含む。前記管状部分の前記内面は、前記位置合わせチューブに結合されている。前記管状部分は、該管状部分の前記第２の長さに沿って、前記ねじ付きコネクタポートの複数の雌ねじと係合することができるように構成されている。加えて、前記管状部分の前記外面は、前記位置合わせペグを前記ねじ付きコネクタポートの前記ボアチャンネル内に挿入し、前記本体部分を前記シーリングコネクタの前記長手方向軸を中心にして回転させたときに、前記外側発泡体スリーブを前記ねじ付きコネクタポートの前記複数の雌ねじに対して外向きに密接に接触させることができるような予め定められた直径を有する。前記収容容器は、開口部を有するキャビティを形成する側壁部及び底部を有する。前記キャビティは、キャビティ深さ及びキャビティ直径を有し、湿潤溶液で少なくとも部分的に満たされている。前記キャビティ深さは、前記位置合わせペグの長さ以上であり、前記キャビティ直径は、前記外側発泡体スリーブの外径よりも大きい。加えて、前記シーリングコネクタは、前記収容容器の前記開口部を密封することができるように構成されている。
【００９４】
上記の態様と組み合わせて使用可能な本開示の別の態様によれば、前記シーリングコネクタは、前記本体部分の前記第２の端部にチャンネルを含む。前記チャンネルは、前記収容容器の前記開口部を密封するべく前記収容容器の前記側壁部上に圧入嵌合させることができるように構成されている。
【００９５】
上記の態様の１または複数と組み合わせて使用可能な本開示の別の態様によれば、前記シーリングコネクタは、前記本体部分の前記第２の端部にガスケットを含む。前記ガスケットは、前記収容容器の前記開口部を密封することができるように構成されている。
【００９６】
上記の態様の１または複数と組み合わせて使用可能な本開示の別の態様によれば、前記収容容器は、第１の組のねじを含み、前記シーリングコネクタは、第２の組のねじを含む。前記第１の組のねじ及び前記第２の組のねじは、互いに螺合して前記収容容器と前記シーリングコネクタとの間を密封することができるように構成されている。
【００９７】
上記の態様の１または複数と組み合わせて使用可能な本開示の別の態様によれば、前記キャビティ深さは、前記位置合わせペグの遠位端部と前記収容容器の前記底部との間に隙間を形成することができるように構成されている。
【００９８】
上記の態様の１または複数と組み合わせて使用可能な本開示の別の態様によれば、前記クリーニングシステムは、前記収容容器に取り付けられ、前記キャビティの前記開口部を覆うことができるように構成された除去可能な閉鎖蓋体をさらに備える。
【００９９】
上記の態様の１または複数と組み合わせて使用可能な本開示の別の態様によれば、本開示に係る、栄養チューブ用のねじ付きコネクタポートに関連して使用されるクリーニング装置は、把持体と、位置合わせペグと、使い捨て式発泡体プラットフォームとを備える。前記把持体は、第１の端部、第２の端部、及び前記第１の端部から前記第２の端部まで延びる長手方向軸を有する。前記把持体は、前記第１の端部から上向きに延出する一対のグリップアームと、前記第２の端部から下向きに延出する一対のクリーニングアームとを含む。前記一対のクリーニングアームは、前記把持体内に配置された枢軸ピンによって前記一対のグリップアームに枢動可能に連結されている。前記一対のクリーニングアームは、前記一対のグリップアームに対して前記把持体の前記長手方向軸に向かう内向きの圧力を加えたときに、前記圧力が前記枢軸ピンを介して前記一対のクリーニングアームに伝達されることによって互いに離間するように構成されている。前記位置合わせペグは、前記把持体の前記長手方向軸と軸方向に整列され、前記把持体の前記第２の端部に結合されている。前記位置合わせペグは、前記ねじ付きコネクタポートのボアチャンネルの内径よりも小さい外径を有し、かつ前記一対のクリーニングアームを越えて延出する長さを有する。前記使い捨て式発泡体プラットフォームは、前記把持体の前記第２の端部に結合されている。前記使い捨て式発泡体プラットフォームは、前記把持体の前記長手方向軸と軸方向に整列された管状部分と、前記把持体の前記第２の端部に結合された結合端部とを含む。前記結合端部は、前記一対のクリーニングアームを受容するためのキャビティを有する。前記クリーニング端部は、前記位置合わせペグを前記ねじ付きコネクタポートの前記ボアチャンネル内に挿入し、前記把持体を該把持体の前記長手方向軸を中心にして前記ねじ付きコネクタポートに対して回転させたときに、前記ねじ付きコネクタポートの複数の雌ねじ及び前記ボアチャンネルの外面を清掃することができるように構成されている。
【０１００】
上記の態様と組み合わせて使用可能な本開示の別の態様によれば、前記把持体は、少なくとも二対のクリーニングアームを含む。
【０１０１】
上記の態様の１または複数と組み合わせて使用可能な本開示の別の態様によれば、前記使い捨て式発泡体プラットフォームは、前記クリーニングアームを受容するための少なくとも二対のキャビティを有する。
【０１０２】
上記の態様の１または複数と組み合わせて使用可能な本開示の別の態様によれば、前記把持体は、前記使い捨て式発泡体プラットフォームを取り外すのを助けることができるように構成された少なくとも２つのスカラップ部を有する。
【０１０３】
上記の態様の１または複数と組み合わせて使用可能な本開示の別の態様によれば、本開示に係る、経腸栄養に関連して使用されるクリーニングシステムは、ねじ付きコネクタポートと、栄養チューブ用のねじ付きコネクタポートに関連して使用されるクリーニング装置とを備える。前記クリーニング装置は、把持体と、位置合わせペグと、使い捨て式発泡体プラットフォームとを備える。前記把持体は、第１の端部、第２の端部、及び前記第１の端部から前記第２の端部まで延びる長手方向軸を有する。前記把持体は、前記把持体内に配置された枢軸ピンによって前記一対のクリーニングアームに枢動可能に連結された前記一対のグリップアームを含む。前記一対のクリーニングアームは、前記一対のグリップアームに対して内向きまたは外向きの圧力を加えたときに、互いに離間または接近するように構成されている。前記位置合わせペグは、前記把持体の前記第２の端部に結合されており、前記ねじ付きコネクタポートのボアチャンネルの内径よりも小さい外径を有する。前記位置合わせペグは、前記一対のクリーニングアームを越えて延出する長さを有する。使い捨て式発泡体プラットフォームは、前記把持体に結合されており、管状中空部分と、結合端部と、クリーニング端部とを含む。前記結合端部は、前記一対のクリーニングアームを受容するための一対のキャビティを有し、前記クリーニング端部は、前記ねじ付きコネクタポートの複数の雌ねじ及び前記ねじ付きコネクタポートの前記ボアチャンネルの外面を清掃することができるように構成されている。
【０１０４】
上記の態様の１または複数と組み合わせて使用可能な本開示の別の態様によれば、本開示に係る、経腸栄養に関連して使用されるクリーニングシステムは、発泡体プラットフォームディスペンサハウジングと、把持体及び位置合わせペグを含むクリーニング装置とを備える。把持体は、第１の端部と、第２の端部と、前記第１の端部から前記第２の端部まで延びる長手方向軸、前記第１の端部から上向きに延出する一対のグリップアームと、前記第２の端部から下向きに延出し、前記把持体内に配置された枢軸ピンによって前記一対のグリップアームに枢動可能に連結された一対のクリーニングアームとを含む。位置合わせペグは、前記把持体の前記長手方向軸と軸方向に整列され、前記把持体の前記第２の端部に結合され、前記ねじ付きコネクタポートのボアチャンネルの内径よりも小さい外径を有し、かつ前記一対のクリーニングアームを越えて延出する長さを有する。前記位置合わせペグは、前記把持体を前記把持体の前記長手方向軸を中心にして前記ねじ付きコネクタポートに対して回転させたときに前記使い捨て式発泡体プラットフォームの前記クリーニング端部で前記ねじ付きコネクタポートの前記複数の雌ねじ及び前記ボアチャンネルの外面を清掃することができるように、前記ねじ付きコネクタポートの前記ボアチャンネルに挿入することができるように構成されている。臨床医は、把持体を回転させながら、グリップアームに圧力を加えて、一対のクリーニングアームを互いに接近または離間させることにより、使い捨て式発泡体プラットフォームの前記クリーニング端部でねじ付きコネクタポートの前記複数の雌ねじ及び前記ボアチャンネルの外面を清掃することができる。
【０１０５】
前記発泡体プラットフォームディスペンサハウジングは、複数の結合端部開口部を有する前側面と、複数のクリーニング端部開口部を有する後側面とを含み、前記複数の結合端部開口部及び前記複数のクリーニング端部開口部は、互いに軸方向に整列され、かつディスペンスされる前記使い捨て式発泡体プラットフォームを受容することができるように構成されている。前記各使い捨て式発泡体プラットフォームは、管状中空部分と、結合端部と、クリーニング端部とを含む。前記結合端部は、一対のキャビティを有する。前記クリーニング端部は、前記ねじ付きコネクタポートの前記複数の雌ねじ及び前記ねじ付きコネクタポートの前記ボアチャンネルの外面を清掃することができるように構成されている。前記クリーニング装置及び前記発泡体プラットフォームディスペンサハウジングは、前記把持体を前記複数の結合端部開口部のうちの１つと軸方向に整列させ、前記把持体の前記第２の端部を前記使い捨て式発泡体プラットフォームの前記結合端部に対して押圧し、前記把持体の前記一対のクリーニングアームを前記結合端部の前記一対のキャビティに係合させて前記発泡体プラットフォームの前記結合端部を前記把持体の前記第２の端部に結合させたときに、互いに協働して、前記発泡体プラットフォームディスペンサハウジングから前記クリーニング装置に前記使い捨て式発泡体プラットフォームをディスペンスするように構成されている。
【０１０６】
上記の態様の１または複数と組み合わせて使用可能な本開示の別の態様によれば、本開示に係る、経腸栄養に関連して使用されるクリーニングシステムは、ねじ付きコネクタポートと、発泡体プラットフォームディスペンサハウジングと、クリーニング装置とを備える。前記クリーニング装置は、把持体及び位置合わせペグを含む。前記把持体は、第１の端部と、第２の端部と、前記第１の端部から前記第２の端部まで延びる長手方向軸、前記第１の端部から上向きに延出する一対のグリップアームと、前記第２の端部から下向きに延出し、前記把持体内に配置された枢軸ピンによって前記一対のグリップアームに枢動可能に連結された一対のクリーニングアームとを含む。前記位置合わせペグは、前記把持体の前記長手方向軸と軸方向に整列され、前記把持体の前記第２の端部に結合され、前記ねじ付きコネクタポートのボアチャンネルの内径よりも小さい外径を有し、かつ前記一対のクリーニングアームを越えて延出する長さを有する。前記位置合わせペグは、前記把持体を前記把持体の前記長手方向軸を中心にして前記ねじ付きコネクタポートに対して回転させたときに前記使い捨て式発泡体プラットフォームの前記クリーニング端部で前記ねじ付きコネクタポートの前記複数の雌ねじ及び前記ボアチャンネルの外面を清掃することができるように、前記ねじ付きコネクタポートの前記ボアチャンネルに挿入することができるように構成されている。前記発泡体プラットフォームディスペンサハウジングは、複数の結合端部開口部を有する前側面と、複数のクリーニング端部開口部を有する後側面とを含み、前記複数の結合端部開口部及び前記複数のクリーニング端部開口部は、互いに軸方向に整列され、かつディスペンスされる前記使い捨て式発泡体プラットフォームを受容することができるように構成されている。前記各使い捨て式発泡体プラットフォームは、管状中空部分と、結合端部と、クリーニング端部とを含む。前記結合端部は、一対のキャビティを有する。前記クリーニング端部は、前記ねじ付きコネクタポートの前記複数の雌ねじ及び前記ねじ付きコネクタポートの前記ボアチャンネルの外面を清掃することができるように構成されている。前記クリーニング装置及び前記発泡体プラットフォームディスペンサハウジングは、前記把持体を前記複数の結合端部開口部のうちの１つと軸方向に整列させ、前記把持体の前記第２の端部を前記使い捨て式発泡体プラットフォームの前記結合端部に対して押圧し、前記把持体の前記一対のクリーニングアームを前記結合端部の前記一対のキャビティに係合させて前記発泡体プラットフォームの前記結合端部を前記把持体の前記第２の端部に結合させたときに、互いに協働して、前記発泡体プラットフォームディスペンサハウジングから前記クリーニング装置に前記使い捨て式発泡体プラットフォームをディスペンスするように構成されている。
【０１０７】
上記の態様の１または複数と組み合わせて使用可能な本開示の別の態様によれば、本開示に係るクリーニング装置は、把持体と、第１の複数の発泡体パッドとを含む。前記把持体は、第１の端部、第２の端部、及び前記第１の端部から前記第２の端部まで延びる長手方向軸を有する。前記第１の端部はグリップ部分を含み、前記第２の端部は少なくとも２つのクリーニングアームを含む。前記少なくとも２つのクリーニングアームの各々は、近位端部と、前記把持体の遠位側に位置する末端部とを有する。前記各末端部は、前記ねじ付きコネクタポートの内側雌ねじと係合することができるように構成された高さ及び幅を有する外向きフランジを有する。前記少なくとも２つのクリーニングアームの各々は、前記クリーニングアーム及び前記外向きフランジの長さに沿って延在する第１の外面、第２の外面、及び第３の外面を有する。前記第１の外面は、前記クリーニングアームの前記近位端部から前記末端部まで延在している。前記第２の外面は、前記クリーニングアームの前記末端部から前記外向きフランジの前記幅に沿って延在している。前記第３の外面は、前記第２の外面から前記外向きフランジの前記高さに沿って延在している。前記第１の複数の発泡体パッドの前記各発泡体パッドは、前記少なくとも２つのクリーニングアームの前記第１の外面、前記第２の外面、及び前記第３の外面にそれぞれ結合されている。前記第１の複数の発泡体パッドは、前記把持体を前記ねじ付きコネクタポート内に挿入し、前記把持体を該把持体の前記長手方向軸を中心にして回転させ、前記外向きフランジから前記発泡体パッドに外向きの圧力が加えられたときに、前記ねじ付きコネクタポートの前記雌ねじを清掃することができるように構成されている。
【０１０８】
上記の態様の１または複数と組み合わせて使用可能な本開示の別の態様によれば、前記把持体は、ねじ付きコネクタポートキャップをねじ回して取り外すときに、前記ねじ付きコネクタポートキャップの頂面と係合させることができるように構成された一対の突起部を含む。
【０１０９】
上記の態様の１または複数と組み合わせて使用可能な本開示の別の態様によれば、前記少なくとも２つのクリーニングアームの各クリーニングアームは、互いに異なる長さを有する。
【０１１０】
上記の態様の１または複数と組み合わせて使用可能な本開示の別の態様によれば、前記クリーニング装置は、第２の複数の発泡体パッドをさらに備え、前記第２の複数の発泡体パッドの各発泡体パッドは、前記クリーニングアームの前記近位端部から前記末端部まで延在する第１の内面、及び前記クリーニングの前記末端部から前記外向きフランジの前記幅に沿って延在する第２の内面にそれぞれ結合される。
【０１１１】
上記の態様の１または複数と組み合わせて使用可能な本開示の別の態様によれば、本開示に係るクリーニング装置は、シーリングコネクタと、位置合わせチューブと、内側発泡体パッドと、外側発泡体スリーブとを備える。前記シーリングコネクタは、グリップ部分を有する本体部分と、前記本体部分の第１の端部に設けられ、底面及び内壁面を有するキャップキャビティを含むキャップクリーニング端部と、前記本体部分の第２の端部に設けられ、キャビティ深さ及びベース面を有するねじキャビティを含む内側ねじクリーニング端部と、前記キャップクリーニング端部から前記内側ねじクリーニング端部まで延びる長手方向軸とを含み、前記内側ねじクリーニング端部の前記キャビティ深さは、前記ねじ付きコネクタポートの複数の雌ねじと係合することができるように構成されている。前記位置合わせチューブは、前記シーリングコネクタの前記長手方向軸と軸方向に整列され、前記ねじキャビティの前記ベース面に結合され、かつ前記キャビティ深さ以上の長さを有する。前記内側発泡体パッドは、前記キャップキャビティの前記内壁面及び前記ベース面を覆い、かつねじ付きコネクタポートキャップの複数の雄ねじを清掃することができるように構成された予め定められた厚さを有する。前記外側発泡体スリーブは、内面及び外面を有する管状部分と、内面及び外面を有するフランジ部分とを含み、前記管状部分の前記外面は、前記フランジ部分の前記外面と隣接し、前記管状部分の前記内面は、前記位置合わせチューブに結合され、前記フランジ部分の前記内面は、前記ねじキャビティの前記ベース面に結合され、前記管状部分の前記外面は、前記本体部分を前記シーリングコネクタの前記長手方向軸を中心にして回転させたときに、前記外側発泡体スリーブを前記ねじ付きコネクタポートの前記複数の雌ねじに対して外向きに密接に接触させるとともに、前記内側発泡体パッドを前記ねじ付きコネクタポートキャップの前記複数の雄ねじに対して内向きに密接に接触させることができるような予め定められた直径を有する。
【０１１２】
上記の態様の１または複数と組み合わせて使用可能な本開示の別の態様によれば、前記内側発泡体パッドは、前記シーリングコネクタの前記長手方向軸と軸方向に整列され、かつ前記ねじ付きコネクタポートキャップのキャビティを清掃することができるように構成された管状の発泡体突出部を有する。
【０１１３】
上記の態様の１または複数と組み合わせて使用可能な本開示の別の態様によれば、前記位置合わせチューブは、前記ねじ付きコネクタポートのボアチャンネルの外面を清掃することができるように構成された内面を有する。
【０１１４】
上記の態様の１または複数と組み合わせて使用可能な本開示の別の態様によれば、本開示に係るクリーニングシステムは、一連の使い捨て式容器を備えており、前記各使い捨て式容器は、収容容器と、除去可能な閉鎖蓋体と、クリーニング装置とを含んでいる。前記クリーニング装置は、シーリングコネクタと、位置合わせチューブと、内側発泡体パッドと、外側発泡体スリーブとを含んでいる。前記収容容器は、開口部を有するキャビティを有し、前記キャビティが湿潤溶液で少なくとも部分的に満たされている。前記除去可能な閉鎖蓋体は、前記収容容器に取り付けられ、前記キャビティの前記開口部を覆うことができるように構成されている。前記シーリングコネクタは、前記収容容器の前記キャビティ内に配置される。前記シーリングコネクタは、グリップ部分を有する本体部分と、前記本体部分の第１の端部に設けられ、底面及び内壁面を有するキャップキャビティを含むキャップクリーニング端部と、前記本体部分の第２の端部に設けられ、キャビティ深さ及びベース面を有するねじキャビティを含む内側ねじクリーニング端部と、前記キャップクリーニング端部から前記内側ねじクリーニング端部まで延びる長手方向軸とを含み、前記内側ねじクリーニング端部の前記キャビティ深さは、前記ねじ付きコネクタポートの複数の雌ねじと係合することができるように構成されている。前記位置合わせチューブは、前記シーリングコネクタの前記長手方向軸と軸方向に整列され、前記ねじキャビティの前記ベース面に結合され、かつ前記キャビティ深さ以上の長さを有する。前記内側発泡体パッドは、前記キャップキャビティの前記内壁面及び前記ベース面を覆い、かつねじ付きコネクタポートキャップの複数の雄ねじを清掃することができるように構成された予め定められた厚さを有する。前記外側発泡体スリーブは、内面及び外面を有する管状部分と、内面及び外面を有するフランジ部分とを含み、前記管状部分の前記外面は、前記フランジ部分の前記外面と隣接し、前記管状部分の前記内面は、前記位置合わせチューブに結合され、前記フランジ部分の前記内面は、前記ねじキャビティの前記ベース面に結合され、前記管状部分の前記外面は、前記本体部分を前記シーリングコネクタの前記長手方向軸を中心にして回転させたときに、前記外側発泡体スリーブを前記ねじ付きコネクタポートの前記複数の雌ねじに対して外向きに密接に接触させるとともに、前記内側発泡体パッドを前記ねじ付きコネクタポートキャップの前記複数の雄ねじに対して内向きに密接に接触させることができるような予め定められた直径を有する。
【０１１５】
上記の態様の１または複数と組み合わせて使用可能な本開示の別の態様によれば、本開示に係るシーリング装置は、使い捨て式ライナと、配置治具とを含む。前記使い捨て式ライナは、２つの位置決めフラップと、頂面及び底面と、前記頂面から前記底面まで延びる長手方向軸と、前記長手方向軸と軸方向に整列されたライナ開口部と、前記２つの位置決めフラップ間の距離と等しい直径とを有する。前記２つの位置決めフラップの各々は、フラップ開口部を有する。前記ライナ開口部は、前記ねじ付きコネクタポートのボアチャンネルの外面と係合することができるように構成された複数のテイル部を有する。前記使い捨て式ライナの前記直径は、前記ねじ付きコネクタポート内に前記ねじ付きコネクタポートキャップまたは別のねじ付きコネクタを挿入して前記使い捨て式ライナの前記長手方向軸を中心にして回転させたときに、前記使い捨て式ライナの前記底面を前記ねじ付きコネクタポートの前記複数の雌ねじ及び前記ボアチャンネルの前記外面に対して外向きに密接に接触させるとともに、前記使い捨て式ライナの前記頂面を前記ねじ付きコネクタポートキャップまたは前記別のねじ付きコネクタの複数の雄ねじに対して内向きに密接に接触させて、前記ねじ付きコネクタポートと前記ねじ付きコネクタポートキャップまたは前記別のねじ付きコネクタとの間を密封するように、前記ねじ付きコネクタポートの複数の雌ねじ及び前記ねじ付きコネクタポートの前記ボアチャンネルの前記外面と係合することができるように構成されている。前記配置治具は、第１の端部及び第２の端部を有し、前記第１の端部に把持部分を有し、前記第２の端部に２つの位置決めフィンガを有する。前記２つの位置決めフィンガの各々は、前記把持部分の遠位側に位置する遠位端部と、前記把持部分の近位側に位置する近位端部とを有する。前記２つの位置決めフィンガは、前記遠位端部において、前記使い捨て式ライナの前記直径よりも大きい離間距離を有する。前記２つの位置決めフィンガはそれぞれ、前記２つの位置決めフラップに対して軸方向に整列されている。前記２つの位置決めフィンガは、前記各遠位端部間及び前記各近位端部間に内向きの圧力を加えて前記離間距離を減少させた状態で、前記各位置決めフィンガを前記２つの位置決めフラップの前記各フラップ開口部内にそれぞれ位置させたときに、前記各フラップ開口部とそれぞれ係合することができるように構成されている。前記２つの位置決めフィンガは、前記内向きの圧力を減少させたときに、前記使い捨て式ライナをテンションがかかった状態で保持する。前記配置治具は、前記使い捨て式ライナを前記ねじ付きコネクタポートの頂面上に位置させ、前記ライナ開口部及び前記ボアチャンネルを前記使い捨て式ライナの前記長手方向軸に沿って互いに整列させ、前記２つの位置決めフィンガの前記各遠位端部間及び前記各近位端部間に前記内向きの圧力を加えて前記離間距離を減少させて前記２つの位置決めフラップの前記フラップ開口部から前記２つの位置決めフィンガを引き出すことにより、前記使い捨て式ライナを切り離すことができるように構成されている。
【０１１６】
上記の態様の１または複数と組み合わせて使用可能な本開示の別の態様によれば、本開示に係るシーリングシステムは、使い捨て式ライナと、配置治具と、使い捨て式ライナディスペンサとを備える。前記使い捨て式ライナは、２つの位置決めフラップと、頂面及び底面と、前記頂面から前記底面まで延びる長手方向軸と、前記長手方向軸と軸方向に整列されたライナ開口部と、前記２つの位置決めフラップ間の距離と等しい直径とを有する。前記２つの位置決めフラップの各々は、フラップ開口部を有する。前記ライナ開口部は、前記ねじ付きコネクタポートのボアチャンネルの外面と係合することができるように構成された複数のテイル部を有する。前記使い捨て式ライナの前記直径は、前記ねじ付きコネクタポート内に前記ねじ付きコネクタポートキャップまたは別のねじ付きコネクタを挿入して前記使い捨て式ライナの前記長手方向軸を中心にして回転させたときに、前記使い捨て式ライナの前記底面を前記ねじ付きコネクタポートの前記複数の雌ねじ及び前記ボアチャンネルの前記外面に対して外向きに密接に接触させるとともに、前記使い捨て式ライナの前記頂面を前記ねじ付きコネクタポートキャップまたは前記別のねじ付きコネクタの複数の雄ねじに対して内向きに密接に接触させて、前記ねじ付きコネクタポートと前記ねじ付きコネクタポートキャップまたは前記別のねじ付きコネクタとの間を密封するように、前記ねじ付きコネクタポートの複数の雌ねじ及び前記ねじ付きコネクタポートの前記ボアチャンネルの前記外面と係合することができるように構成されている。前記配置治具は、第１の端部及び第２の端部を有し、前記第１の端部に把持部分を有し、前記第２の端部に２つの位置決めフィンガを有する。前記２つの位置決めフィンガの各々は、前記把持部分の遠位側に位置する遠位端部と、前記把持部分の近位側に位置する近位端部とを有する。前記２つの位置決めフィンガは、前記遠位端部において、前記使い捨て式ライナの前記直径よりも大きい離間距離を有する。前記２つの位置決めフィンガはそれぞれ、前記２つの位置決めフラップに対して軸方向に整列されている。前記２つの位置決めフィンガは、前記各遠位端部間及び前記各近位端部間に内向きの圧力を加えて前記離間距離を減少させた状態で、前記各位置決めフィンガを前記２つの位置決めフラップの前記各フラップ開口部内にそれぞれ位置させたときに、前記各フラップ開口部とそれぞれ係合することができるように構成されている。前記２つの位置決めフィンガは、前記内向きの圧力を減少させたときに、前記使い捨て式ライナをテンションがかかった状態で保持する。前記配置治具は、前記使い捨て式ライナを前記ねじ付きコネクタポートの頂面上に位置させ、前記ライナ開口部及び前記ボアチャンネルを前記使い捨て式ライナの前記長手方向軸に沿って互いに整列させ、前記２つの位置決めフィンガの前記各遠位端部間及び前記各近位端部間に前記内向きの圧力を加えて前記離間距離を減少させて前記２つの位置決めフラップの前記フラップ開口部から前記２つの位置決めフィンガを引き出すことにより、前記使い捨て式ライナを切り離すことができるように構成されている。前記使い捨て式ライナディスペンサは、フレームと、ローラーバーと、ライナリールとを含む。前記ローラーバーは、前記ライナリールを受容するための第２の長手方向軸を規定する。前記ライナリールは、ディスペンスされる先頭の前記使い捨て式ライナと、それに結合された複数の前記使い捨て式ライナを含む。前記複数の使い捨て式ライナは、ミシン目縁部により互いに分離させることができるように構成されている。
【０１１７】
上記の態様の１または複数と組み合わせて使用可能な本開示の別の態様によれば、本開示に係る、ねじ付きコネクタポートを清掃する方法は、使い捨て式発泡体プラットフォームをクリーニング装置に取り付けるステップと、前記使い捨て式発泡体プラットフォームを湿潤流体で湿潤させるステップと、前記クリーニング装置を前記ねじ付きコネクタポート内に挿入するステップと、前記クリーニング装置をその長手方向軸を中心にして前記ねじ付きコネクタポートに対して回転させるステップと、前記クリーニング装置を回転させながら、前記クリーニング装置のグリップアームに圧力を加えるステップと、前記ねじ付きコネクタポートから前記クリーニング装置を取り出すステップと、前記クリーニング装置から使用済みの前記使い捨て式発泡体プラットフォームを取り外して廃棄するステップと、前記ねじ付きコネクタポート内に使い捨て式ライナを配置するステップと、前記ねじ付きコネクタポート内にねじ付きコネクタポートキャップまたは別のねじ付きコネクタを挿入するステップとを有する。
【０１１８】
上記の態様の１または複数と組み合わせて使用可能な本開示の別の態様によれば、本開示に係る、ねじ付きコネクタポートを清掃する方法は、クリーニング装置の把持体に設けられた一対の突起部で、ねじ付きコネクタポートキャップをねじ回して前記ねじ付きコネクタポートから取り出すステップと、前記クリーニング装置に取り付けられた使い捨て式発泡体プラットフォームを湿潤流体で湿潤させるステップと、前記クリーニング装置を前記ねじ付きコネクタポート内に挿入するステップと、前記クリーニング装置をその長手方向軸を中心にして前記ねじ付きコネクタポートに対して回転させるステップと、前記ねじ付きコネクタポートから前記クリーニング装置を取り出すステップと、前記ねじ付きコネクタポート内に使い捨て式ライナを配置するステップと、前記ねじ付きコネクタポート内にねじ付きコネクタポートキャップまたは別のねじ付きコネクタを挿入するステップとを有する。
【０１１９】
上記の態様の１または複数と組み合わせて使用可能な本開示の別の態様によれば、本開示に係る、ねじ付きコネクタポートを清掃する方法は、使い捨て式容器からクリーニング装置を取り出すステップと、前記クリーニング装置のシーリングコネクタの内側ねじクリーニング端部をねじ付きコネクタポート内に挿入するステップと、前記シーリングコネクタのキャップクリーニング端部内にねじ付きコネクタポートキャップを挿入するステップと、前記クリーニング装置をその長手方向軸を中心にして回転させるステップと、前記ねじ付きコネクタポートから前記クリーニング装置を取り出すステップと、前記ねじ付きコネクタポート内に使い捨て式ライナを配置するステップと、前記ねじ付きコネクタポート内に前記ねじ付きコネクタポートキャップまたは別のねじ付きコネクタを挿入するステップとを有する。
【０１２０】
上記の態様の１または複数と組み合わせて使用可能な本開示の別の態様によれば、本開示に係る、ねじ付きコネクタポートを清掃する方法は、湿潤流体が充填されている収容容器から除去可能な閉鎖蓋体を除去するステップと、前記収容容器にクリーニング装置を結合させて、前記収容容器を密封するステップと、互いに結合された前記クリーニング装置及び前記収容容器を振って、前記クリーニング装置を前記湿潤流体で十分に湿潤及び／または消毒するステップと、前記収容容器から前記クリーニング装置を取り外し、前記クリーニング装置のシーリングコネクタの内側ねじクリーニング端部を前記ねじ付きコネクタポート内に挿入するステップと、前記クリーニング装置をその長手方向軸を中心にして回転させて、前記クリーニング装置の外側発泡体スリーブ及び位置合わせチューブで、前記ねじ付きコネクタポートの複数の雌ねじ及び前記ねじ付きコネクタポートのボアチャンネルの外面をそれぞれ清掃するステップと、前記ねじ付きコネクタポートから前記クリーニング装置を取り出すステップとを有する。
【０１２１】
上記の態様の１または複数と組み合わせて使用可能な本開示の別の態様によれば、本開示に係る、ねじ付きコネクタポートを密封する方法は、配置治具で使い捨て式ライナを把持するステップと、前記使い捨て式ライナを前記ねじ付きコネクタポートの上方に位置させるステップと、前記使い捨て式ライナを前記配置治具から切り離して前記ねじ付きコネクタポートの頂面に配置するステップと、前記ねじ付きコネクタポートにねじ付きコネクタまたはねじ付きコネクタポートキャップをねじ回して取り付けて前記ねじ付きコネクタポートを密封するステップと、前記ねじ付きコネクタポートを使用するステップと、前記使い捨て式ライナを取り出して廃棄するステップとを有する。
【０１２２】
本明細書で説明した例示的な実施形態の様々な変更及び修正が当業者には明らかであることを理解されたい。そのような変更及び修正は、本開示の主題の精神及び範囲から逸脱することなく、かつそれの意図する利点を失うことなく実施することができる。したがって、そのような変更及び修正は、添付された特許請求の範囲に包含されることを意図している。また、従属請求項の特徴は、各独立請求項のシステム、方法、及び装置と組み合わせてもよい。
【図１】
2020146484.tif 000003
【図２Ａ】
2020146484.tif 000004
【図２Ｂ】
2020146484.tif 000005
【図２Ｃ】
2020146484.tif 000006
【図２Ｄ】
2020146484.tif 000007
【図２Ｅ】
2020146484.tif 000008
【図２Ｆ】
2020146484.tif 000009
【図３】
2020146484.tif 000010
【図４Ａ】
2020146484.tif 000011
【図４Ｂ】
2020146484.tif 000012
【図４Ｃ】
2020146484.tif 000013
【図４Ｄ】
2020146484.tif 000014
【図４Ｅ】
2020146484.tif 000015
【図４Ｆ】
2020146484.tif 000016
【図４Ｇ】
2020146484.tif 000017
【図５Ａ】
2020146484.tif 000018
【図５Ｂ】
2020146484.tif 000019
【図５Ｃ】
2020146484.tif 000020
【図５Ｄ】
2020146484.tif 000021
【図５Ｅ】
2020146484.tif 000022
【図５Ｆ】
2020146484.tif 000023
【図５Ｇ】
2020146484.tif 000024
【図５Ｈ】
2020146484.tif 000025
【図５Ｉ】
2020146484.tif 000026
【図５Ｊ】
2020146484.tif 000027
【図５Ｋ】
2020146484.tif 000028
【図５Ｌ】
2020146484.tif 000029
【図５Ｍ】
2020146484.tif 000030
【図６Ａ】
2020146484.tif 000031
【図６Ｂ】
2020146484.tif 000032
【図６Ｃ】
2020146484.tif 000033
【図６Ｄ】
2020146484.tif 000034
【図７Ａ】
2020146484.tif 000035
【図７Ｂ】
2020146484.tif 000036
【図７Ｃ】
2020146484.tif 000037
【図７Ｄ】
2020146484.tif 000038
【図７Ｅ】
2020146484.tif 000039
【図７Ｆ】
2020146484.tif 000040
【図８】
2020146484.tif 000041
【図９Ａ】
2020146484.tif 000042
【図９Ｂ】
2020146484.tif 000043
【図９Ｃ】
2020146484.tif 000044
【図９Ｄ】
2020146484.tif 000045
【図９Ｅ】
2020146484.tif 000046
【手続補正書】
【提出日】令和2年5月27日(2020.5.27)
【手続補正１】
【補正対象書類名】特許請求の範囲
【補正対象項目名】全文
【補正方法】変更
【補正の内容】
【特許請求の範囲】
【請求項１】
栄養チューブ用のねじ付きコネクタポートに関連して使用されるクリーニング装置であって、
第１の端部、第２の端部、及び前記第１の端部から前記第２の端部まで延びる長手方向軸を有する把持体であって、
前記第１の端部から上向きに延出する一対のグリップアームと、前記第２の端部から下向きに延出する一対のクリーニングアームとを含み、
前記一対のクリーニングアームは、前記把持体内に配置された枢軸ピンによって前記一対のグリップアームに枢動可能に連結されており、
前記一対のクリーニングアームは、前記一対のグリップアームに対して前記把持体の前記長手方向軸に向かう内向きの圧力を加えたときに、前記圧力が前記枢軸ピンを介して前記一対のクリーニングアームに伝達されることによって互いに離間するように構成されている、該把持体と、
前記把持体の前記長手方向軸と軸方向に整列され、前記把持体の前記第２の端部に結合され、前記ねじ付きコネクタポートのボアチャンネルの内径よりも小さい外径を有し、かつ前記一対のクリーニングアームを越えて延出する長さを有する位置合わせペグと、
前記把持体の前記第２の端部に結合された使い捨て式発泡体プラットフォームであって、
前記把持体の前記長手方向軸と軸方向に整列された管状部分と、前記把持体の前記第２の端部に結合された結合端部と、クリーニング端部とを含み、
前記結合端部は、前記一対のクリーニングアームを受容するための一対のキャビティを有し、
前記クリーニング端部は、前記位置合わせペグを前記ねじ付きコネクタポートの前記ボアチャンネル内に挿入し、前記把持体を該把持体の前記長手方向軸を中心にして前記ねじ付きコネクタポートに対して回転させたときに、前記ねじ付きコネクタポートの複数の雌ねじ及び前記ボアチャンネルの外面を清掃することができるように構成されている、該使い捨て式発泡体プラットフォームと
を備えたことを特徴とするクリーニング装置。
【請求項２】
前記把持体は、少なくとも二対のクリーニングアームを含むことを特徴とする請求項１に記載のクリーニング装置。
【請求項３】
前記使い捨て式発泡体プラットフォームは、前記クリーニングアームを受容するための少なくとも二対のキャビティを有することを特徴とする請求項１に記載のクリーニング装置。
【請求項４】
前記把持体は、前記使い捨て式発泡体プラットフォームを取り外すのを助けることができるように構成された少なくとも２つのスカラップ部を有することを特徴とする請求項１に記載のクリーニング装置。
【請求項５】
経腸栄養に関連して使用されるクリーニングシステムであって、
管状中空部分と、一対のキャビティを有する結合端部と、ねじ付きコネクタポートの複数の雌ねじ及び前記ねじ付きコネクタポートのボアチャンネルの外面を清掃することができるように構成されたクリーニング端部とを含む使い捨て式発泡体プラットフォームをディスペンスするための発泡体プラットフォームディスペンサハウジングと、
栄養チューブ用のねじ付きコネクタポートに関連して使用されるクリーニング装置とを備えており、
前記発泡体プラットフォームディスペンサハウジングは、複数の結合端部開口部を有する前側面と、複数のクリーニング端部開口部を有する後側面とを含み、
前記複数の結合端部開口部及び前記複数のクリーニング端部開口部は、互いに軸方向に整列され、かつディスペンスされる前記使い捨て式発泡体プラットフォームを受容することができるように構成されており、
前記クリーニング装置は、
第１の端部、第２の端部、及び前記第１の端部から前記第２の端部まで延びる長手方向軸を有する把持体であって、
前記第１の端部から上向きに延出する一対のグリップアームと、前記第２の端部から下向きに延出する一対のクリーニングアームとを含み、
前記一対のクリーニングアームは、前記把持体内に配置された枢軸ピンによって前記一対のグリップアームに枢動可能に連結されており、
前記一対のクリーニングアームは、前記一対のグリップアームに対して前記把持体の前記長手方向軸に向かう内向きの圧力を加えたときに、前記圧力が前記枢軸ピンを介して前記一対のクリーニングアームに伝達されることによって互いに離間するように構成されている、該把持体と、
前記把持体の前記長手方向軸と軸方向に整列され、前記把持体の前記第２の端部に結合され、前記ねじ付きコネクタポートのボアチャンネルの内径よりも小さい外径を有し、かつ前記一対のクリーニングアームを越えて延出する長さを有する位置合わせペグとを備え、
前記位置合わせペグは、前記把持体を前記把持体の前記長手方向軸を中心にして前記ねじ付きコネクタポートに対して回転させたときに前記使い捨て式発泡体プラットフォームの前記クリーニング端部で前記ねじ付きコネクタポートの前記複数の雌ねじ及び前記ボアチャンネルの外面を清掃することができるように、前記ねじ付きコネクタポートの前記ボアチャンネルに挿入することができるように構成されており、
前記クリーニング装置及び前記発泡体プラットフォームディスペンサハウジングは、前記把持体を前記複数の結合端部開口部のうちの１つと軸方向に整列させ、前記把持体の前記第２の端部を前記使い捨て式発泡体プラットフォームの前記結合端部に対して押圧し、前記把持体の前記一対のクリーニングアームを前記結合端部の前記一対のキャビティに係合させて前記発泡体プラットフォームの前記結合端部を前記把持体の前記第２の端部に結合させたときに、互いに協働して、前記発泡体プラットフォームディスペンサハウジングから前記クリーニング装置に前記使い捨て式発泡体プラットフォームをディスペンスするように構成されている、
ことを特徴とするクリーニングシステム。
【請求項６】
経腸栄養に関連して使用されるクリーニングシステムであって、
ねじ付きコネクタポートと、
管状中空部分と、一対のキャビティを有する結合端部と、前記ねじ付きコネクタポートの複数の雌ねじ及び前記ねじ付きコネクタポートのボアチャンネルの外面を清掃することができるように構成されたクリーニング端部とを含む使い捨て式発泡体プラットフォームをディスペンスするための発泡体プラットフォームディスペンサハウジングと、
栄養チューブ用のねじ付きコネクタポートに関連して使用されるクリーニング装置とを備えており、
前記発泡体プラットフォームディスペンサハウジングは、複数の結合端部開口部を有する前側面と、複数のクリーニング端部開口部を有する後側面とを含み、
前記複数の結合端部開口部及び前記複数のクリーニング端部開口部は、互いに軸方向に整列され、かつディスペンスされる前記使い捨て式発泡体プラットフォームを受容することができるように構成されており、
前記クリーニング装置は、
第１の端部、第２の端部、及び前記第１の端部から前記第２の端部まで延びる長手方向軸を有する把持体であって、
前記第１の端部から上向きに延出する一対のグリップアームと、前記第２の端部から下向きに延出する一対のクリーニングアームとを含み、
前記一対のクリーニングアームは、前記把持体内に配置された枢軸ピンによって前記一対のグリップアームに枢動可能に連結されており、
前記一対のクリーニングアームは、前記一対のグリップアームに対して前記把持体の前記長手方向軸に向かう内向きの圧力を加えたときに、前記圧力が前記枢軸ピンを介して前記一対のクリーニングアームに伝達されることによって互いに離間するように構成されている、該把持体と、
前記把持体の前記長手方向軸と軸方向に整列され、前記把持体の前記第２の端部に結合され、前記ねじ付きコネクタポートのボアチャンネルの内径よりも小さい外径を有し、かつ前記一対のクリーニングアームを越えて延出する長さを有する位置合わせペグとを備え、
前記位置合わせペグは、前記把持体を前記把持体の前記長手方向軸を中心にして前記ねじ付きコネクタポートに対して回転させたときに前記使い捨て式発泡体プラットフォームの前記クリーニング端部で前記ねじ付きコネクタポートの前記複数の雌ねじ及び前記ボアチャンネルの外面を清掃することができるように、前記ねじ付きコネクタポートの前記ボアチャンネルに挿入することができるように構成されており、
前記クリーニング装置及び前記発泡体プラットフォームディスペンサハウジングは、前記把持体を前記複数の結合端部開口部のうちの１つと軸方向に整列させ、前記把持体の前記第２の端部を前記使い捨て式発泡体プラットフォームの前記結合端部に対して押圧し、前記把持体の前記一対のクリーニングアームを前記結合端部の前記一対のキャビティに係合させて前記発泡体プラットフォームの前記結合端部を前記把持体の前記第２の端部に結合させたときに、互いに協働して、前記発泡体プラットフォームディスペンサハウジングから前記クリーニング装置に前記使い捨て式発泡体プラットフォームをディスペンスするように構成されている、
ことを特徴とするクリーニングシステム。
【請求項７】
栄養チューブ用のねじ付きコネクタポートに関連して使用されるクリーニング装置であって、
第１の端部、第２の端部、及び前記第１の端部から前記第２の端部まで延びる長手方向軸を有する把持体であって、
前記第１の端部はグリップ部分を含み、前記第２の端部は少なくとも２つのクリーニングアームを含み、
前記少なくとも２つのクリーニングアームの各々は、近位端部と、前記把持体の遠位側に位置する末端部とを有し、
前記各末端部は、前記ねじ付きコネクタポートの内側雌ねじと係合することができるように構成された高さ及び幅を有する外向きフランジを有し、
前記少なくとも２つのクリーニングアームの各々は、前記クリーニングアーム及び前記外向きフランジの長さに沿って延在する第１の外面、第２の外面、及び第３の外面を有し、
前記第１の外面は、前記クリーニングアームの前記近位端部から前記末端部まで延在し、
前記第２の外面は、前記クリーニングアームの前記末端部から前記外向きフランジの前記幅に沿って延在し、
前記第３の外面は、前記第２の外面から前記外向きフランジの前記高さに沿って延在している、該把持体と、
第１の複数の発泡体パッドであって、
前記各発泡体パッドは、前記少なくとも２つのクリーニングアームの前記第１の外面、前記第２の外面、及び前記第３の外面にそれぞれ結合され、
前記第１の複数の発泡体パッドは、前記把持体を前記ねじ付きコネクタポート内に挿入し、前記把持体を該把持体の前記長手方向軸を中心にして回転させ、前記外向きフランジから前記発泡体パッドに外向きの圧力が加えられたときに、前記ねじ付きコネクタポートの前記雌ねじを清掃することができるように構成された、該第１の複数の発泡体パッドと
を備えたことを特徴とするクリーニング装置。
【請求項８】
前記把持体は、ねじ付きコネクタポートキャップをねじ回して取り外すときに、前記ねじ付きコネクタポートキャップの頂面と係合させることができるように構成された一対の突起部を含むことを特徴とする請求項７に記載のクリーニング装置。
【請求項９】
前記少なくとも２つのクリーニングアームの各クリーニングアームは、互いに異なる長さを有することを特徴とする請求項７に記載のクリーニング装置。
【請求項１０】
第２の複数の発泡体パッドをさらに備え、
前記第２の複数の発泡体パッドの各発泡体パッドは、前記クリーニングアームの前記近位端部から前記末端部まで延在する第１の内面、及び前記クリーニングアームの前記末端部から前記外向きフランジの前記幅に沿って延在する第２の内面にそれぞれ結合されることを特徴とする請求項７に記載のクリーニング装置。
【請求項１１】
栄養チューブ用のねじ付きコネクタポートに関連して使用されるクリーニング装置であって、
シーリングコネクタであって、
グリップ部分を有する本体部分と、
前記本体部分の第１の端部に設けられ、底面及び内壁面を有するキャップキャビティを含むキャップクリーニング端部と、
前記本体部分の第２の端部に設けられ、キャビティ深さ及びベース面を有するねじキャビティを含む内側ねじクリーニング端部と、
前記キャップクリーニング端部から前記内側ねじクリーニング端部まで延びる長手方向軸とを含み、
前記内側ねじクリーニング端部の前記キャビティ深さは、前記ねじ付きコネクタポートの複数の雌ねじと係合することができるように構成されている、該シーリングコネクタと、
前記シーリングコネクタの前記長手方向軸と軸方向に整列され、前記ねじキャビティの前記ベース面に結合され、かつ前記キャビティ深さ以上の長さを有する位置合わせチューブと、
前記キャップキャビティの前記内壁面及び前記ベース面を覆い、かつねじ付きコネクタポートキャップの複数の雄ねじを清掃することができるように構成された予め定められた厚さを有する内側発泡体パッドと、
外側発泡体スリーブであって、
内面及び外面を有する管状部分と、内面及び外面を有するフランジ部分とを含み、
前記管状部分の前記外面は、前記フランジ部分の前記外面と隣接し、
前記管状部分の前記内面は、前記位置合わせチューブに結合され、
前記フランジ部分の前記内面は、前記ねじキャビティの前記ベース面に結合され、
前記管状部分の前記外面は、前記本体部分を前記シーリングコネクタの前記長手方向軸を中心にして回転させたときに、前記外側発泡体スリーブを前記ねじ付きコネクタポートの前記複数の雌ねじに対して外向きに密接に接触させるとともに、前記内側発泡体パッドを前記ねじ付きコネクタポートキャップの前記複数の雄ねじに対して内向きに密接に接触させることができるような予め定められた直径を有する、該外側発泡体スリーブと
を備えたことを特徴とするクリーニング装置。
【請求項１２】
前記内側発泡体パッドは、前記シーリングコネクタの前記長手方向軸と軸方向に整列され、かつ前記ねじ付きコネクタポートキャップのキャビティを清掃することができるように構成された管状の発泡体突出部を有することを特徴とする請求項１１に記載のクリーニング装置。
【請求項１３】
前記位置合わせチューブは、前記ねじ付きコネクタポートのボアチャンネルの外面を清掃することができるように構成された内面を有することを特徴とする請求項１１に記載のクリーニング装置。
【請求項１４】
経腸栄養に関連して使用されるクリーニングシステムであって、
一連の使い捨て式容器を備えており、
前記各使い捨て式容器は、
開口部を有するキャビティを有し、前記キャビティが湿潤溶液で少なくとも部分的に満たされている収容容器と、
前記収容容器に取り付けられ、前記キャビティの前記開口部を覆うことができるように構成された除去可能な閉鎖蓋体と、
シーリングコネクタであって、
グリップ部分を有する本体部分と、
前記本体部分の第１の端部に設けられ、底面及び内壁面を有するキャップキャビティを含むキャップクリーニング端部と、
前記本体部分の第２の端部に設けられ、キャビティ深さ及びベース面を有するねじキャビティを含む内側ねじクリーニング端部と、
前記キャップクリーニング端部から前記内側ねじクリーニング端部まで延びる長手方向軸とを含み、
前記内側ねじクリーニング端部の前記キャビティ深さは、前記ねじ付きコネクタポートの複数の雌ねじと係合することができるように構成されている、該シーリングコネクタと、
前記シーリングコネクタの前記長手方向軸と軸方向に整列され、前記ねじキャビティの前記ベース面に結合され、かつ前記キャビティ深さ以上の長さを有する位置合わせチューブと、
前記キャップキャビティの前記内壁面及び前記ベース面を覆い、かつねじ付きコネクタポートキャップの複数の雄ねじを清掃することができるように構成された予め定められた厚さを有する内側発泡体パッドと、
外側発泡体スリーブであって、
内面及び外面を有する管状部分と、内面及び外面を有するフランジ部分とを含み、
前記管状部分の前記外面は、前記フランジ部分の前記外面と隣接し、
前記管状部分の前記内面は、前記位置合わせチューブに結合され、
前記フランジ部分の前記内面は、前記ねじキャビティの前記ベース面に結合され、
前記管状部分の前記外面は、前記本体部分を前記シーリングコネクタの前記長手方向軸を中心にして回転させたときに、前記外側発泡体スリーブを前記ねじ付きコネクタポートの前記複数の雌ねじに対して外向きに密接に接触させるとともに、前記内側発泡体パッドを前記ねじ付きコネクタポートキャップの前記複数の雄ねじに対して内向きに密接に接触させることができるような予め定められた直径を有する、該外側発泡体スリーブと
を備えたことを特徴とするクリーニングシステム。
【請求項１５】
栄養チューブ用のねじ付きコネクタポートに関連して使用されるシーリング装置であって、
使い捨て式ライナであって、
２つの位置決めフラップと、
頂面及び底面と、
前記頂面から前記底面まで延びる長手方向軸と、
前記長手方向軸と軸方向に整列されたライナ開口部と、
前記２つの位置決めフラップ間の距離と等しい直径とを有し、
前記２つの位置決めフラップの各々は、フラップ開口部を有し、
前記ライナ開口部は、前記ねじ付きコネクタポートのボアチャンネルの外面と係合することができるように構成された複数のテイル部を有し、
前記使い捨て式ライナの前記直径は、前記ねじ付きコネクタポート内に前記ねじ付きコネクタポートキャップまたは別のねじ付きコネクタを挿入して前記使い捨て式ライナの前記長手方向軸を中心にして回転させたときに、前記使い捨て式ライナの前記底面を前記ねじ付きコネクタポートの前記複数の雌ねじ及び前記ボアチャンネルの前記外面に対して外向きに密接に接触させるとともに、前記使い捨て式ライナの前記頂面を前記ねじ付きコネクタポートキャップまたは前記別のねじ付きコネクタの複数の雄ねじに対して内向きに密接に接触させて、前記ねじ付きコネクタポートと前記ねじ付きコネクタポートキャップまたは前記別のねじ付きコネクタとの間を密封するように、前記ねじ付きコネクタポートの複数の雌ねじ及び前記ねじ付きコネクタポートの前記ボアチャンネルの前記外面と係合することができるように構成された、該使い捨て式ライナと、
第１の端部及び第２の端部を有する配置治具であって、
前記第１の端部に把持部分を有し、前記第２の端部に２つの位置決めフィンガを有し、
前記２つの位置決めフィンガの各々は、前記把持部分の遠位側に位置する遠位端部と、前記把持部分の近位側に位置する近位端部とを有し、
前記２つの位置決めフィンガは、前記遠位端部において、前記使い捨て式ライナの前記直径よりも大きい離間距離を有し、
前記２つの位置決めフィンガはそれぞれ、前記２つの位置決めフラップに対して軸方向に整列されており、
前記２つの位置決めフィンガは、前記各遠位端部間及び前記各近位端部間に内向きの圧力を加えて前記離間距離を減少させた状態で、前記各位置決めフィンガを前記２つの位置決めフラップの前記各フラップ開口部内にそれぞれ位置させたときに、前記各フラップ開口部とそれぞれ係合することができるように構成されており、
前記２つの位置決めフィンガは、前記内向きの圧力を減少させたときに、前記使い捨て式ライナをテンションがかかった状態で保持し、かつ
前記使い捨て式ライナを前記ねじ付きコネクタポートの頂面上に位置させ、前記ライナ開口部及び前記ボアチャンネルを前記使い捨て式ライナの前記長手方向軸に沿って互いに整列させ、前記２つの位置決めフィンガの前記各遠位端部間及び前記各近位端部間に前記内向きの圧力を加えて前記離間距離を減少させて前記２つの位置決めフラップの前記フラップ開口部から前記２つの位置決めフィンガを引き出すことにより、前記使い捨て式ライナを切り離すことができるように構成されている、該配置治具と
を備えたことを特徴とするシーリング装置。
【請求項１６】
経腸栄養に関連して使用されるシーリングシステムであって、
使い捨て式ライナであって、
２つの位置決めフラップと、
頂面及び底面と、
前記頂面から前記底面まで延びる長手方向軸と、
前記長手方向軸と軸方向に整列されたライナ開口部と、
前記２つの位置決めフラップ間の距離と等しい直径とを有し、
前記２つの位置決めフラップの各々は、フラップ開口部を有し、
前記ライナ開口部は、ねじ付きコネクタポートのボアチャンネルの外面と係合することができるように構成された複数のテイル部を有し、
前記使い捨て式ライナの前記直径は、前記ねじ付きコネクタポート内にねじ付きコネクタポートキャップまたは別のねじ付きコネクタを挿入して前記使い捨て式ライナの前記長手方向軸を中心にして回転させたときに、前記使い捨て式ライナの前記底面を前記ねじ付きコネクタポートの前記複数の雌ねじ及び前記ボアチャンネルの前記外面に対して外向きに密接に接触させるとともに、前記使い捨て式ライナの前記頂面を前記ねじ付きコネクタポートキャップまたは前記別のねじ付きコネクタの複数の雄ねじに対して内向きに密接に接触させて、前記ねじ付きコネクタポートと前記ねじ付きコネクタポートキャップまたは前記別のねじ付きコネクタとの間を密封するように、前記ねじ付きコネクタポートの複数の雌ねじ及び前記ねじ付きコネクタポートの前記ボアチャンネルの前記外面と係合することができるように構成された、該使い捨て式ライナと、
第１の端部及び第２の端部を有する配置治具であって、
前記第１の端部に把持部分を有し、前記第２の端部に２つの位置決めフィンガを有し、
前記２つの位置決めフィンガの各々は、前記把持部分の遠位側に位置する遠位端部と、前記把持部分の近位側に位置する近位端部とを有し、
前記２つの位置決めフィンガは、前記遠位端部において、前記使い捨て式ライナの前記直径よりも大きい離間距離を有し、
前記２つの位置決めフィンガはそれぞれ、前記２つの位置決めフラップに対して軸方向に整列されており、
前記２つの位置決めフィンガは、前記各遠位端部間及び前記各近位端部間に内向きの圧力を加えて前記離間距離を減少させた状態で、前記各位置決めフィンガを前記２つの位置決めフラップの前記各フラップ開口部内にそれぞれ位置させたときに、前記各フラップ開口部とそれぞれ係合することができるように構成されており、
前記２つの位置決めフィンガは、前記内向きの圧力を減少させたときに、前記使い捨て式ライナをテンションがかかった状態で保持し、かつ
前記使い捨て式ライナを前記ねじ付きコネクタポートの頂面上に位置させ、前記ライナ開口部及び前記ボアチャンネルを前記使い捨て式ライナの前記長手方向軸に沿って互いに整列させ、前記２つの位置決めフィンガの前記各遠位端部間及び前記各近位端部間に前記内向きの圧力を加えて前記離間距離を減少させて前記２つの位置決めフラップの前記フラップ開口部から前記２つの位置決めフィンガを引き出すことにより、前記使い捨て式ライナを切り離すことができるように構成されている、該配置治具と
使い捨て式ライナディスペンサであって、
フレームと、
ローラーバーと、
ライナリールとを含み、
前記ローラーバーは、前記ライナリールを受容するための第２の長手方向軸を規定し、
前記ライナリールは、ディスペンスされる先頭の前記使い捨て式ライナと、それに結合された複数の前記使い捨て式ライナを含み、
前記複数の使い捨て式ライナは、ミシン目縁部により互いに分離させることができるように構成されている、該使い捨て式ライナディスペンサと
を備えたことを特徴とするシーリングシステム。